(57)【要約】【課題】コンテンツの見易さを損ねることなく、手軽にサービスを享受可能な映像表示システムを提供する。【解決手段】映像表示装置は、サービスサーバからコンテンツおよびコンテンツに付帯する付帯情報を受信する。そして、映像表示装置が備える第１表示手段に、受信したコンテンツを表示し、付帯情報を、通信端末装置へ送信する。通信端末装置は、受信した付帯情報に基づく情報を第２表示手段で表示する。【選択図】図２０
2008005320.tif 000002
【特許請求の範囲】
【請求項１】
通信端末装置と、コンテンツおよび前記コンテンツに付帯する付帯情報を配信するサービスサーバとデータ通信可能な映像表示装置とから構成される映像表示システムであって、
前記通信端末装置は、
端末情報を、前記映像表示装置へ送信する第１送信手段を備え、
前記映像表示装置は、
前記送信手段により送信された端末情報を受信する第１受信手段を備え、
前記第１受信手段は、前記サービスサーバから前記コンテンツおよび前記付帯情報を受信し、
前記映像表示装置は、
受信した前記コンテンツを表示する第１表示手段と、
受信した前記付帯情報を、受信した前記端末情報に基づき、前記通信端末装置へ送信する第２送信手段とをさらに備え、
前記通信端末装置は、
前記第２送信手段により送信された前記付帯情報を受信する第２受信手段と、
受信した前記付帯情報に基づく情報を表示する第２表示手段とをさらに備える、映像表示システム。
【請求項２】
前記映像表示装置は、
前記第１受信手段により受信された、前記付帯情報と、前記端末情報との関連性の有無を判定する判定手段をさらに備え、
前記第２送信手段は、前記判定手段により関連性が有ると判定された場合、前記付帯情報を前記通信端末装置へ送信する、請求項１に記載の映像表示システム。
【請求項３】
前記第１受信手段により受信された前記付帯情報は、キーワードを含み、
前記第１受信手段により受信された前記端末情報は嗜好情報を含み、
前記判定手段が行なう前記付帯情報と前記端末情報との関連性の有無の判定は、前記付帯情報に含まれる前記キーワードと、前記端末情報に含まれる前記嗜好情報との関連性の有無により行なわれる、請求項２に記載の映像表示システム。
【請求項４】
前記キーワードは、前記第１表示手段に表示される前記コンテンツに関連するキーワードである、請求項３に記載の映像表示システム。
【請求項５】
前記付帯情報は、ネットワークアドレスを含み、
前記第２受信手段は、ネットワークから前記ネットワークアドレスに基づく情報を受信し、
前記第２表示手段は、前記ネットワークアドレスに基づく情報を表示する、請求項１に記載の映像表示システム。
【請求項６】
前記端末情報は、装置を特定するための装置識別情報を含み、
前記第２送信手段は、受信した前記付帯情報を、前記装置識別情報により特定される前記通信端末装置へ送信する、請求項１に記載の映像表示システム。
【請求項７】
前記映像表示装置は、
複数種類の前記付帯情報を記憶する記憶手段と、
前記通信端末装置の操作状況を判定する操作状況判定手段とをさらに備え、
前記第２送信手段は、前記複数種類の付帯情報のうち、前記端末情報と関連性のある付帯情報を、所定の時間間隔で、前記通信端末装置へ送信し、
前記映像表示装置は、
前記操作状況判定手段により判定された操作状況に応じて、前記所定の時間間隔を変化させる時間間隔変更手段をさらに備える、請求項１に記載の映像表示システム。
【発明の詳細な説明】
【技術分野】
【０００１】
本発明は、映像表示システムに関し、特に、コンテンツに付帯される情報を利用する映像表示システムに関する。
【背景技術】
【０００２】
近年、宅内の複数種類の装置間において、互いにデータ通信を可能とするための規格（以下、異装置間通信規格ともいう）に準拠した装置が普及しつつある。異装置間通信規格は、たとえば、ＤＬＮＡ（Digital Living Network Alliance）規格である。異装置間通信規格に準拠した装置は、たとえば、テレビ受像機、ＨＤＤ（Hard disk drive）レコーダ、オーディオ装置等である。また、異装置間通信規格に準拠した装置は、一般的に、ルータ等のネットワーク機器を介して、インターネット等のネットワークにも接続可能となっている。
【０００３】
また、ネットワークに接続可能な異装置間通信規格に準拠した装置は、リモコンで操作可能な装置であるのが一般的である。そのため、リモコンで操作可能であり、かつ、ネットワークに接続可能な複数種類の装置を、１つの装置で操作することが要求される。
【０００４】
特開２００２−１３５８１０号公報（特許文献１）には、インターネット等のネットワークに接続可能であって、普及率が非常に高い携帯電話等の通信端末装置を、ネットワークに接続可能な装置を操作するためのリモコンとして使用する技術（以下、第１の先行技術ともいう）が開示されている。
【０００５】
また、特開２００１−１３６５８５号公報（特許文献２）には、テレビ受像機に表示されたＷｅｂページ内の複数のハイパーリンク文字列の配置位置の情報を、リモコンへ送信する技術（以下、第２の先行技術ともいう）が開示されている。
【０００６】
また、近年、トリプルプレイ（TRIPLE-PLAY）と呼ばれる、インターネット・電話・多チャンネル放送の３つを一括で提供するサービスが拡がりつつある。このトリプルプレイとは、従来のインターネット接続サービス、加入電話サービス、テレビ放送の別々のサービスとして別々の事業者が提供していたサービスを、ＦＴＴＨ(Fiber To The Home)の光回線を利用して光回線事業者がすべてのサービスを一括して提供するものである。
【０００７】
このトリプルプレイは、ユーザにとってみれば、サービス毎に別々に契約などをする必要がなくなり、料金についてもセットにより安くなるなどのメリットがある。また、トリプルプレイに加え、移動体通信（携帯電話）サービスを加えたクワドロプルプレイ(QUADROPLE-PLAY)というサービスも始まりつつある。
【０００８】
このようなサービスが利用される環境では、同一のＩＤおよびパスワードを使用すれば、たとえば、パソコン向けサービス、携帯電話向けサービス、テレビ向けサービスといった異なるサービスを、複数の装置で利用できる。これらのサービスは、あくまでも同一ユーザーに向けた、各機器ごとに分けられたサービスであって、サービスおよび機器同士が相互に連携するような利用シーンは提供されていない。
【特許文献１】特開２００２−１３５８１０号公報
【特許文献２】特開２００１−１３６５８５号公報
【発明の開示】
【発明が解決しようとする課題】
【０００９】
最近では、第１および第２の先行技術のように、携帯電話等の通信端末装置と、テレビ等の映像表示装置とを連携させて使用する場面が増えつつある。そして、上記２つの装置を連携させて使用することで、コンテンツサイトから、各種サービスを享受する場面も増えつつある。
【００１０】
上記サービスは、たとえば、映像表示装置が、コンテンツサイトからコンテンツを受信するサービスである。この場合、映像表示装置は受信したコンテンツを表示する。なお、映像表示装置で表示されているコンテンツには、様々なサービスをう受けるための情報が付帯される場合がある。この付帯される情報を利用して、たとえば、様々な情報を参照するようなサービスを受ける場合、映像表示装置だけでサービスを受けるための処理を行なうと、表示されているコンテンツの見易さが損ねられるという問題が発生する。
【００１１】
本発明は、上述の問題点を解決するためになされたものであって、その目的は、コンテンツの見易さを損ねることなく、手軽にサービスを享受可能な映像表示システムを提供することである。
【課題を解決するための手段】
【００１２】
上述の課題を解決するために、この発明のある局面に従うと、通信端末装置と、コンテンツおよびコンテンツに付帯する付帯情報を配信するサービスサーバとデータ通信可能な映像表示装置とから構成される映像表示システムであって、通信端末装置は、端末情報を、映像表示装置へ送信する第１送信手段を備え、映像表示装置は、送信手段により送信された端末情報を受信する第１受信手段を備え、第１受信手段は、サービスサーバからコンテンツおよび付帯情報を受信し、映像表示装置は、受信したコンテンツを表示する第１表示手段と、受信した付帯情報を、受信した端末情報に基づき、通信端末装置へ送信する第２送信手段とをさらに備え、通信端末装置は、第２送信手段により送信された付帯情報を受信する第２受信手段と、受信した付帯情報に基づく情報を表示する第２表示手段とをさらに備える。
【００１３】
好ましくは、映像表示装置は、第１受信手段により受信された、付帯情報と、端末情報との関連性の有無を判定する判定手段をさらに備え、第２送信手段は、判定手段により関連性が有ると判定された場合、付帯情報を通信端末装置へ送信する。
【００１４】
好ましくは、第１受信手段により受信された付帯情報は、キーワードを含み、第１受信手段により受信された端末情報は嗜好情報を含み、判定手段が行なう付帯情報と端末情報との関連性の有無の判定は、付帯情報に含まれるキーワードと、端末情報に含まれる嗜好情報との関連性の有無により行なわれる。
【００１５】
好ましくは、キーワードは、第１表示手段に表示されるコンテンツに関連するキーワードである。
【００１６】
好ましくは、付帯情報は、ネットワークアドレスを含み、第２受信手段は、ネットワークからネットワークアドレスに基づく情報を受信し、第２表示手段は、ネットワークアドレスに基づく情報を表示する。
【００１７】
好ましくは、端末情報は、装置を特定するための装置識別情報を含み、第２送信手段は、受信した付帯情報を、装置識別情報により特定される通信端末装置へ送信する。
【００１８】
好ましくは、映像表示装置は、複数種類の付帯情報を記憶する記憶手段と、通信端末装置の操作状況を判定する操作状況判定手段とをさらに備え、第２送信手段は、複数種類の付帯情報のうち、端末情報と関連性のある付帯情報を、所定の時間間隔で、通信端末装置へ送信し、映像表示装置は、操作状況判定手段により判定された操作状況に応じて、所定の時間間隔を変化させる時間間隔変更手段をさらに備える。
【発明の効果】
【００１９】
本発明に係る映像表示システムは、通信端末装置と、映像表示装置とから構成される。映像表示装置は、サービスサーバからコンテンツおよびコンテンツに付帯する付帯情報を受信する。そして、映像表示装置が備える第１表示手段に、受信したコンテンツを表示し、付帯情報を、通信端末装置へ送信する。通信端末装置は、受信した付帯情報に基づく情報を第２表示手段で表示する。
【００２０】
したがって、映像表示装置でコンテンツを表示させた状態で、別の装置である通信端末装置で、コンテンツに付帯する付帯情報に基づく情報を参照することができる。その結果、コンテンツの見易さを損ねることなく、手軽にサービスを享受できるという効果を奏する。
【発明を実施するための最良の形態】
【００２１】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２２】
本発明において取り扱うコンテンツとは、映像、音声、画像などのデジタルデータおよびそれらに関連する付加情報、関連情報などを意図している。もちろん同様の扱い方をするものであれば、デジタルデータに限定されるものではない。また、テレビ放送、インターネット放送、携帯電話網などのネットワークを介して提供できるものであれば、ひとつのコンテンツが複数のネットワークから提供されることも可能である。
【００２３】
＜第１の実施の形態＞
図１は、本実施の形態におけるネットワークシステム１０００の構成を示す図である。図１を参照して、ネットワークシステム１０００には、ホームネットワーク５０１が含まれる。
【００２４】
ホームネットワーク５０１は、たとえば、宅内に設けられたネットワークである。宅内とは、たとえば、ユーザの自宅内、会社内等である。ホームネットワーク５０１には、通信端末装置５００と、映像表示装置６００と、通信部５０とが含まれる。
【００２５】
通信端末装置５００は、ＰＤＡ（Personal Digital Assistance）である。また、通信端末装置５００は、電話の機能を有する。なお、通信端末装置５００は、電話の機能を有していなくてもよい。また、通信端末装置５００は、ＰＤＡに限定されることなく、通信機能を備え、携帯可能な装置であればどのような装置（たとえば、ＰＣ（Personal Computer）、携帯電話）でもよい。
【００２６】
通信端末装置５００は、電話網６０と、無線によりデータ通信可能である。電話網６０は、たとえば、携帯電話のための電話網である。なお、通信端末装置５００は、電話網６０とデータ通信をした場合、データ通信時に使用したデータ量に応じたパケット料金が発生する。
【００２７】
映像表示装置６００は、液晶テレビである。なお、映像表示装置６００は、液晶テレビに限定されることなく、画像を表示可能な装置であればどのような装置であってもよい。映像表示装置６００は、たとえば、プラズマテレビであってもよい。また、映像表示装置６００は、画像を表示するための表示装置と、当該表示装置に表示させるための画像データを送信する画像データ送信装置とから構成される装置であってもよい。画像データ送信装置は、たとえば、ＳＴＢ（Set Top Box）、ＨＤＤレコーダ、ＤＶＤ（Digital Versatile Disc）レコーダ等である。
【００２８】
通信端末装置５００と、映像表示装置６００とは、無線または有線でデータ通信を行なう。すなわち、通信端末装置５００と、映像表示装置６００とから映像表示システムが構成される。
【００２９】
通信部５０は、通信端末装置５００、映像表示装置６００およびネットワーク７０の各々と、データ通信を行なう機能を有する。ネットワーク７０は、インターネットなどの外部のネットワークである。
【００３０】
通信部５０は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５０は、通信端末装置５００、映像表示装置６００およびネットワーク７０の各々と、無線でデータ通信を行なうことが可能である。
【００３１】
また、通信部５０は、さらに、イーサネット（登録商標）を利用した通信用インターフェースの機能（たとえば、ルータ機能）を有する。したがって、通信部５０は、たとえば、ＬＡＮケーブルを介して、通信端末装置５００、映像表示装置６００およびネットワーク７０の各々とデータ通信を行なうことができる。すなわち、通信部５０は、通信端末装置５００、映像表示装置６００およびネットワーク７０の各々と、有線でデータ通信を行なうことが可能である。
【００３２】
また、ネットワーク７０は、電話網６０と、無線または有線によりデータ通信可能である。したがって、通信端末装置５００は、電話網６０を介して、ネットワーク７０とデータ通信可能である。
【００３３】
ネットワークシステム１０００には、さらに、サービスサーバ８００Ａと、検索サーバ８００Ｓと、Ｗｅｂサーバ８００Ｗとが含まれる。
【００３４】
サービスサーバ８００Ａは、コンテンツおよび、コンテンツに関連する情報等を提供するサーバである。コンテンツは、たとえば、動画像、音楽データ等である。コンテンツが、たとえば、番組の動画像である場合、コンテンツに関連する情報とは、たとえば、番組情報である。サービスサーバ８００Ａは、ＰＣである。なお、サービスサーバ８００Ａは、ＰＣに限定されることなく、動画像等のコンテンツ、音楽データ等のコンテンツ、コンテンツに関連する情報等を提供する機能を有した装置であればどのような装置であってもよい。
【００３５】
サービスサーバ８００Ａは、現在の日時から、所定期間（たとえば、２４時間）前の日時までの期間における、全てのチャンネルの全ての番組を録画し、番組を録画した録画データを記憶している。なお、サービスサーバ８００Ａは、現在の日時から、所定期間（たとえば、２４時間）経過後の録画データを自動的に削除する。したがって、サービスサーバ８００Ａには、現在の日時から、所定期間前の日時までの期間における、全てのチャンネルの全ての番組の録画データが記憶されている。なお、サービスサーバ８００Ａは、録画データの配信要求があれば、録画データの配信要求を行なった装置へ、配信要求された録画データを、送信またはストリーミング配信する。
【００３６】
また、サービスサーバ８００Ａは、現在、放送中の番組およびこれから放送予定の動画像データを所定期間（たとえば、２４時間）分予め記憶している。そして、現在、放送中の番組の動画像データの配信要求があれば、動画像データの配信要求を行なった装置へ、配信要求された動画像データをストリーミング配信する。
【００３７】
検索サーバ８００Ｓは、ネットワーク７０に接続された端末装置から、検索情報としてのキーワードを受信すると、受信したキーワードに関連する情報のＷｅｂページのＵＲＬ（Uniform Resource Locator）を検索するサーバである。検索サーバ８００Ｓは、ＰＣである。なお、検索サーバ８００Ｓは、ＰＣに限定されることなく、ネットワーク７０に接続された端末装置からキーワードを受信した場合、受信したキーワードに関連する情報のＷｅｂページのＵＲＬ（Uniform Resource Locator）を検索する機能を有する装置であればどのような装置であってもよい。
【００３８】
Ｗｅｂサーバ８００Ｗは、複数種類の情報の各々に対応する複数のＷｅｂページのデータを提供するサーバである。Ｗｅｂサーバ８００Ｗは、たとえば、映画に関連する情報に対応する複数のＷｅｂページのデータを提供する。Ｗｅｂサーバ８００Ｗは、ＰＣである。なお、Ｗｅｂサーバ８００Ｗは、ＰＣに限定されることなく、複数種類の情報の各々に対応する複数のＷｅｂページのデータを提供する機能を有する装置であればどのような装置であってもよい。
【００３９】
サービスサーバ８００Ａ、検索サーバ８００ＳおよびＷｅｂサーバ８００Ｗの各々は、ネットワーク７０と、無線または有線でデータ通信を行なう。
【００４０】
本実施の形態では、通信部５０は、通信端末装置５００、映像表示装置６００およびネットワーク７０の各々と、高速にデータ通信が可能であるとする。通信部５０は、通信端末装置５００、映像表示装置６００およびネットワーク７０の各々と、たとえば、最大で１００Ｍｂｐｓ（Mega bit per second）の速度でデータ通信が可能であるとする。
【００４１】
また、ネットワーク７０は、通信部５０、電話網６０、サービスサーバ８００Ａ、検索サーバ８００ＳおよびＷｅｂサーバ８００Ｗの各々と、高速にデータ通信が可能であるとする。ネットワーク７０は、通信部５０、電話網６０、サービスサーバ８００Ａ、検索サーバ８００ＳおよびＷｅｂサーバ８００Ｗの各々と、たとえば、最大で１００Ｍｂｐｓの速度でデータ通信が可能であるとする。したがって、たとえば、映像表示装置６００とネットワーク７０とのデータ通信の最大速度は１００Ｍｂｐｓであるとする。また、たとえば、通信端末装置５００とネットワーク７０とのデータ通信の最大速度は１００Ｍｂｐｓであるとする。
【００４２】
なお、通信端末装置５００と電話網６０とのデータ通信の速度は、通信端末装置５００とネットワーク７０とのデータ通信の速度よりも遅いとする。通信端末装置５００と電話網６０とのデータ通信の最大速度は、たとえば、２５６ｋｂｐｓであるとする。
【００４３】
また、通信端末装置５００と映像表示装置６００とのデータ通信の速度は、通信端末装置５００と電話網６０とのデータ通信の速度よりも、十分に速いとする。通信端末装置５００と映像表示装置６００とのデータ通信の最大速度は、たとえば、４Ｍｂｐｓであるとする。
【００４４】
次に、通信端末装置５００について詳細に説明する。
図２は、通信端末装置５００の外観を正面から示した図である。図２を参照して、通信端末装置５００は、表示部５３０と、音声出力部５７０と、ＬＥＤ５７６と、入力部５４０とを備える。
【００４５】
表示部５３０は、文字や画像等を表示する機能を有する。表示部５３０は、ＬＣＤパネル（Liquid Crystal Display Panel）、ＦＥＤパネル（Field Emission Display Panel）および有機ＥＬディスプレイパネル（Organic Electro luminescence Display Panel）のいずれかを使用した装置である。なお、表示部５３０は、上記以外の表示方式のパネルを使用した装置であってもよい。
【００４６】
表示部５３０の解像度は、横４８０（ドット）×縦６４０（ドット）である。なお、表示部５３０の解像度は、横４８０（ドット）×縦６４０（ドット）に限定されることなく、他の解像度（たとえば、横２４０（ドット）×縦３２０（ドット））であってもよい。
【００４７】
また、表示部５３０は、ユーザが、画面に直接触れることで、情報入力可能なタッチパネル機能を有する。表示部５３０は、ユーザが画面にタッチした位置情報を、後述する制御部５１０へ送信する。制御部５１０は、受信した位置情報に基づいて、所定の処理を行なう。
【００４８】
音声出力部５７０は、電話の音声を出力する機能を有する。音声出力部５７０には、音声を出力するスピーカが含まれる。音声出力部５７０は、後述する制御部５１０から受信した音声データに基づく音声をスピーカから出力する。
【００４９】
ＬＥＤ５７６は、通信端末装置５００で行なわれる処理に応じて、光による報知を行なう。たとえば、ＬＥＤ５７６は、電話の着信があった場合、光を点滅させる。
【００５０】
入力部５４０は、ボタン群５４１を含む。ボタン群５４１は、方向ボタン５４１Ａ，５４１Ｂ，５４１Ｃ，５４１Ｄと、決定ボタン５４１Ｅとを含む。方向ボタン５４１Ａ，５４１Ｂ，５４１Ｃ，５４１Ｄは、ユーザによる短時間（たとえば、０．５秒未満）の押下操作（以下、短押操作ともいう）により、表示部５３０に画像が表示されている場合、画像内の移動させる対象となる物（たとえば、カーソル等）を上下左右に移動させるためのボタンである。具体的には、短押操作があった、方向ボタン５４１Ａ，５４１Ｂ，５４１Ｃ，５４１Ｄは、たとえば、カーソルを、それぞれ、上，下，左，右に移動させるためのボタンである。また、ユーザによる長時間（たとえば、一秒以上）の押下操作（以下、長押操作ともいう）により、たとえば画面をそれぞれ、上，下，左，右に画面スクロールすることも可能である。
【００５１】
決定ボタン５４１Ｅは、短押操作により、たとえば、方向ボタン５４１Ａ，５４１Ｂ，５４１Ｃ，５４１Ｄの短押操作により選択された項目等を決定するためのボタンである。
【００５２】
入力部５４０は、さらに、機能ボタン５４２Ａ，５４２Ｂ，５４３Ａ，５４３Ｂを含む。機能ボタン５４２Ａ，５４２Ｂの各々は、短押操作により、たとえば、ユーザにより予め設定されたプログラム等を起動させるためのボタンである。
【００５３】
機能ボタン５４３Ａは、通信端末装置５００に電話がかかってきた場合、短押操作により通話開始を行なうためのボタンである。機能ボタン５４３Ｂは、通信端末装置５００が通話中である場合、短押操作により通話を終了させるためのボタンである。また、機能ボタン５４３Ｂは、ユーザによる長時間（たとえば、１秒以上）の押下操作（以下、長押操作ともいう）により、通信端末装置５００の電源のオンとオフとの切替えを行なうためのボタンである。
【００５４】
入力部５４０は、入力部５４０に含まれる複数のボタンのうち、短押操作または長押操作されたボタンに対応するボタン信号を、後述する制御部５１０へ送信する。すなわち、入力部５４０は、ユーザが通信端末装置５００を操作するためのインターフェースである。以下においては、ユーザによる、入力部５４０の操作または表示部５３０に対するタッチ操作を、インターフェース操作Ｍともいう。
【００５５】
通信端末装置５００は、さらに、音声入力部５７４を備える。音声入力部５７４は、通話のときに、音声を入力する機能を有する。音声入力部５７４には、音声を入力するマイクが含まれる。音声入力部５７４は、マイクにより取得した音声を音声データに変換して、音声データを、通信端末装置５００内の後述する制御部５１０へ送信する。
【００５６】
図３は、通信端末装置５００の外観を左側面から示した図である。図３を参照して、通信端末装置５００は、記録媒体挿入部５５０Ａを備える。記録媒体挿入部５５０Ａは、通信端末装置５００に後述する記録媒体を挿入する部分である。
【００５７】
図４は、通信端末装置５００の外観を背面から示した図である。図４を参照して、通信端末装置５００は、さらに、音声出力部５７２と、撮像部５７８とを備える。音声出力部５７２は、後述する制御部５１０で行なわれる処理に対応した音声を出力する機能を有する。音声出力部５７２には、音声を出力するスピーカが含まれる。音声出力部５７２は、後述する制御部５１０から受信した音声データに基づく音声をスピーカから出力する。
【００５８】
撮像部５７８は、撮像対象となる被写体を撮像する撮像処理を行なう機能を有する。撮像部５７８は、図示しない、撮像レンズ、受光部およびカラーフィルタ部とを含む。受光部は、入力された光を電気信号に変換する機能を有する。受光部は、複数の受光素子から構成される。受光素子は、たとえば、ＣＣＤ（Charge Coupled Device）イメージセンサまたはＣＭＯＳ（Complementary Metal Oxide Semiconductor）イメージセンサ等を使用した素子である。
【００５９】
カラーフィルタ部は、複数のカラーフィルタから構成される。カラーフィルタは、Ｒ、Ｇ、Ｂの各々に対応したフィルタである。複数のカラーフィルタは、複数の受光素子にそれぞれ対応して設けられる。
【００６０】
撮像処理では以下の処理が行なわれる。まず、撮像部５７８が、撮像対象となる被写体に反射されて撮像レンズに入射した光を、カラーフィルタ部を介して、受光部に入力させる。受光部は入力された光を電気信号に変換する。そして、撮像部５７８は、変換した電気信号をデジタルデータ（以下、撮像画像データともいう）に変換する。
【００６１】
図５は、通信端末装置５００の内部構成を示したブロック図である。なお、図５には、説明のために、記録媒体５５５も示している。記録媒体５５５には、後述するプログラム１８０が記録されている。すなわち、プログラム１８０は、媒体等に記録されてプログラム製品として流通される。また、記録媒体５５５もプログラム製品として流通される。
【００６２】
図５を参照して、通信端末装置５００は、さらに、制御部５１０と、一時記憶部５２２と、記憶部５２０とを備える。
【００６３】
記憶部５２０は、データを不揮発的に記憶する機能を有する。記憶部５２０は、制御部５１０によってデータアクセスされる。記憶部５２０は、電源を供給されなくてもデータを不揮発的に保持可能な媒体（たとえば、フラッシュメモリ）である。記憶部５２０には、プログラム１８０、後述する録画データ、その他の各種データ等が記憶されている。プログラム１８０は、後述する、リモコンプログラムを含む。
【００６４】
制御部５１０は、記憶部５２０に記憶されたプログラム１８０に従って、通信端末装置５００内の各部に対する各種処理や、演算処理等を行なう機能を有する。制御部５１０は、マイクロプロセッサ（Microprocessor）、ＦＰＧＡ（Field Programmable Gate Array）、ＡＳＩＣ（Application Specific Integrated Circuit）、ＤＳＰ（Digital Signal Processor）およびその他の演算機能を有する回路のいずれであってもよい。
【００６５】
一時記憶部５２２は、制御部５１０によってデータアクセスされ、一時的にデータを記憶するワークメモリとして使用される。一時記憶部５２２は、ＲＡＭ（Random Access Memory）、ＳＲＡＭ（Static Random Access Memory）、ＤＲＡＭ（Dynamic Random Access Memory）、ＳＤＲＡＭ（Synchronous DRAM）、ＤＤＲ−ＳＤＲＡＭ（Double Data Rate SDRAM）、ＲＤＲＡＭ（Rambus Dynamic Random Access Memory）、Ｄｉｒｅｃｔ−ＲＤＲＡＭ（Direct Rambus Dynamic Random Access Memory）、その他、データを揮発的に記憶保持可能な構成を有する回路のいずれであってもよい。
【００６６】
通信端末装置５００は、さらに、アンテナ５０２と、チューナ５０５と、データ処理部５０７とを備える。
【００６７】
アンテナ５０２は、チューナ５０５と接続されている。チューナ５０５は、制御部５１０により指示された周波数の放送信号を、アンテナ５０２を介して受信する。チューナ５０５は、ディジタル放送およびアナログ放送に基づく放送信号を受信する機能を有する。
【００６８】
放送信号は、画像データ、音声データを含む。なお、放送信号が、ディジタル放送に基づく信号である場合、放送信号は、さらに、テキストデータ、ＥＰＧ（Electric Program Guide）データ、ＢＭＬ（Broadcast Markup Language）データ等が含まれる。ＥＰＧデータは、複数の番組情報を示すデータである。ＢＭＬデータは、画像データ、音声データおよびテキストデータの各々の配置位置や、動作などの制御を行なうためのデータである。チューナ５０５は、受信した放送信号を、データ処理部５０７へ送信する。
【００６９】
データ処理部５０７は、受信した放送信号を復調し、復調データとする。受信した放送信号が、アナログ放送に基づく信号である場合、データ処理部５０７は、以下の処理を行なう。まず、データ処理部５０７は、復調データを、デコード処理し、画像データおよび音声データにする。
【００７０】
そして、データ処理部５０７は、制御部５１０から、表示部５３０に画像を表示させるための表示指示を受信すると、画像データを、後述するＶＤＰ（Video Display Processor）５３２へ送信する。ＶＤＰ５３２は、画像データを受信すると、表示部５３０に画像データに基づく画像（動画像または静止画像）を表示させる。
【００７１】
また、データ処理部５０７は、制御部５１０から、録画処理を行なうための録画指示を受信すると、画像データおよび音声データを圧縮して、録画データとして、記憶部５２０に記憶させる。この場合の録画データを、以下においては、コンテンツともいう。録画データは、ＭＰＥＧ（Moving Picture Experts Group）４形式で圧縮されたデータである。なお、録画データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７２】
また、受信した放送信号が、ディジタル放送に基づく信号である場合、データ処理部５０７は、以下の処理を行なう。まず、データ処理部５０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ４形式で圧縮されたデータである。なお、デコードデータに含まれる、画像データおよび音声データは、ＭＰＥＧ４形式で圧縮されたデータに限定されることなく、他の形式で圧縮されたデータであってもよい。ここで、他の形式とは、たとえば、ＭＰＥＧ１、ＭＰＥＧ２、Ｈ．２６４等の形式である。
【００７３】
そして、データ処理部５０７は、制御部５１０から、表示部５３０に画像を表示させるための表示指示を受信すると、表示指示により指定されたチャンネルのデコードデータに含まれる画像データを、後述するＶＤＰ５３２へ送信する。ＶＤＰ５３２は、画像データを受信すると、表示部５３０に画像データに基づく画像（動画像または静止画像）を表示させる。
【００７４】
また、データ処理部５０７は、制御部５１０から、録画処理を行なうための録画指示を受信すると、録画指示により指定されたチャンネルのデコードデータを、録画データとして、記憶部５２０に記憶させる。この場合の録画データを、以下においては、コンテンツともいう。この場合、録画データには、画像データ、音声データ、テキストデータおよびＢＭＬデータが含まれる。
【００７５】
通信端末装置５００は、さらに、ＶＤＰ５３２と、ＣＧＲＯＭ（Character Graphic Read Only Memory）５３４と、ＶＲＡＭ（Video Random Access Memory）５３６とを備える。
【００７６】
ＣＧＲＯＭ５３４には、フォントデータ、図形データ等が記憶されている。ＶＲＡＭ５３６は、画像データを一時的に記憶する機能を有する。
【００７７】
制御部５１０は、記憶部５２０に記憶されたプログラム１８０に従って、ＶＤＰ５３２に対し、描画指示を出す。描画指示とは、画像を生成し、当該画像を表示部５３０に表示させる指示である。
【００７８】
ＶＤＰ５３２は表示部５３０と接続されている。ＶＤＰ５３２は、制御部５１０からの描画指示に応じて、ＣＧＲＯＭ５３４から必要なデータを読出し、ＶＲＡＭ５３６を利用して画像を生成する。そして、ＶＤＰ５３２は、ＶＲＡＭ５３６に記憶された画像データを読出し、表示部５３０に、当該画像データに基づく画像を表示させる。
【００７９】
通信端末装置５００は、さらに、入力部５４０と、記録媒体アクセス部５５０を備える。
【００８０】
制御部５１０は、入力部５４０に含まれる、前述した複数のボタンのうち、短押操作または長押操作があったボタンに対応するボタン信号を、入力部５４０から受信する。制御部５１０は、受信したボタン信号に応じた処理を行なう。
【００８１】
記録媒体アクセス部５５０は、記録媒体５５５が前述の記録媒体挿入部５５０Ａから通信端末装置５００に挿入（装着）されると、記録媒体５５５にデータアクセス可能となる。これにより、記録媒体アクセス部５５０は、プログラム１８０が記録された記録媒体５５５から、プログラム１８０を読出すことが可能となる。
【００８２】
記録媒体５５５に記憶されているプログラム１８０は、制御部５１０のインストール処理により、記録媒体アクセス部５５０により読出され、制御部５１０が、プログラム１８０を、記憶部５２０に記憶させる。このインストール処理用プログラムは、予め、記憶部５２０に格納されており、インストール処理は、制御部５１０が、インストール処理用プログラムに基づいて行なう。
【００８３】
なお、記憶部５２０には、プログラム１８０がインストールされていなくてもよい。この場合、制御部５１０は、記録媒体アクセス部５５０を介して、記録媒体５５５に記憶されたプログラム１８０を読出して、プログラム１８０に基づいた所定の処理を行なう。記録媒体５５５には、さらに、コンテンツデータ等も記録されている。コンテンツデータは、たとえば、音楽データ、動画像データ等である。
【００８４】
記録媒体５５５は、フロッピー（登録商標）ディスク、ＣＦ(Compact Flash) カード、ＳＭ（Smart Media（登録商標））、ＭＭＣ（Multi Media Card）、ＳＤ（Secure Digital）メモリーカード、メモリースティック（登録商標）、ｘＤピクチャーカードおよび上記以外の不揮発性メモリ、ＨＤＤ（Hard Disk Drive）などの磁気記憶媒体のいずれであってもよい。
【００８５】
通信端末装置５００は、さらに、通信部５６０と、通信部５６２とを備える。
通信部５６０は、制御部５１０とデータの送受信を行なう。また、通信部５６０は、映像表示装置６００と有線または無線で、データの送受信を行なう機能を有する。
【００８６】
通信部５６０は、ＵＳＢ（Universal Serial Bus）１．１またはＵＳＢ２．０の規格に基づく、シリアル転送を行なう通信用インターフェースの機能を有する。なお、シリアル転送を行なう通信用インターフェースの規格は、ＵＳＢ１．１またはＵＳＢ２．０に限定されることなく他の規格であってもよい。
【００８７】
なお、通信部５６０は、パラレル転送を行なう通信用インターフェースの機能を有していてもよい。パラレル転送を行なう通信用インターフェースは、たとえば、セントロニクス準拠の規格またはＩＥＥＥ１２８４（Institute of Electrical and Electronic Engineers 1284）の規格に準拠したインターフェースである。また、通信部５６０は、ＩＥＥＥ１３９４またはＳＣＳＩ規格に基づく通信用インターフェースの機能を有していてもよい。
【００８８】
また、通信部５６０は、さらに、無線データ通信機能を有する。無線データ通信機能は、ブルートゥース（Bluetooth（登録商標））を使用して、無線でデータ通信を行なう機能を有する。なお、無線データ通信は、ブルートゥースを使用した方式に限定されることなく、たとえば、赤外線等を使用した他の通信方式であってもよい。通信部５６０は、制御部５１０からの制御指示に応じて、映像表示装置６００と無線でデータ通信を行なう。
【００８９】
通信部５６２は、制御部５１０と、データの送受信を行なう。通信部５６２は、無線ＬＡＮの規格である、ＩＥＥＥ８０２．１１ａ、ＩＥＥＥ８０２．１１ｂおよびＩＥＥＥ８０２．１１ｇのいずれかに基づく無線技術を利用してデータ通信を行なう機能を有する。なお、無線技術は、ＩＥＥＥ８０２．１１ａ、ＩＥＥＥ８０２．１１ｂおよびＩＥＥＥ８０２．１１ｇのいずれかに基づく技術に限定されることはなく、その他の無線技術であってもよい。したがって、通信部５６２は、無線により、通信部５０とデータ通信を行なうことができる。
【００９０】
また、通信部５６２は、さらに、イーサネット（登録商標）を利用した通信用インターフェースの機能を有する。したがって、通信部５６２は、たとえば、ＬＡＮケーブルを介して、通信部５０とデータ通信を行なうことができる。
【００９１】
したがって、本実施の形態における通信端末装置５００は、ネットワーク７０から、通信部５０および通信部５６２を介して、プログラムのダウンロード処理を行ない、記憶部５２０に格納することもできる。この場合、当該ダウンロードしたプログラムは、プログラム１８０である。
【００９２】
制御部５１０は、ネットワーク７０からダウンロードしたプログラム（プログラム１８０）に従って、所定の処理を行なう。このダウンロード用プログラムは、予め、記憶部５２０に格納されており、ダウンロード処理は、制御部５１０が、ダウンロード用プログラムに基づいて行なう。
【００９３】
通信端末装置５００は、さらに、アンテナ５６４と、通信部５６６とを備える。
アンテナ５６４は、通信部５６６と接続されている。通信部５６６は、アンテナ５６４を利用して、無線通信信号を送受信する機能を有する。通信部５６６は、制御部５１０により指示された周波数の無線通信信号を、アンテナ５６４を介して受信する。無線通信信号は、音声データ、文字データおよび画像データ等を含む信号である。
【００９４】
通信部５６６は、アンテナ５６４を利用して、無線通信信号により、図示しない最寄の基地局と通信を行なう。最寄の基地局は、電話網６０と通信を行なうことができる。したがって、通信部５６６は、アンテナ５６４を利用して、無線通信信号により、最寄の基地局を介して、電話網６０と通信を行なう。通信部５６６は、無線通信信号を受信した場合、当該無線通信信号を復調し、復調した無線通信信号に基づくデータを、制御部５１０へ送信する。また、通信部５６６は、無線通信信号を送信する場合、制御部５１０からデータ（たとえば、音声データ）を受信し、当該データを、所定のプロトコルに基づいて、無線通信信号に変換する。そして、通信部５６６は、アンテナ５６４を利用して、変換した無線通信信号を、図示しない最寄の基地局を介して、電話網６０へ送信する。
【００９５】
通信部５６６は、最寄の基地局と通信を行なうことで、基地局の位置を示す情報（以下、基地局位置情報ともいう）も取得可能である。通信部５６６は、制御部５１０からの制御指示に応じて、取得した基地局位置情報を、制御部５１０へ送信する。制御部５１０は、受信した基地局位置情報に基づいて、通信端末装置５００の位置を大まかに把握することができる。
【００９６】
また、通信部５６６は、ＧＰＳ（Global Positioning System）機能を有する。ＧＰＳ（Global Positioning System）機能とは、人口衛星と通信して、通信端末装置５００の位置（緯度、経度、高度等に基づく位置）の情報（以下、ＧＰＳ位置情報ともいう）を取得する機能である。通信部５６６は、制御部５１０からの制御指示に応じて、ＧＰＳ位置情報を取得し、制御部５１０へ送信する。
【００９７】
制御部５１０は、前述した音声出力部５７０，５７２、音声入力部５７４とデータ通信する。
【００９８】
制御部５１０が、音声データを音声出力部５７０へ送信すると、音声出力部５７０は、制御部５１０から受信した音声データに基づく音声をスピーカから出力する。制御部５１０が、音声データを音声出力部５７２へ送信すると、音声出力部５７２は、制御部５１０から受信した音声データに基づく音声をスピーカから出力する。
【００９９】
ユーザが音声入力部５７４に含まれるマイクに対して音声を発すると、音声入力部５７４は、マイクにより取得した音声を音声データに変換して、音声データを、制御部５１０へ送信する。
【０１００】
制御部５１０は、前述したＬＥＤ５７６、撮像部５７８とデータ通信する。ＬＥＤ５７６は、制御部５１０からの制御指示に基づいて、光を発する。
【０１０１】
撮像部５７８は、制御部５１０からの制御指示に基づいて、前述の撮像処理を行ない、撮像画像データを制御部５１０へ送信する。制御部５１０は、撮像画像データを受信すると、撮像画像データを、一時記憶部５２２、記憶部５２０および記録媒体５５５のいずれかに記憶させる。
【０１０２】
通信端末装置５００は、さらに、振動部５７９を備える。振動部５７９は、制御部５１０からの制御指示に基づいて、通信端末装置５００を振動させる機能を有する。振動部５７９は、たとえば、電話の着信、電子メールの受信時に、制御部５１０からの制御指示に基づいて、通信端末装置５００を振動させる。
【０１０３】
次に、映像表示装置６００について詳細に説明する。
図６は、映像表示装置６００の外観を正面から示した図である。図６を参照して、映像表示装置６００は、表示部６３０と、音声出力部６７０とを備える。
【０１０４】
表示部６３０は、文字や画像等を表示する機能を有する。表示部６３０は、ＬＣＤパネル、ＣＲＴ（Cathode Ray Tube）、ＦＥＤパネル、ＰＤＰ（Plasma Display Panel）および有機ＥＬディスプレイパネルのいずれかを使用した装置である。なお、表示部６３０は、上記以外の表示方式のパネルを使用した装置であってもよい。表示部６３０の解像度は、表示部５３０の解像度より大きい。たとえば、表示部６３０の解像度は、ＰＣの画像が表示できる横１３６６（ドット）×縦７６８（ドット）の解像度である。なお、表示部６３０の解像度は、横１３６６（ドット）×縦７６８（ドット）に限定されることなく、他の解像度（たとえば、１０２４×７６８）であってもよい。表示部６３０の映像を表示する部分のアスペクト比は１６：９である。なお、アスペクト比は１６：９に限定されることなく、たとえば、４：３であってもよい。
【０１０５】
音声出力部６７０は、後述する制御部６１０で行なわれる処理に対応した音声を出力する機能を有する。音声出力部６７０には、音声を出力するスピーカが含まれる。音声出力部６７０は、後述する制御部６１０から受信した音声データに基づく音声をスピーカから出力する。
【０１０６】
図７は、映像表示装置６００の内部構成を示したブロック図である。なお、図７には、説明のために、記録媒体５５５Ａも示している。記録媒体５５５Ａには、後述するプログラム１８０Ａが記録されている。すなわち、プログラム１８０Ａは、媒体等に記録されてプログラム製品として流通される。また、記録媒体５５５Ａもプログラム製品として流通される。
【０１０７】
図７を参照して、映像表示装置６００は、さらに、制御部６１０と、一時記憶部６２２と、記憶部６２０とを備える。
【０１０８】
記憶部６２０は、データを不揮発的に記憶する機能を有する。記憶部６２０は、制御部６１０によってデータアクセスされる。記憶部６２０は、大容量のデータを記憶可能なハードディスクである。なお、記憶部６２０は、ハードディスクに限定されることなく、電源を供給されなくてもデータを不揮発的に保持可能な媒体（たとえば、フラッシュメモリ）であればよい。記憶部６２０には、プログラム１８０Ａ、後述する録画データ、その他の各種データ等が記憶されている。
【０１０９】
制御部６１０は、記憶部６２０に記憶されたプログラム１８０Ａに従って、映像表示装置６００内の各部に対する各種処理や、演算処理等を行なう機能を有する。制御部６１０は、前述の制御部５１０と同様なものであるので詳細な説明は繰り返さない。
【０１１０】
一時記憶部６２２は、制御部６１０によってデータアクセスされ、一時的にデータを記憶するワークメモリとして使用される。一時記憶部６２２は、前述の一時記憶部５２２と同様なものであるので詳細な説明は繰り返さない。
【０１１１】
映像表示装置６００は、さらに、アンテナ６０２と、チューナ６０５と、データ処理部６０７とを備える。
【０１１２】
アンテナ６０２は、チューナ６０５と接続されている。チューナ６０５は、制御部６１０により指示された周波数の放送信号を、アンテナ６０２を介して受信する。チューナ６０５は、ディジタル放送およびアナログ放送に基づく放送信号を受信する機能を有する。
【０１１３】
放送信号は、画像データ、音声データを含む。なお、放送信号が、ディジタル放送に基づく信号である場合、放送信号は、さらに、テキストデータ、ＥＰＧデータ、前述したＢＭＬデータ等が含まれる。チューナ６０５は、受信した放送信号を、データ処理部６０７へ送信する。
【０１１４】
データ処理部６０７は、受信した放送信号を復調し、復調データとする。受信した放送信号が、アナログ放送に基づく信号である場合、データ処理部６０７は、以下の処理を行なう。まず、データ処理部６０７は、復調データを、デコード処理し、画像データおよび音声データにする。
【０１１５】
そして、データ処理部６０７は、制御部６１０から、表示部６３０に画像を表示させるための表示指示を受信すると、画像データを、後述するＶＤＰ６３２へ送信する。ＶＤＰ６３２は、画像データを受信すると、表示部６３０に画像データに基づく画像（動画像または静止画像）を表示させる。
【０１１６】
また、データ処理部６０７は、制御部６１０から、録画処理を行なうための録画指示を受信すると、画像データおよび音声データを圧縮して、録画データとして、記憶部６２０に記憶させる。録画データは、ＭＰＥＧ２形式で圧縮されたデータである。なお、録画データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１７】
また、受信した放送信号が、ディジタル放送に基づく信号である場合、データ処理部６０７は、以下の処理を行なう。まず、データ処理部６０７は、復調データを、ディジタル放送のプロトコルに基づいてデコード処理し、デコードデータにする。デコードデータには、画像データ、音声データ、テキストデータ、ＥＰＧデータ、ＢＭＬデータが含まれる。デコードデータに含まれる、画像データおよび音声データは、ＭＰＥＧ２形式で圧縮されたデータである。なお、デコードデータに含まれる、画像データおよび音声データは、ＭＰＥＧ２形式で圧縮されたデータに限定されることなく、他の形式で圧縮されたデータであってもよい。ここで、他の形式とは、たとえば、ＭＰＥＧ１、Ｈ．２６４等の形式である。
【０１１８】
そして、データ処理部６０７は、制御部６１０から、表示部６３０に画像データを表示させるための表示指示を受信すると、表示指示により指定されたチャンネルのデコードデータに含まれる画像データを、後述するＶＤＰ６３２へ送信する。ＶＤＰ６３２は、画像データを受信すると、表示部６３０に画像データに基づく画像（動画像または静止画像）を表示させる。
【０１１９】
以下においては、チューナ６０５が受信した放送信号に基づく画像であって、かつ、表示部６３０に表示される画像を、ＴＶ画像ともいう。なお、映像表示装置６００を操作するための後述するリモコン３００に設けられる、“１”〜“１２”の数字ボタンの押下操作で、直接、選局可能なＴＶ画像のチャンネルの種類の数は、最大で１２個であるとする。当然のことながら、リモコン３００に設けられる数字ボタンの数が多ければ多いほど、直接、選局可能なＴＶ画像のチャンネルの種類の数は多くなる。
【０１２０】
リモコン３００の“１”〜“１２”の数字ボタンには、それぞれ、“１”〜“１２”のリモコンチャンネル番号が設定される。たとえば、“３”の数字ボタンには、リモコンチャンネル番号“３”が設定される。また、１つのリモコンチャンネル番号には、１つのＴＶ画像のチャンネルを登録可能である。たとえば、リモコンチャンネル番号“１”に対し、ＴＶ画像のチャンネル番号“８”が登録されているとする。この場合、リモコン３００の“１”の数字ボタンが、ユーザにより押下処理されることにより、リモコン３００から、チャンネル番号“８”のＴＶ画像を選局するためのリモコン信号が、映像表示装置６００へ送信される。
【０１２１】
なお、映像表示装置６００は、複数種類のＴＶ画像を同時に、表示部６３０に表示する機能を有する。また、映像表示装置６００は、ＴＶ画像と、他の種類の画像とを同時に、表示部６３０に表示する機能を有する。
【０１２２】
また、データ処理部６０７は、制御部６１０から、録画処理を行なうための録画指示を受信すると、録画指示により指定されたチャンネルのデコードデータを、録画データとして、記憶部６２０に記憶させる。この場合の録画データを、以下においては、コンテンツともいう。この場合、録画データには、画像データ、音声データ、テキストデータおよびＢＭＬデータが含まれる。
【０１２３】
映像表示装置６００は、さらに、ＶＤＰ６３２と、ＣＧＲＯＭ６３４と、ＶＲＡＭ６３６とを備える。
【０１２４】
ＣＧＲＯＭ６３４には、ＣＧＲＯＭ５３４と同様、フォントデータ、図形データ等が記憶されている。ＶＲＡＭ６３６は、画像データを一時的に記憶する機能を有する。
【０１２５】
制御部６１０は、記憶部６２０に記憶されたプログラム１８０Ａに従って、ＶＤＰ６３２に対し、描画指示を出す。描画指示とは、画像を生成し、当該画像を表示部６３０に表示させる指示である。
【０１２６】
ＶＤＰ６３２は表示部６３０と接続されている。ＶＤＰ６３２は、制御部６１０からの描画指示に応じて、ＣＧＲＯＭ６３４から必要なデータを読出し、ＶＲＡＭ６３６を利用して画像を生成する。そして、ＶＤＰ６３２は、ＶＲＡＭ６３６に記憶された画像データを読出し、表示部６３０に、当該画像データに基づく画像を表示させる。
【０１２７】
映像表示装置６００は、さらに、入力部６４０と、記録媒体アクセス部６５０とを備える。
【０１２８】
入力部６４０は、図示されない複数のボタンを含む。複数のボタンは、映像表示装置６００の外部に設けられている。複数のボタンのうち、いずれかのボタンがユーザにより押下操作されると、入力部６４０は、押下操作されたボタンに対応するボタン信号を、制御部６１０へ送信する。制御部６１０は、受信したボタン信号に基づいて、所定の処理を行なう。以下においては、ユーザによる、入力部６４０のボタン操作を、インターフェース操作Ｔともいう。
【０１２９】
記録媒体アクセス部６５０は、プログラム１８０Ａが記録された記録媒体５５５Ａから、プログラム１８０Ａを読出す機能を有する。記録媒体５５５Ａに記憶されているプログラム１８０Ａは、制御部６１０のインストール処理により、記録媒体アクセス部６５０により読出され、制御部６１０が、プログラム１８０Ａを、記憶部６２０に記憶させる。このインストール処理用プログラムは、予め、記憶部６２０に格納されており、インストール処理は、制御部６１０が、インストール処理用プログラムに基づいて行なう。
【０１３０】
なお、記憶部６２０には、プログラム１８０Ａがインストールされていなくてもよい。この場合、制御部６１０は、記録媒体アクセス部６５０を介して、記録媒体５５５Ａに記憶されたプログラム１８０Ａを読出して、プログラム１８０Ａに基づいた所定の処理を行なう。記録媒体５５５Ａには、さらに、コンテンツデータ等も記録されている。コンテンツデータは、たとえば、音楽データ、動画像データ等である。
【０１３１】
記録媒体５５５Ａは、ＢＤ（Blu-ray Disc）、ＨＤ−ＤＶＤ（High-Definition Digital Versatile Disc）、ＤＶＤ−ＲＯＭ（Digital Versatile Disk Read Only Memory）、ＤＶＤ−Ｒ（Digital Versatile Disk Recordable）、ＤＶＤ−ＲＡＭ（Digital Versatile Disk Random Access Memory）、ＤＶＤ＋ＲＷ（Digital Versatile Disk Re-Writable）、ＤＶＤ−ＲＷ、ＣＤ−ＲＯＭ（Compact Disk Read Only Memory）、ＭＯ（Magneto Optical Disk）、フロッピー（登録商標）ディスク、ＣＦカード、ＳＭ（Smart Media（登録商標））、ＭＭＣ、ＳＤメモリーカード、メモリースティック（登録商標）、ｘＤピクチャーカード、ＵＳＢメモリ、磁気テープおよび上記以外の不揮発性メモリのいずれであってもよい。
【０１３２】
映像表示装置６００は、さらに、通信部６６０と、通信部６６２とを備える。
通信部６６０は、制御部６１０とデータの送受信を行なう。また、通信部６６０は、通信端末装置５００と有線または無線で、データの送受信を行なう機能を有する。なお、通信部６６０は、前述の通信部５６０と同様な構成および機能を有するので詳細な説明は繰り返さない。
【０１３３】
通信部６６２は、制御部６１０と、データの送受信を行なう。通信部６６２は、前述の通信部５６２と同様な構成および機能を有するので詳細な説明は繰り返さない。したがって、通信部６６２は、無線により、通信部５０とデータ通信を行なうことができる。また、通信部６６２は、たとえば、ＬＡＮケーブルを介して、通信部５０とデータ通信を行なうことができる。
【０１３４】
したがって、本実施の形態における映像表示装置６００は、ネットワーク７０から、通信部５０および通信部６６２を介して、プログラムのダウンロード処理を行ない、記憶部６２０に格納することもできる。この場合、当該ダウンロードしたプログラムは、プログラム１８０Ａである。
【０１３５】
制御部６１０は、ネットワーク７０からダウンロードしたプログラム（プログラム１８０Ａ）に従って、所定の処理を行なう。このダウンロード用プログラムは、予め、記憶部６２０に格納されており、ダウンロード処理は、制御部６１０が、ダウンロード用プログラムに基づいて行なう。
【０１３６】
映像表示装置６００は、さらに、リモコン信号受信部６８０を備える。リモコン信号受信部６８０は、リモコン（リモートコントローラー）３００から出力される、映像表示装置６００を操作するためのリモコン信号を受信する機能を有する。リモコン信号受信部６８０は、受信したリモコン信号を制御部６１０へ送信する。制御部６１０は、受信したリモコン信号に応じて、対応する処理を行なう。なお、リモコン３００には、前述したように、ＴＶ画像を選局するための“１”〜“１２”の数字ボタンが設けられる。以下においては、ユーザによる、リモコン３００の操作も、インターフェース操作Ｔともいう。
【０１３７】
なお、前述した通信端末装置５００がリモコン３００の機能を有することも想定でき、通信端末装置５００、リモコン３００は、２つが存在する場合、および一方のみしか存在しない場合なども想定できる。
【０１３８】
制御部６１０は、前述した音声出力部６７０とデータ通信する。制御部６１０が、音声データを音声出力部６７０へ送信すると、音声出力部６７０は、制御部６１０から受信した音声データに基づく音声をスピーカから出力する。
【０１３９】
図８は、サービスサーバ８００Ａの内部構成を示したブロック図である。図８を参照して、サービスサーバ８００Ａは、表示部８３０と、制御部８１０と、一時記憶部８２２と、記憶部８２０とを備える。
【０１４０】
表示部８３０は、文字や画像等を表示する機能を有する。表示部８３０は、前述の表示部６３０と同様なものであるので詳細な説明は繰り返さない。
【０１４１】
記憶部８２０は、データを不揮発的に記憶する機能を有する。記憶部８２０は、制御部８１０によってデータアクセスされる。記憶部８２０は、大容量のデータを記憶可能なハードディスクである。なお、記憶部８２０は、ハードディスクに限定されることなく、電源を供給されなくてもデータを不揮発的に保持可能な媒体（たとえば、フラッシュメモリ）であればよい。記憶部８２０には、プログラム１８０Ｂ、録画データ、コンテンツデータ、その他の各種データ等が記憶されている。
【０１４２】
制御部８１０は、記憶部８２０に記憶されたプログラム１８０Ｂに従って、サービスサーバ８００Ａ内の各部に対する各種処理や、演算処理等を行なう機能を有する。制御部８１０は、前述の制御部５１０と同様なものであるので詳細な説明は繰り返さない。
【０１４３】
一時記憶部８２２は、制御部８１０によってデータアクセスされ、一時的にデータを記憶するワークメモリとして使用される。一時記憶部８２２は、前述の一時記憶部５２２と同様なものであるので詳細な説明は繰り返さない。
【０１４４】
サービスサーバ８００Ａは、さらに、ＶＤＰ８３２と、ＣＧＲＯＭ８３４と、ＶＲＡＭ８３６とを備える。
【０１４５】
ＣＧＲＯＭ８３４には、ＣＧＲＯＭ５３４と同様、フォントデータ、図形データ等が記憶されている。ＶＲＡＭ８３６は、画像データを一時的に記憶する機能を有する。
【０１４６】
制御部８１０は、記憶部８２０に記憶されたプログラム１８０Ｂに従って、ＶＤＰ８３２に対し、描画指示を出す。描画指示とは、画像を生成し、当該画像を表示部８３０に表示させる指示である。
【０１４７】
ＶＤＰ８３２は表示部８３０と接続されている。ＶＤＰ８３２は、制御部８１０からの描画指示に応じて、ＣＧＲＯＭ８３４から必要なデータを読出し、ＶＲＡＭ８３６を利用して画像を生成する。そして、ＶＤＰ８３２は、ＶＲＡＭ８３６に記憶された画像データを読出し、表示部８３０に、当該画像データに基づく画像を表示させる。
【０１４８】
サービスサーバ８００Ａは、さらに、入力部８４０を備える。
入力部８４０には、マウス８４２と、キーボード８４４とが接続されている。ユーザは、マウス８４２またはキーボード８４４を利用して、サービスサーバ８００Ａに指示を与える。マウス８４２またはキーボード８４４からの入力指示は、入力部８４０を介して制御部８１０へ送信される。制御部８１０は、入力部８４０からの入力指示に基づいて所定の処理を行なう。
【０１４９】
サービスサーバ８００Ａは、さらに、通信部８６０と、通信部８６２とを備える。
通信部８６０は、制御部８１０とデータの送受信を行なう。また、通信部８６０は、図示しない他の装置と有線または無線で、データの送受信を行なう機能を有する。なお、通信部８６０は、前述の通信部５６０と同様な構成および機能を有するので詳細な説明は繰り返さない。
【０１５０】
通信部８６２は、制御部８１０と、データの送受信を行なう。通信部８６２は、前述の通信部５６２と同様な構成および機能を有するので詳細な説明は繰り返さない。したがって、通信部８６２は、無線により、ネットワーク７０とデータ通信を行なうことができる。また、通信部８６２は、たとえば、ＬＡＮケーブルを介して、ネットワーク７０とデータ通信を行なうことができる。
【０１５１】
なお、検索サーバ８００ＳおよびＷｅｂサーバ８００Ｗの各々も、前述したサービスサーバ８００Ａと同様な構成を有するので詳細な説明は繰り返さない。
【０１５２】
次に、通信端末装置５００を、映像表示装置６００を操作するためのリモコン（以下、表示装置リモコンともいう）として使用するための処理について説明する。インターフェース操作Ｍにより、制御部５１０がプログラム１８０のリモコンプログラムを実行すると、通信端末装置５００を、表示装置リモコンとして使用することが可能となる。この場合、表示部５３０には、以下のリモコン画像ＭＧ１００が表示される。
【０１５３】
図９は、一例としてのリモコン画像ＭＧ１００を示す図である。図９を参照して、リモコン画像ＭＧ１００には、ボタン画像ＭＢＧ１１０，ＭＢＧ１２０，ＭＢＧ１３０が配置される
ボタン画像ＭＢＧ１１０，ＭＢＧ１２０，ＭＢＧ１３０の各々は、インターフェース操作Ｍにより、押下処理されることで、制御部５１０が、後述の対応するリモコン信号を、通信部５６０を利用して、映像表示装置６００へ送信するためのボタン画像である。
【０１５４】
ボタン画像ＭＢＧ１１０は、インターフェース操作Ｍにより、押下処理されることで、電源リモコン信号を、映像表示装置６００へ送信するためのボタン画像である。ここで、映像表示装置６００は、待機モードを有する。待機モードとは、表示部６３０に画像を表示させるための電源がオフであるために、表示部６３０が画像を表示できない状態であって、主電源がオフでない状態である。すなわち、待機モードとは、表示部６３０に画像が表示されていない状態であって、主電源がオフでない状態である。以下においては、表示部６３０に画像を表示させるための電源を画像表示電源ともいう。
【０１５５】
したがって、映像表示装置６００が待機モードの場合、電源リモコン信号を受信することにより、画像表示電源がオンされることにより、表示部６３０に画像を表示させることができる。なお、以下においては、画像表示電源がオンの状態の映像表示装置６００を通常モードともいう。すなわち、電源リモコン信号は、映像表示装置６００において、待機モードと、通常モードとを切替えるためのリモコン信号である。
【０１５６】
ボタン画像ＭＢＧ１２０は、インターフェース操作Ｍにより、押下処理されることで、番組表表示リモコン信号を、映像表示装置６００へ送信するためのボタン画像である。番組表表示リモコン信号は、映像表示装置６００の表示部６３０に、後述する番組表画像を表示させるためのリモコン信号である。
【０１５７】
ボタン画像ＭＢＧ１３０は、インターフェース操作Ｍにより、押下処理されることで、メニュー表示リモコン信号を、映像表示装置６００へ送信するためのボタン画像である。メニュー表示リモコン信号は、映像表示装置６００の表示部６３０に、後述するメニュー画像を表示させるためのリモコン信号である。
【０１５８】
リモコン画像ＭＧ１００には、さらに、ボタン画像ＭＢＧ１４２，ＭＢＧ１４４，ＭＢＧ１５２，ＭＢＧ１５４が配置される。ボタン画像ＭＢＧ１４２，ＭＢＧ１４４，ＭＢＧ１５２，ＭＢＧ１５４の各々は、インターフェース操作Ｍにより、押下処理されることで、制御部５１０が、後述の対応するリモコン信号を、通信部５６０を利用して、映像表示装置６００へ送信するためのボタン画像である。
【０１５９】
ボタン画像ＭＢＧ１４２は、インターフェース操作Ｍにより、押下処理されることで、音量アップリモコン信号を、映像表示装置６００へ送信するためのボタン画像である。音量アップリモコン信号は、映像表示装置６００の音声出力部６７０から出力される音声を大きくさせるためのリモコン信号である。ボタン画像ＭＢＧ１４４は、インターフェース操作Ｍにより、押下処理されることで、音量ダウンリモコン信号を、映像表示装置６００へ送信するためのボタン画像である。音量ダウンリモコン信号は、映像表示装置６００の音声出力部６７０から出力される音声を小さくさせるためのリモコン信号である。
【０１６０】
ボタン画像ＭＢＧ１５２は、インターフェース操作Ｍにより、押下処理されることで、チャンネルプラスリモコン信号を、映像表示装置６００へ送信するためのボタン画像である。チャンネルプラスリモコン信号は、映像表示装置６００の表示部６３０にＴＶ画像が表示されている場合に、前述のリモコンチャンネル番号を１インクリメントさせるためのリモコン信号である。なお、リモコンチャンネル番号が“１２”の場合に、上記の１インクリメントされる処理が行なわれた場合、リモコンチャンネル番号は、“１”になる。
【０１６１】
ボタン画像ＭＢＧ１５４は、インターフェース操作Ｍにより、押下処理されることで、チャンネルマイナスリモコン信号を、映像表示装置６００へ送信するためのボタン画像である。チャンネルマイナスリモコン信号は、映像表示装置６００の表示部６３０にＴＶ画像が表示されている場合に、前述のリモコンチャンネル番号を１デクリメントさせるためのリモコン信号である。なお、リモコンチャンネル番号が“１”の場合に、上記の１デクリメントされる処理が行なわれた場合、リモコンチャンネル番号は、“１２”になる。
【０１６２】
リモコン画像ＭＧ１００には、さらに、ボタン画像ＭＢＧ１７０，ＭＢＧ１８０が配置される。ボタン画像ＭＢＧ１７０，ＭＢＧ１８０の各々は、インターフェース操作Ｍにより、押下処理されることで、制御部５１０が、後述の対応するリモコン信号を、通信部５６０を利用して、映像表示装置６００へ送信するためのボタン画像である。
【０１６３】
ボタン画像ＭＢＧ１７０は、インターフェース操作Ｍにより、押下処理されることで、設定画像表示リモコン信号を、映像表示装置６００へ送信するためのボタン画像である。設定画像表示リモコン信号は、映像表示装置６００の表示部６３０に、後述する設定画像を表示させるためのリモコン信号である。ボタン画像ＭＢＧ１８０は、インターフェース操作Ｍにより、押下処理されることで、詳細リモコン画像表示リモコン信号を、映像表示装置６００へ送信するためのボタン画像である。詳細リモコン画像表示リモコン信号は、映像表示装置６００の表示部６３０に、詳細リモコン画像を表示させるためのリモコン信号である。詳細リモコン画像とは、映像表示装置６００に対し頻繁に使用されるリモコン信号以外のリモコン信号を、映像表示装置６００へ送信するための画像である。
【０１６４】
以下においては、通信端末装置５００が、映像表示装置６００へリモコン信号を送信することで映像表示装置６００を操作可能な場合における、通信端末装置５００の動作モードを、リモコンモードともいう。
【０１６５】
次に、映像表示装置６００が、サービスサーバ８００Ａからコンテンツを受信するための処理（以下、コンテンツ取扱い処理ともいう）について説明する。
【０１６６】
本実施の形態では、コンテンツ取扱い処理が行なわれる前に、通信端末装置５００において、以下のユーザ情報登録処理が行なわているとする。ユーザ情報登録処理は、インターフェース操作Ｍにより、制御部５１０が、プログラム１８０に含まれるユーザ情報登録プログラムを実行することにより行なわれる処理である。
【０１６７】
ユーザ情報登録処理では、制御部５１０が、表示部５３０に、ユーザ情報を入力するためのユーザ情報入力画像を表示させる。そして、インターフェース操作Ｍにより、ユーザ情報が入力され、入力したユーザ情報を登録するための処理が行なわれると、制御部５１０は、以下のユーザ情報データＤ１００を、記憶部５２０に記憶させる。以上により、ユーザ情報登録処理は終了する。
【０１６８】
図１０は、一例としてのユーザ情報データＤ１００を示す図である。図１０を参照して、「ファイル名」とは、ユーザ情報データＤ１００のファイル名（user.info）である。ユーザ情報データＤ１００では、一例として、通信端末装置５００のユーザ（以下、ＰＤＡユーザＡ）ともいうユーザの生年月日が、１９５３年８月１０日であることが示される。「子供」とは、ＰＤＡユーザＡの子供の人数を示す。「居住地域」とは、ＰＤＡユーザＡの居住地域を示す情報である。「居住地域」は、たとえば、郵便番号で示される。
【０１６９】
また、本実施の形態では、コンテンツ取扱い処理が行なわれる前に、通信端末装置５００において、以下の嗜好情報登録処理が行なわれているとする。嗜好情報登録処理は、インターフェース操作Ｍにより、制御部５１０が、プログラム１８０に含まれる嗜好情報登録プログラムを実行することにより行なわれる処理である。
【０１７０】
嗜好情報登録処理では、制御部５１０が、表示部５３０に、嗜好情報としてのキーワード（以下、嗜好キーワードともいう）を入力するための嗜好情報入力画像を表示させる。嗜好キーワードは、ＰＤＡユーザＡが興味のある、コンテンツまたは情報に関するキーワードである。
【０１７１】
そして、インターフェース操作Ｍにより、１個以上の嗜好キーワードが入力され、登録される処理が行なわれると、制御部５１０は、以下の嗜好キーワードデータＤ２００を、記憶部５２０に記憶させる。以上により、嗜好情報登録処理は終了する。
【０１７２】
図１１は、一例としての嗜好キーワードデータＤ２００を示す図である。図１１を参照して、「ファイル名」とは、嗜好キーワードデータＤ２００のファイル名（reg.keyword）である。「番号」とは、嗜好キーワードを管理するための番号である。「Ｋ．Ｔ」および「Ｓ．Ｓ」という嗜好キーワードは、たとえば、コンテンツとしての番組の出演者名である。
【０１７３】
また、本実施の形態では、コンテンツ取扱い処理が行なわれる前に、通信端末装置５００において、以下の嗜好情報設定処理が行なわているとする。嗜好情報設定処理は、インターフェース操作Ｍにより、制御部５１０が、プログラム１８０に含まれる嗜好情報設定プログラムを実行することにより行なわれる処理である。
【０１７４】
本実施の形態では、１台の通信端末装置５００は、異なる２台の映像表示装置６００に対して、後述する処理を行なうとする。以下においては、一方の映像表示装置６００を映像表示装置Ａともいう。また、他方の映像表示装置６００を映像表示装置Ｂともいう。映像表示装置Ａの装置ＩＤは“１１ＴＡ”であるとする。ここで、装置ＩＤとは、装置を識別するための情報（以下、装置識別情報ともいう）である。また、映像表示装置Ｂの装置ＩＤは、“１１ＴＢ”であるとする。なお、通信端末装置５００が処理対象とする映像表示装置６００の数は、２台に限定されることなく、３台以上であってもよい。
【０１７５】
嗜好情報設定処理では、制御部５１０が、表示部５３０に、ユーザ情報を入力するための嗜好情報設定画像を表示させる。嗜好情報設定画像は、嗜好情報を処理するための設定を行なうための画像である。
【０１７６】
そして、インターフェース操作Ｍにより、嗜好情報の処理設定が行なわれ、設定した情報を登録するための処理が行なわれると、制御部５１０は、以下の嗜好情報設定データＤ３００を、記憶部５２０に記憶させる。以上により、嗜好情報設定処理は終了する。
【０１７７】
図１２は、一例としての嗜好情報設定データＤ３００を示す図である。図１２を参照して、「データ保持期間」とは、映像表示装置６００が、後述する処理により、通信端末装置５００から受信した端末情報を、保持する期間である。「データ保持期間」が、たとえば、１０日となっている場合、映像表示装置６００は、通信端末装置５００から一度受信した端末情報を、１０日間は使用し続ける。
【０１７８】
なお、「データ保持期間」は、「アクセス毎」というように設定される場合もある。この場合、映像表示装置６００は、通信端末装置５００とデータ通信が可能となる毎に、前回、通信端末装置５００から受信した端末情報の代わりに、今回、通信端末装置５００から受信した端末情報を使用する。この場合、前回、通信端末装置５００から受信した端末情報は削除される。また、「データ保持期間」は、「なし」と設定される場合もある。この場合、映像表示装置６００は、受信した端末情報を記憶しない。
【０１７９】
「送信」という項目では、対応するファイル名のデータを、後述する処理において、送信することを許可するか否かを設定される。たとえば、ファイル名が“user.info”であるユーザ情報データ（たとえば、図１０のユーザ情報データＤ１００）は、後述する処理において、通信端末装置５００により、映像表示装置６００へ送信されることが許可される。
【０１８０】
嗜好情報設定データＤ３００において、ファイル名が“TVA.keyword”および“TVB.keyword”であるデータは、それぞれ、以下の表示装置嗜好キーワードデータＤ４１０Ａおよび表示装置嗜好キーワードデータＤ４１０Ｂである。表示装置嗜好キーワードデータＤ４１０Ａおよび表示装置嗜好キーワードデータＤ４１０Ｂの各々は、通信端末装置５００の記憶部５２０に記憶される。
【０１８１】
図１３は、嗜好キーワードデータを示す図である。図１３（Ａ）は、一例としての表示装置嗜好キーワードデータＤ４１０Ａを示す図である。図１３（Ａ）を参照して、表示装置嗜好キーワードデータＤ４１０Ａは、通信端末装置５００が、装置ＩＤが“１１ＴＡ”の映像表示装置Ａに対して後述する処理を複数回行なうことにより、通信端末装置５００が得たキーワードを、通信端末装置５００が集計し、集計個数の多いキーワードの順にならび替えたデータである。
【０１８２】
図１３（Ｂ）は、一例としての表示装置嗜好キーワードデータＤ４１０Ｂを示す図である。図１３（Ｂ）を参照して、表示装置嗜好キーワードデータＤ４１０Ｂは、通信端末装置５００が、装置ＩＤが“１１ＴＢ”の映像表示装置Ｂに対して後述する処理を複数回行なうことにより、通信端末装置５００が得たキーワードを、通信端末装置５００が集計し、集計個数の多いキーワードの順にならび替えたデータである。
【０１８３】
再び、図１２を参照して、嗜好情報設定データＤ３００において、ファイル名が“mobile.keyword” であるデータは、以下の端末装置嗜好キーワードデータＤ４２０である。端末装置嗜好キーワードデータＤ４２０は、通信端末装置５００の記憶部５２０に記憶される。
【０１８４】
再び、図１３を参照して、図１３（Ｃ）は、一例としての端末装置嗜好キーワードデータＤ４２０を示す図である。図１３（Ｃ）を参照して、端末装置嗜好キーワードデータＤ４２０は、通信端末装置５００がサービスサーバ８００Ａから受信したコンテンツを、表示部５３０に表示させる処理を行なっている期間に、後述する処理を複数回行なうことにより、通信端末装置５００が得たキーワードを、通信端末装置５００が集計し、集計個数の多いキーワードの順にならび替えたデータである。
【０１８５】
端末装置嗜好キーワードデータＤ４２０は、たとえば、通信端末装置５００が、映像表示装置６００と連携することなく、外出先などで携帯電話網を利用して、通信端末装置５００が、直接、サービスサーバ８００Ａにアクセスしサービスを利用するなどのシーンにおいて、更新されるデータである。
【０１８６】
再び、図１２を参照して、嗜好情報設定データＤ３００において、ファイル名が“total.keyword” であるデータは、以下の総集計嗜好キーワードデータＤ４３０である。総集計嗜好キーワードデータＤ４３０は、通信端末装置５００の記憶部５２０に記憶される。
【０１８７】
再び、図１３を参照して、図１３（Ｄ）は、一例としての総集計嗜好キーワードデータＤ４３０を示す図である。図１３（Ｄ）を参照して、総集計嗜好キーワードデータＤ４３０は、表示装置嗜好キーワードデータＤ４１０Ａ、表示装置嗜好キーワードデータＤ４１０Ｂおよび端末装置嗜好キーワードデータＤ４２０の全てに含まれるキーワードを、通信端末装置５００がキーワード毎に集計し、集計個数の多いキーワードの順にならび替えたデータである。
【０１８８】
再び、図１２を参照して、本実施の形態では、嗜好情報設定データＤ３００において、ファイル名が“total.keyword”である総集計嗜好キーワードデータ（たとえば、図１３（Ｄ）の総集計嗜好キーワードデータＤ４３０）は、後述する処理において、通信端末装置５００により、映像表示装置６００へ送信されることが許可されるとする。
【０１８９】
なお、嗜好情報設定データＤ３００において、総集計嗜好キーワードデータＤ４３０の代わりに、表示装置嗜好キーワードデータＤ４１０Ａ、表示装置嗜好キーワードデータＤ４１０Ｂおよび端末装置嗜好キーワードデータＤ４２０の少なくとも１つが、後述する処理において、通信端末装置５００により、映像表示装置６００へ送信されることが許可されるように設定されていてもよい。
【０１９０】
なお、図１２の嗜好情報設定データＤ３００に示される各データは、以下のパス名テーブルＴ１００によって示されるパス名により特定される、記憶部５２０内の領域に記憶される。
【０１９１】
図１４は、一例としてのパス名テーブルＴ１００を示す図である。図１４を参照して、「パス名」とは、通信端末装置５００の記憶部５２０に記憶されている、対応するファイル名のデータのパスを示す。たとえば、ファイル名が“user.info”であるユーザ情報データＤ１００は、“C:\data\user.info”というパス名により特定される、記憶部５２０内の領域に記憶される。
【０１９２】
次に、コンテンツ取扱い処理について説明する。なお、映像表示装置６００は、待機モードであるとする。前述したように、待機モードとは、表示部６３０に画像が表示されていない状態であって、主電源がオフでない状態である。映像表示装置６００は、待機モードであっても、通信部５０とデータ通信可能であるとし、以下の処理を行なう。
【０１９３】
図１５は、コンテンツ取扱い処理のフローチャートである。図１５では、通信端末装置５００、映像表示装置６００、サービスサーバ８００Ａの各々において行なわれる処理を示す。
【０１９４】
通信端末装置５００では、まず、ステップＳ１１０の処理が行なわれる。
ステップＳ１１０では、ネットワーク接続処理が行なわれる。ネットワークアクセス処理では、電源がオン状態の通信端末装置５００が、図１の通信部５０または直接映像表示装置６００とデータ通信可能になることにより、通信端末装置５００が、ネットワークに接続される。その後、ステップＳ１１０の処理は終了する。
【０１９５】
映像表示装置６００では、まず、ステップＳ１２０の処理が行なわれる。
ステップＳ１２０では、通信端末装置が検出されたか否かが判定される。具体的には、制御部６１０が、通信端末装置５００がネットワークに接続され、通信端末装置５００とデータ通信可能となったか否かを判定する。ステップＳ１２０において、ＹＥＳならば、ステップＳ１２１に進む。一方、ステップＳ１２０において、ＮＯならば、再度、ステップＳ１２０の処理が行なわれる。
【０１９６】
ステップＳ１２１では、制御部６１０が、データ通信可能となった通信端末装置５００へ、接続通知を送信する。接続通知は、通信端末装置５００が、映像表示装置６００とデータ通信可能となったことを示す通知である。そして、ステップＳ１２１の処理は終了する。
【０１９７】
通信端末装置５００では、ステップＳ１１０の処理が終了すると、ステップＳ１１１に進む。
【０１９８】
ステップＳ１１１では、接続通知受信処理が行なわれる。接続通知受信処理では、制御部５１０が接続通知を受信したと判定すると、制御部５１０が、図９のリモコン画像ＭＧ１００を、表示部５３０に表示させるとともに、通信端末装置５００をリモコンモードに設定する。その後、ステップＳ１１２に進む。
【０１９９】
ステップＳ１１２では、制御部５１０が、電源オン操作があるか否かを判定する。電源オン操作とは、リモコン画像ＭＧ１００内のボタン画像ＭＢＧ１１０を押下処理するためのインターフェース操作Ｍである。ステップＳ１１２において、ＹＥＳならば、ステップＳ１１３に進む。一方、ステップＳ１１２において、ＮＯならば、再度、ステップＳ１１２の処理が行なわれる。
【０２００】
ステップＳ１１３では、制御部５１０が、電源リモコン信号を、映像表示装置６００へ送信する。そして、このステップＳ１１３の処理は終了する。
【０２０１】
映像表示装置６００では、ステップＳ１２１の処理が終了すると、ステップＳ１２２に進む。
【０２０２】
ステップＳ１２２では、制御部６１０が、電源リモコン信号を受信したか否かを判定する。ステップＳ１２２において、ＹＥＳならば、ステップＳ１２３に進む。一方、ステップＳ１２２において、ＮＯならば、再度、ステップＳ１２２の処理が行なわれる。
【０２０３】
ステップＳ１２３では、リスト取得処理が行なわれる。リスト取得処理では、まず、制御部６１０が、前述の画像表示電源をオンにさせ、映像表示装置６００を通常モードにする。これにより、表示部６３０に画像が表示可能となる。そして、制御部６１０が、通信部６６２を利用して、サービスサーバ８００Ａから取得可能なコンテンツのリストを取得するためのリスト取得要求を、サービスサーバ８００Ａへ送信する。
【０２０４】
なお、コンテンツ取扱い処理が行なわれる前から映像表示装置６００が通常モードである場合、通信端末装置５００では、ステップＳ１１１の処理の後、ステップＳ１１２，Ｓ１１３の処理は行なわれず、ステップＳ１１４に進む。また、この場合、映像表示装置６００では、ステップＳ１２１の処理の後、ステップＳ１２２の処理は行なわれず、ステップＳ１２３に進む。この場合、ステップＳ１２３において、画像表示電源をオンにし、通常モードにする処理は行なわれない。
【０２０５】
サービスサーバ８００Ａでは、まず、ステップＳ１４０の処理が行なわれる。
ステップＳ１４０では、制御部８１０が、リスト取得要求を受信したか否かを判定する。ステップＳ１４０において、ＹＥＳならば、ステップＳ１４１に進む。一方、ステップＳ１４０において、ＮＯならば、再度、ステップＳ１４０の処理が行なわれる。
【０２０６】
ステップＳ１４１では、制御部８１０が、リスト取得要求を送信した装置に対し、配信可能なコンテンツのリストのデータである、以下のリストデータＤ５００を送信する。その後，ステップＳ１４１の処理は終了する。
【０２０７】
図１６は、一例としてのリストデータＤ５００を示す図である。図１６を参照して、リストデータＤ５００は、複数のコンテンツ情報から構成される。「管理番号」とは、複数のコンテンツ情報の各々を管理するための番号である。「ＩＤ番号」とは、コンテンツを識別するための番号である。「タイトル」とは、対応するコンテンツのタイトルを示す。
【０２０８】
再び、図１５を参照して、映像表示装置６００では、ステップＳ１２３のリスト取得処理において、制御部６１０が、リストデータＤ５００を受信する。制御部６１０は、リストデータＤ５００を受信すると、記憶部６２０にリストデータＤ５００を記憶させる。そして、制御部６１０が、リストデータＤ５００に基づいて、ＶＤＰ６３２を利用して、以下のリスト画像Ｇ２００を生成し、生成したリスト画像Ｇ２００を表示部６３０に表示させる。
【０２０９】
図１７は、一例としてのリスト画像Ｇ２００を示す図である。図１７を参照して、リスト画像Ｇ２００には、ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９が配置される。ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９の各々には、コンテンツのタイトルが表示される。
【０２１０】
ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９の各々は、押下処理されることにより、対応するコンテンツを、サービスサーバ８００Ａから取得するためのボタン画像である。
【０２１１】
なお、リスト画像Ｇ２００は、ＥＰＧデータに基づいて生成された電子番組表が表示された画像であってもよい。この場合、ボタン画像ＢＧ２１１，ＢＧ２１２，ＢＧ２１３，ＢＧ２１４，ＢＧ２１５，ＢＧ２１６，ＢＧ２１７，ＢＧ２１８，ＢＧ２１９の各々は、コンテンツとしての番組の動画像を取得するためのボタン画像となる。
【０２１２】
再び、図１５を参照して、ステップＳ１２３のリスト取得処理では、さらに、制御部６１０が、通信部６６０を利用して、受信したリストデータＤ５００を、通信端末装置５００へ送信（転送）する。その後、ステップＳ１２３の処理は終了する。
【０２１３】
通信端末装置５００では、ステップＳ１１３の処理の終了後、ステップＳ１１４に進む。
【０２１４】
ステップＳ１１４では、リスト受信処理が行なわれる。リスト受信処理では、
制御部５１０が、リストデータＤ５００を受信する。制御部５１０は、リストデータＤ５００を受信すると、記憶部５２０にリストデータＤ５００を記憶させる。そして、制御部５１０が、リストデータＤ５００に基づいて、ＶＤＰ５３２を利用して、以下のリスト画像ＭＧ２００を生成し、生成したリスト画像ＭＧ２００を表示部５３０に表示させる。そして、ステップＳ１１４の処理は終了する。
【０２１５】
図１８は、一例としてのリスト画像ＭＧ２００を示す図である。図１８を参照して、リスト画像ＭＧ２００には、コンテンツ一覧画像Ｇ２１０と、ボタン画像ＭＢＧ１７０，ＭＢＧ２８０が配置される。
【０２１６】
コンテンツ一覧画像Ｇ２１０は、サービスサーバ８００Ａから取得可能なコンテンツを、ボタン画像として表示する画像である。コンテンツ一覧画像Ｇ２１０には、ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９が配置される。ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９の各々には、コンテンツのタイトルが表示される。
【０２１７】
ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９の各々は、インターフェース操作Ｍにより、押下処理されることにより、映像表示装置６００に表示されているリスト画像Ｇ２００内の、同じタイトルを表示するボタン画像を押下処理するためのリモコン信号を、映像表示装置６００へ送信するためのボタン画像である。
【０２１８】
たとえば、インターフェース操作Ｍにより、「Ｂ映画」というタイトルを表示するボタン画像ＭＢＧ２１１が押下処理されると、制御部５１０は、リスト画像Ｇ２００内において、「Ｂ映画」というタイトルを表示するボタン画像ＢＧ２１１を押下処理するためのリモコン信号を、映像表示装置６００へ送信する。
【０２１９】
ボタン画像ＭＢＧ１７０は、図９のリモコン画像ＭＧ１００内のボタン画像ＭＢＧ１７０と同様なので詳細な説明は繰り返さない。ボタン画像２８０は、インターフェース操作Ｍにより、押下処理されることにより、表示部５３０に、リスト画像ＭＧ２００の代わりに、図９のリモコン画像ＭＧ１００の画像を表示させるためのボタン画像である。
【０２２０】
なお、リモコン画像ＭＧ１００は、ＥＰＧデータに基づいて生成された電子番組表が表示された画像であってもよい。この場合、ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９の各々は、コンテンツとしての番組の動画像を取得するためのボタン画像となる。
【０２２１】
再び、図１５を参照して、通信端末装置５００では、ステップＳ１１４の処理が終了すると、ステップＳ１１５に進む。
【０２２２】
ステップＳ１１５では、端末情報送信処理が行なわれる。端末情報送信処理では、制御部５１０が、記憶部５２０に記憶されている嗜好情報設定データを参照して、端末情報を、映像表示装置６００へ送信する。嗜好情報設定データは、一例として、図１２の嗜好情報設定データＤ３００であるとする。その後、このステップＳ１１５の処理は終了する。
【０２２３】
送信される端末情報には、以下の装置情報Ｄ６００が含まれる。
図１９は、一例としての装置情報Ｄ６００を示す図である。図１９参照して、装置情報Ｄ６００において、「装置ＩＤ」とは、装置を識別するための情報（以下、装置識別情報ともいう）である。サービスＩＤとは、通信端末装置５００が、サービスサーバ８００Ａから、サービスを受けるための識別情報である。ここで、サービスとは、たとえば、コンテンツとしての動画像データのダウンロードである。
【０２２４】
サービスＩＤは、通信端末装置５００が、サービスサーバ８００Ａに対し、サービスを受けるためのサービス享受登録処理を行なうことで、サービスサーバ８００Ａから発行されるＩＤである。本実施の形態では、通信端末装置５００が、サービスサーバ８００Ａに対し、サービス享受登録処理を行なうことで、事前にサービスＩＤを受信しているものとする。
【０２２５】
「日時」とは、装置情報Ｄ６００を送信する日時である。「位置」とは、制御部５１０が通信部５６６から取得するＧＰＳ位置情報が示す情報である。「位置」の項目のＸ、Ｙは、それぞれ、通信端末装置５００の経度および緯度を示す。したがって、装置情報Ｄ６００では、一例として、通信端末装置５００の経度および緯度は、それぞれ、１３５度４０分および３４度２５分であることを示す。「データ保持期間」とは、前述したように、映像表示装置６００が、受信した端末情報を、保持する期間である。「データ保持期間」が、たとえば、１０日となっている場合、映像表示装置６００は、通信端末装置５００から一度受信した端末情報を、１０日間は使用し続ける。
【０２２６】
また、送信される端末情報には、さらに、嗜好情報設定データにより、送信が許可されているデータが含まれる。嗜好情報設定データが、嗜好情報設定データＤ３００である場合、送信される端末情報には、ユーザ情報データ、嗜好キーワードデータおよび総集計嗜好キーワードデータが含まれる。ここでは、一例として、ユーザ情報データ、嗜好キーワードデータおよび総集計嗜好キーワードデータは、それぞれ、図１０のユーザ情報データＤ１００、図１１の嗜好キーワードデータＤ２００、図１３（Ｄ）の総集計嗜好キーワードデータＤ４３０であるとする。
【０２２７】
映像表示装置６００では、ステップＳ１２３の処理が終了すると、ステップＳ１２４に進む。
【０２２８】
ステップＳ１２４では、制御部６１０が、端末情報を受信したか否かを判定する。ステップＳ１２４において、ＹＥＳならば、ステップＳ１２５に進む。一方、ステップＳ１２４において、ＮＯならば、再度、ステップＳ１２４の処理が行なわれる。ここでは、端末情報を受信したとして、ステップＳ１２５に進む。
【０２２９】
ステップＳ１２５では、端末情報記憶処理が行なわれる。端末情報記憶処理では、制御部６１０が、以下の記憶条件Ａを満たす場合、受信した端末情報が示す装置ＩＤに対応づけて、当該端末情報を記憶部６２０に記憶させる。すなわち、以下の記憶条件Ａを満されない場合、受信した端末情報は記憶部６２０に記憶されない。以下においては、受信した端末情報を、新端末情報ともいう。また、記憶部６２０に記憶されている端末情報を、旧端末情報ともいう。
【０２３０】
端末情報が示す装置ＩＤは、端末情報に含まれる装置情報（たとえば、図１６の装置情報Ｄ６００）が示す装置ＩＤである。たとえば、端末情報に含まれる装置情報が、装置情報Ｄ６００である場合、装置情報Ｄ６００が示す装置ＩＤは“１１ＭＡ”である。以下においては、端末情報に含まれる装置情報（たとえば、装置情報Ｄ６００）が示す日時を、単に、端末情報が示す日時ともいう。
【０２３１】
記憶条件Ａとは、新端末情報が示す装置ＩＤと同じ装置ＩＤを示す旧端末情報が記憶部６２０に記憶されていないという条件、または、新端末情報が示す日時が、新端末情報が示す装置ＩＤと同じ装置ＩＤを示す旧端末情報が示す日時から、旧端末情報が示すデータ保持期間（たとえば、１０日）経過した日時であるという条件である。記憶条件Ａを設けることにより、ある特定の装置ＩＤに対応する端末情報が、頻繁に更新されることを防ぐことができる。
【０２３２】
端末情報には、前述したように、ユーザ情報データ、嗜好キーワードデータおよび総集計嗜好キーワードデータが含まれる。総集計嗜好キーワードデータは、たとえば、図１３（Ｄ）の総集計嗜好キーワードデータＤ４３０であるとする。この場合、総集計嗜好キーワードデータに含まれる複数のキーワードのうち、上位２つのキーワード（以下、高嗜好キーワードともいう）は、「お笑い」、「サッカー」である。この２つの高嗜好キーワードは、ユーザが興味のあるコンテンツまたは情報を多く視聴したことにより得られるキーワードである。すなわち、２つの高嗜好キーワードは、ユーザが興味のあるコンテンツまたは情報に関するキーワードである。なお、高嗜好キーワードは、総集計嗜好キーワードデータに含まれる複数のキーワードのうち、上位２つのキーワードに限定されることなく、たとえば、上位１つのキーワードまたは上位３つのキーワードであってもよい。
【０２３３】
ここで、端末情報に含まれる嗜好キーワードデータに含まれる複数のキーワードと、端末情報に含まれる総集計嗜好キーワードデータに含まれる高嗜好キーワードとを含むデータを、以下においては、嗜好判定キーワードデータともいう。すなわち、嗜好判定キーワードデータは、端末情報に含まれるデータである。
【０２３４】
嗜好判定キーワードデータに含まれる嗜好キーワードデータは、前述の嗜好情報登録処理により、ユーザにより登録された複数のキーワードからなるデータである。嗜好キーワードデータは、一例として、図１１の嗜好キーワードデータＤ２００を含むデータであるとする。すなわち、嗜好判定キーワードデータは、ユーザが興味のあるコンテンツまたは情報に関するキーワードが含まれるデータである。
【０２３５】
また、嗜好判定キーワードデータに含まれる、総集計嗜好キーワードデータに含まれる高嗜好キーワードは、前述したように、ユーザが興味のあるコンテンツまたは情報に関するキーワードである。すなわち、嗜好判定キーワードデータは、ユーザが興味のあるコンテンツまたは情報に関するキーワードが含まれるデータである。
【０２３６】
なお、制御部６１０は、記憶条件Ａを満たし、かつ、新端末情報が示す装置ＩＤと同じ装置ＩＤを示す旧端末情報が記憶部６２０に記憶されている場合、当該旧端末情報を、新端末情報で上書き記憶させる。その結果、旧端末情報は削除される。その後、ステップＳ１２５の処理は終了する。
【０２３７】
なお、制御部６１０は、記憶部６２０に記憶されている旧端末情報が示す日時（たとえば、図１９の装置情報Ｄ６００が示す日時）から、旧端末情報が示す「データ保持期間」（たとえば、１０日）が経過すると、旧端末情報を削除する処理を自動的に行なう。
【０２３８】
通信端末装置５００では、ステップＳ１１５の処理が終了すると、ステップＳ１１６に進む。
【０２３９】
ステップＳ１１６では、制御部５１０が、コンテンツ取得操作があるか否かを判定する。コンテンツ取得操作とは、サービスサーバ８００Ａからコンテンツを受信するための操作である。具体的には、コンテンツ取得操作は、インターフェース操作Ｍにより、ボタン画像ＭＢＧ２１１，ＭＢＧ２１２，ＭＢＧ２１３，ＭＢＧ２１４，ＭＢＧ２１５，ＭＢＧ２１６，ＭＢＧ２１７，ＭＢＧ２１８，ＭＢＧ２１９のいずれかを押下処理する操作である。
【０２４０】
ステップＳ１１６において、ＹＥＳならば、ステップＳ１１７に進む。一方、ステップＳ１１６において、ＮＯならば、再度、ステップＳ１１６の処理が行なわれる。ここでは、インターフェース操作Ｍにより、「Ｃサッカー」というタイトルを表示するボタン画像ＭＢＧ２１１を押下処理するコンテンツ取得操作があったとして、ステップＳ１１７に進む。以下においては、コンテンツ取得操作により、サービスサーバ８００Ａに対し、取得要求されるコンテンツを取得要求コンテンツという。
【０２４１】
ステップＳ１１７では、制御部５１０が、コンテンツ取得要求としてのコンテンツ取得リモコン信号を、通信部５６０を利用して、映像表示装置６００へ送信する。コンテンツ取得リモコン信号には、通信端末装置５００の装置ＩＤ（たとえば、“１１ＭＡ”）も含まれる。そして、このステップＳ１１７の処理は終了する。この場合、コンテンツ取得リモコン信号は、タイトルが「Ｃサッカー」の取得要求コンテンツをサービスサーバ８００Ａから受信するためのリモコン信号である。
【０２４２】
映像表示装置６００では、ステップＳ１２５の処理が終了すると、ステップＳ１２６に進む。
【０２４３】
ステップＳ１２６では、制御部６１０が、コンテンツ取得要求としてのコンテンツ取得リモコン信号を受信したか否かを判定する。ステップＳ１２６において、ＹＥＳならば、ステップＳ１２７に進む。一方、ステップＳ１２６において、ＮＯならば、再度、ステップＳＳ１２６の処理が行なわれる。ここでは、コンテンツ取得要求としての、タイトルが「Ｃサッカー」の取得要求コンテンツを受信するためのコンテンツ取得リモコン信号を受信したとして、ステップＳ１２７に進む。
【０２４４】
ステップＳ１２７では、制御部６１０が、通信部６６２を利用して、サービスサーバ８００Ａから、受信したコンテンツ取得リモコン信号が特定するコンテンツを取得するためのコンテンツ取得要求Ａを、サービスサーバ８００Ａへ送信する。その後、ステップＳ１２７の処理は終了する。コンテンツ取得要求Ａには、取得要求コンテンツを特定するためのＩＤ番号と、サービスＩＤとが含まれる。
【０２４５】
ここでは、コンテンツ取得要求Ａには、タイトルが「Ｃサッカー」の取得要求コンテンツを特定するためのＩＤ番号「１２３５」が含まれているとする。サービスＩＤは、受信したコンテンツ取得リモコン信号に含まれる装置ＩＤ（たとえば、“１１ＭＡ”）に対応づけて記憶部６２０に記憶されている端末情報に含まれる装置情報が示すサービスＩＤである。装置情報が図１９の装置情報Ｄ６００である場合、装置ＩＤは“１１ＭＡ”であり、サービスＩＤは“１１ＭＡ−Ｓ１”となる。
【０２４６】
サービスサーバ８００Ａでは、ステップＳ１４１の処理が終了すると、ステップＳ１４２に進む。
【０２４７】
ステップＳ１４２では、制御部８１０が、コンテンツ取得要求Ａを受信したか否かを判定する。ステップＳ１４２において、ＹＥＳならば、ステップＳ１４３に進む。一方、ステップＳ１４２において、ＮＯならば、再度、ステップＳ１４２の処理が行なわれる。
【０２４８】
ステップＳ１４３では、制御部８１０が、受信したコンテンツ取得要求Ａに含まれるサービスＩＤが、前述のサービス享受登録処理により自装置が発行したＩＤであるか否かを判定する。ステップＳ１４３において、ＹＥＳと判定される場合、すなわち、受信したコンテンツ取得要求Ａに含まれるサービスＩＤが自装置が発行したＩＤである場合、認証成功として、ステップＳ１４４に進む。一方、ステップＳ１４３において、ＮＯならば、再度、ステップＳ１４２の処理が行なわれる。
【０２４９】
ステップＳ１４４では、送信処理Ｓが行なわれる。
通信端末装置５００では、ステップＳ１１７の処理が終了すると、ステップＳ１１８に進む。
【０２５０】
ステップＳ１１８では、受信対応処理Ｍが行なわれる。
映像表示装置６００では、ステップＳ１２７の処理が終了すると、ステップＳ１２８に進む。
【０２５１】
ステップＳ１２８では、受信対応処理Ｔが行なわれる。
図２０は、受信対応処理Ｍ、受信対応処理Ｔおよび送信処理Ｓのフローチャートである。図２０を参照して、送信処理Ｓでは、まず、ステップＳ２４１の処理が行なわれる。
【０２５２】
ステップＳ２４１では、コンテンツ送信が開始される。具体的には、制御部８１０が、受信したコンテンツ取得要求Ａに含まれるＩＤ番号により特定される取得要求コンテンツを、コンテンツ取得要求Ａを送信した映像表示装置６００へストリーミング配信する処理を開始する。なお、取得要求コンテンツは、ストリーミング配信ではなく、映像表示装置６００が、取得要求コンテンツをダウンロード可能なように送信されてもよい。そして、ステップＳ２４１の処理は終了する。
【０２５３】
ここで、取得要求コンテンツは、ＭＰＥＧ２形式で圧縮された動画像データであるとする。なお、動画像データの圧縮形式は、ＭＰＥＧ２形式に限定されることなく、他の形式で圧縮されたデータであってもよい。ここで、他の形式とは、たとえば、Ｈ．２６４等の形式である。また、取得要求コンテンツは、タイトルが「Ｃサッカー」の動画像データであるとする。
【０２５４】
受信対応処理Ｔでは、まず、ステップＳ２２１の処理が行なわれる。
ステップＳ２２１では、制御部６１０が、コンテンツ表示処理を実行する。コンテンツ表示処理は、受信対応処理Ｔおよび他の処理とは独立して行なわれる処理である。その後、ステップＳ２２１の処理は終了する。
【０２５５】
コンテンツ表示処理では、制御部６１０が、ＶＤＰ６３２を利用して、取得要求コンテンツをサービスサーバ８００Ａから受信しながら、取得要求コンテンツに基づく画像（以下、コンテンツ画像ともいう）を、表示部６３０に表示するストリーミング再生表示処理が行なわれる。なお、取得要求コンテンツの受信が完了し、取得要求コンテンツに基づく画像の再生が終了した場合、このコンテンツ表示処理は終了する。
【０２５６】
送信処理Ｓでは、ステップＳ２４１の処理の終了後、ステップＳ２４２に進む。
ステップＳ２４２では、制御部８１０が、付帯情報を、映像表示装置６００へ送信する。そして、ステップＳ２４２の処理は終了し、この送信処理Ｓは終了し、図２０のサービスサーバ８００Ａの処理に戻り、ステップＳ１４４の処理も終了し、再度、ステップＳ１４２の処理が行なわれる。
【０２５７】
ここで、付帯情報とは、取得要求コンテンツに付帯される情報である。付帯情報は、対応する取得要求コンテンツのＩＤ番号を含む。また、付帯情報は、記憶部８２０に記憶されている。記憶部８２０には、複数のコンテンツにそれぞれ対応する複数の付帯情報が記憶されている。
【０２５８】
図２１は、一例としての付帯情報Ｄ７００を示す図である。図２１を参照して、「ＩＤ番号」とは、対応する取得要求コンテンツのＩＤ番号である。「タイプ」の項目には、「連動」および「非連動」の２種類のタイプがある。「連動」とは、対応する取得要求コンテンツに連動した操作を、通信端末装置５００で行なうことができることを示す。
【０２５９】
ここで、付帯情報の「タイプ」の項目が「連動」であり、対応する取得要求コンテンツが番組であり、かつ、番組中にアンケートを行なうコンテンツであるとする。この場合、取得要求コンテンツが表示部６３０において再生表示されているとき、通信端末装置５００における操作により、番組中に行なわれるアンケートの回答を行なうことができる。すなわち、付帯情報の「タイプ」の項目が「連動」である場合、対応する取得要求コンテンツの内容に連動した操作を、通信端末装置５００で行なうことができる。なお、付帯情報の「タイプ」の項目が「非連動」である場合は、上記のようなことはできない。
【０２６０】
「タイトル」とは、映像表示装置６００または通信端末装置５００において参照可能な、情報、コンテンツ等のタイトルである。「表示時間」とは、映像表示装置６００または通信端末装置５００において、情報、コンテンツ等を参照可能な時間である。「表示時間」において、“00:00:00”は、ステップＳ２２１により実行されるコンテンツ表示処理において、取得要求コンテンツの表示処理が開始された時刻（以下、コンテンツ表示開始時刻ともいう）である。たとえば、「表示時間」が、“00:00:00-00:10:30”である場合、コンテンツ表示開始時刻から、１０分３０秒経過した時刻まで、映像表示装置６００または通信端末装置５００において、情報、コンテンツ等を参照可能となる。
【０２６１】
また、「表示時間」が、たとえば、“01:05:00-01:10:30”である場合、コンテンツ表示開始時刻から１時間５分経過した時刻から、コンテンツ表示開始時刻から１時間１０分３０秒経過した時刻まで、映像表示装置６００または通信端末装置５００において、情報、コンテンツ等を参照可能となる。
【０２６２】
「情報表示手段」とは、詳細は後述するが、情報、コンテンツ等を参照可能な手段である。「情報表示手段」が、たとえば、「端末」のみである場合、情報、コンテンツ等は、通信端末装置５００においてのみ参照可能となる。
【０２６３】
「端末用ＵＲＬ」とは、サービスサーバ８００Ａが動画像等のコンテンツを配信することで、サービスサーバ８００Ａを運営する会社に広告料金を支払う広告提供会社等の広告情報を、通信端末装置５００において表示させるためのＵＲＬである。
【０２６４】
「表示装置用ＵＲＬ」とは、前述の広告提供会社等の広告情報を、映像表示装置６００において表示させるためのＵＲＬである。
【０２６５】
「リアクション」、「ＲＳＳデータ」、「性別」、「年齢」の項目についての詳細は、後述する。
【０２６６】
再び、図２０を参照して、ここでは、ステップＳ２４２において送信される付帯情報は、図２１の付帯情報Ｄ７００であるとする。
【０２６７】
受信対応処理Ｔでは、ステップＳ２２１の処理が終了すると、ステップＳ２２２に進む。
【０２６８】
ステップＳ２２２では、制御部６１０が、付帯情報を受信したか否かを判定する。ステップＳ２２２において、ＹＥＳならば、ステップＳ２２３に進む。一方、ステップＳ２２２において、ＮＯならば、再度、ステップＳ２２２の処理が行なわれる。
【０２６９】
ステップＳ２２３では、受信した付帯情報と端末情報との関連性の有無が判定される。具体的には、制御部６１０が、受信した付帯情報と、通信端末装置５００の装置ＩＤに対応づけて記憶部６２０に記憶されている端末情報に含まれる嗜好情報との間に関連性があるか否かを判定する。さらに具体的には、制御部６１０が、付帯情報に含まれるキーワードを含む、嗜好情報としての嗜好判定キーワードデータが記憶部６２０に記憶されているか否かを判定する。嗜好判定キーワードデータは、前述したように、端末情報に含まれるデータである。
【０２７０】
ここで、付帯情報は、図２１の付帯情報Ｄ７００であるとする。また、嗜好判定キーワードデータは、前述したように、嗜好キーワードデータに含まれる複数のキーワードを含むデータである。嗜好キーワードデータは、一例として、図１１の嗜好キーワードデータＤ２００であるとする。また、嗜好判定キーワードデータは、前述したように、総集計嗜好キーワードデータに含まれる高嗜好キーワードを含むデータである。総集計嗜好キーワードデータは、一例として、図１３（Ｄ）の総集計嗜好キーワードデータＤ４３０であるとする。この場合、高嗜好キーワードは、「お笑い」、「サッカー」である。
【０２７１】
この場合、嗜好判定キーワードデータには、付帯情報Ｄ７００に含まれるキーワードである「サッカー」が含まれるので、制御部６１０は、付帯情報に含まれるキーワードを含む、嗜好情報としての嗜好キーワードデータが記憶部６２０に記憶されていると判定する。この場合、付帯情報に含まれるキーワードと、端末情報に含まれる、嗜好情報としての嗜好キーワードデータとの間に関連性があると判定される。すなわち、付帯情報と端末情報との間に関連性があると判定される。
【０２７２】
なお、付帯情報に含まれるキーワードを含む、嗜好情報としての嗜好キーワードデータが記憶部６２０に記憶されていない場合でも、付帯情報に性別および年齢の少なくとも一方の情報が含まれている場合、制御部６１０は、以下の処理を行なう。
【０２７３】
たとえば、付帯情報が、図２１の付帯情報Ｄ７００が「男」という性別の情報を含んだ情報であるとする。この場合、制御部６１０は、「男」という性別の情報を含んだ、端末情報に含まれるユーザ情報データが記憶部６２０に記憶されているか否かを判定する。ここで、ユーザ情報データは、図１０のユーザ情報データＤ１００であるとする。この場合、ユーザ情報データＤ１００は、「男」という性別の情報が含まれるので、制御部６１０は、「男」という性別の情報を含んだ、端末情報に含まれるユーザ情報データが記憶部６２０に記憶されていると判定する。この場合、付帯情報と端末情報との間に関連性があると判定される。
【０２７４】
付帯情報と端末情報との間に関連性があると判定された場合、ステップＳ２２３において、ＹＥＳと判定され、ステップＳ２２４に進む。一方、付帯情報と端末情報との間に関連性があると判定されない場合、ステップＳ２２３において、ＮＯと判定され、この受信対応処理Ｔは終了し、図１５の映像表示装置６００の処理に戻り、ステップＳ１２８の処理が終了し、再度、ステップＳ１２４の処理が行なわれる。
【０２７５】
ステップＳ２２４では、表示制御処理が行なわれる。表示制御処理では、制御部６１０が、受信した付帯情報に含まれる「表示時間」、「情報表示手段」および「リアクション」の情報に応じた処理を行なう。ここでは、付帯情報は、図２１の付帯情報Ｄ７００であるとする。この場合、付帯情報Ｄ７００において、「情報表示手段」は、「端末」という情報のみであるので、以下の端末表示制御処理が行なわれる。なお、付帯情報Ｄ７００では、「リアクション」の情報がない。「リアクション」の情報がある場合の処理は後述する。
【０２７６】
端末表示制御処理では、制御部６１０が、自装置の装置ＩＤおよび付帯情報を、付帯情報と関連性があると判定された端末情報が示す装置ＩＤの通信端末装置５００へ送信する。映像表示装置６００の装置ＩＤは、たとえば、“１１ＴＡ”であるとする。ここで、送信される付帯情報は、付帯情報Ｄ７００であるとする。その後、ステップＳ２２４の処理が終了し、この受信対応処理Ｔは終了し、図１５の映像表示装置６００の処理に戻り、ステップＳ１２８の処理が終了し、再度、ステップＳ１２４の処理が行なわれる。
【０２７７】
受信対応処理Ｍでは、まず、ステップＳ２１１の処理が行なわれる。
ステップＳ２１１では、制御部５１０が、装置ＩＤおよび付帯情報を受信したか否かを判定する。ステップＳ２１１において、ＹＥＳならば、ステップＳ２１２に進む。一方、ステップＳ２１１において、ＮＯならば、再度、ステップＳ２１１の処理が行なわれる。ここでは、“１１ＴＡ”の装置ＩＤおよび付帯情報Ｄ７００を受信したとして、ステップＳ２１２に進む。
【０２７８】
ステップＳ２１２では、制御部５１０が、表示処理Ｍを実行する。表示処理Ｍは、受信対応処理Ｍおよび他の処理とは独立して行なわれる処理である。その後、ステップＳ２１２の処理は終了する。
【０２７９】
表示処理Ｍでは、制御部５１０が、受信した付帯情報に基づいて、コンテンツを表示部５３０に表示させる。付帯情報が、付帯情報Ｄ７００である場合、制御部５１０は、端末用ＵＲＬである“http://www.bb.ne.jp/1235.html”で特定されるＷｅｂページにアクセスし、Ｗｅｂページの情報を表示させた端末コンテンツ画像を生成し、表示部５３０に表示させる。なお、“http://www.bb.ne.jp/1235.html”で特定されるＷｅｂページのデータは、サービスサーバ８００Ａの記憶部８２０に記憶されているとする。すなわち、制御部５１０は、サービスサーバ８００Ａにアクセスし、サービスサーバ８００Ａから、Ｗｅｂページのデータを受信する。すなわち、ネットワークから、“http://www.bb.ne.jp/1235.html”で特定されるＷｅｂページの情報を受信する。
【０２８０】
なお、制御部５１０が、端末コンテンツ画像を表示部５３０に表示させる期間は、付帯情報が、付帯情報Ｄ７００である場合、「表示時間」が、“00:00:00-00:10:30”であるので、前述のコンテンツ表示開始時刻から、１０分３０秒経過した時刻まである。端末コンテンツ画像の表示が終了すると、この表示処理Ｍは終了する。
【０２８１】
端末コンテンツ画像は、広告提供会社等の広告情報等を表示した画像である。端末コンテンツ画像は、たとえば、以下の端末コンテンツ画像ＭＧ３００であるとする。なお、表示処理Ｍにおいて、端末コンテンツ画像は、上記「表示時間」に関係なく、インターフェース操作Ｍによる終了操作が行なわれるまで表示部５３０に表示されていてもよい。
【０２８２】
図２２は、一例としての端末コンテンツ画像ＭＧ３００を示す図である。図２２を参照して、端末コンテンツ画像ＭＧ３００には、静止画像表示画像ＭＧ３１０と、情報表示画像ＭＧ３２０と、ハイパーリンク文字列表示画像ＭＧ３３０とが配置される。
【０２８３】
静止画像表示画像ＭＧ３１０は、静止画像が表示される。当該静止画像は、たとえば、サッカーグッズの写真の画像である。情報表示画像ＭＧ３２０は、文章が表示される画像である。当該文章は、たとえが、サッカーグッズの説明の文章である。ハイパーリンク文字列表示画像ＭＧ３３０には、他のＷｅｂページを表示させるための複数のハイパーリンク文字列が表示される。複数のハイパーリンク文字列は、たとえば、「人気グッズランキング」、「グッズ購入」という文字列である。
【０２８４】
端末コンテンツ画像ＭＧ３００が表示部５３０に表示された状態で、インターフェース操作Ｍがあると、以下の処理が行なわれる。
【０２８５】
たとえば、端末コンテンツ画像ＭＧ３００内のハイパーリンク文字列表示画像ＭＧ３３０に表示されている「人気グッズランキング」という文字列が、通信端末装置５００のインターフェース操作Ｍにより選択された状態で、決定ボタン５４１Ｅの短押操作が行なわれると以下の処理Ａが行なわれる。処理Ａでは、制御部５１０が、「人気グッズランキング」という文字列に関連付けされている、人気グッズのランキング情報を表示したＷｅｂページ画像を、ＶＤＰ５３２を利用して、端末コンテンツ画像ＭＧ３００の代わりに表示部５３０に表示させる。
【０２８６】
なお、制御部５１０が、終了操作があったと判定すると、制御部５１０は、ＶＤＰ５３２を利用して、表示部５３０から端末コンテンツ画像ＭＧ３００を消去する。ここで、終了操作とは、インターフェース操作Ｍによる表示処理Ｍを終了させるための操作である。そして、制御部５１０は、ＶＤＰ５３２を利用して、端末コンテンツ画像ＭＧ３００が表示される前に、表示されていた画像を、表示部５３０に表示させる。そして、制御部５１０は、表示処理Ｍを終了させる。
【０２８７】
再び、図２０を参照して、ステップＳ２１２の処理が終了すると、ステップＳ２１３に進む。
【０２８８】
ステップＳ２１３では、集計処理が行なわれる。ここでは、受信した装置ＩＤが“１１ＴＡ”であるとする。そのため、通信端末装置５００は、装置ＩＤが“１１ＴＡ”の映像表示装置Ａから付帯情報を受信したことになる。受信した付帯情報は、付帯情報Ｄ７００であるとする。この場合、制御部５１０は、付帯情報Ｄ７００に含まれるキーワードである「サッカー」を利用して、たとえば、図１３（Ａ）の表示装置嗜好キーワードデータＤ４１０Ａに示されるキーワードの個数情報を集計しなおす。この場合、表示装置嗜好キーワードデータＤ４１０Ａにおける「サッカー」のキーワードの個数を、３２１個から３２２個にし、集計個数の多いキーワードの順に並べ替えることで、表示装置嗜好キーワードデータＤ４１０Ａを更新する。さらに、制御部５１０は、表示装置嗜好キーワードデータＤ４１０Ａを更新すると同時に、上記の表示装置嗜好キーワードデータＤ４１０Ａの更新処理と同様に、総集計嗜好キーワードデータＤ４３０の更新処理を行なう。
【０２８９】
なお、初めて、ステップＳ２１３の処理が行なわれる場合、表示装置嗜好キーワードデータＤ４１０Ａには、何も記述されてない。この場合、表示装置嗜好キーワードデータＤ４１０Ａは、キーワード名が「サッカー」で、個数が“１”と記載されたデータとなる。上記処理が繰返し行なわる毎に、表示装置嗜好キーワードデータＤ４１０Ａおよび総集計嗜好キーワードデータＤ４３０は、前述のように更新される。
【０２９０】
また、受信した装置ＩＤが“１１ＴＢ”である場合には、通信端末装置５００は、装置ＩＤが“１１ＴＢ”の映像表示装置Ｂから付帯情報を受信したことになる。この場合、制御部５１０は、前述の表示装置嗜好キーワードデータＤ４１０Ａの更新処理と同様に、図１３（Ｂ）の表示装置嗜好キーワードデータＤ４１０Ｂの更新処理を行なうので詳細な説明は繰り返さない。また、同時に、制御部５１０は、総集計嗜好キーワードデータＤ４３０の更新処理も前述した処理と同様に行なう。そして、ステップＳ２１３の処理は終了する。
【０２９１】
なお、通信端末装置５００が、サービスサーバ８００Ａに直接アクセスすることで、サービスサーバ８００Ａから、コンテンツおよび付帯情報を受信した場合、前述の表示装置嗜好キーワードデータＤ４１０Ａの更新処理と同様に、図１３（Ｃ）の端末装置嗜好キーワードデータＤ４２０の更新処理を行なうので詳細な説明は繰り返さない。また、同時に、制御部５１０は、総集計嗜好キーワードデータＤ４３０の更新処理も前述した処理と同様に行なう。通信端末装置５００が、サービスサーバ８００Ａに直接アクセスする状況は、たとえば、屋外で、通信端末装置５００が、コンテンツおよび付帯情報を受信する状況である。
【０２９２】
ステップＳ２１３の処理が終了すると、この受信対応処理Ｍは終了し、図１５の通信端末装置の処理に戻り、図１５のステップＳ１１８の処理も終了し、再度、ステップＳ１１５の処理が行なわれる。これにより、ステップＳ２１３の集計処理により更新された嗜好キーワードデータが、映像表示装置６００へ送信される。
【０２９３】
以上の処理が行なわれことにより、本実施の形態では、通信端末装置５００のユーザが興味のあるコンテンツまたは情報に関するキーワードを含む嗜好キーワードデータを含む端末情報を、映像表示装置６００へ送信する。
【０２９４】
映像表示装置６００は、表示部６３０にコンテンツを表示した状態で、表示部６３０に表示しているコンテンツに付帯する付帯情報を受信する。付帯情報には、表示部６３０に表示されているコンテンツに関連するキーワードが含まれる。そして、映像表示装置６００は、付帯情報に含まれるキーワードの情報を含む嗜好情報としての嗜好判定キーワードデータを含む端末情報を送信した通信端末装置５００へ付帯情報を送信する。すなわち、表示部６３０に表示されているコンテンツに興味のあるユーザが保有する通信端末装置５００へ付帯情報が送信される。
【０２９５】
付帯情報には、広告情報を参照するためのＵＲＬが含まれる。通信端末装置５００は、受信した付帯情報には含まれるＵＲＬにアクセスし広告情報を表示部５３０に表示する。
【０２９６】
したがって、広告情報を提供する広告提供会社は、表示部６３０に表示されているコンテンツに関連のある広告情報を通信端末装置５００の表示部５３０に表示させることで、表示部６３０に表示されているコンテンツに興味のあるユーザに対し、効率のよい宣伝を行なうことができるという効果を奏する。
【０２９７】
また、以上の処理が行なわれことにより、本実施の形態では、映像表示装置６００は、サービスサーバ８００Ａからコンテンツおよびコンテンツに付帯する付帯情報を受信する。そして、映像表示装置６００が備える表示部６３０に受信したコンテンツを表示し、受信した付帯情報を、通信端末装置５００へ送信する。通信端末装置５００は、受信した付帯情報に基づく情報を表示部５３０に表示する。
【０２９８】
したがって、映像表示装置６００でコンテンツを表示させた状態で、別の装置である通信端末装置５００で、コンテンツに付帯する付帯情報に基づく情報を参照することができる。その結果、コンテンツの見易さを損ねることなく、手軽にサービスを享受できるという効果を奏する。
【０２９９】
次に、図２１の付帯情報Ｄ７００と異なる付帯情報が、映像表示装置６００へ送信される場合の処理について説明する。なお、取得要求コンテンツは、前述した処理と同様、タイトルが「Ｃサッカー」のコンテンツであるとする。したがって、図１５のコンテンツ取扱い処理では、前述したのと同様な処理が行なわれるので詳細な説明は繰り返さない。
【０３００】
そして、サービスサーバ８００Ａでは、ステップＳ１１４で、送信処理Ｓが行なわれる。また、通信端末装置５００では、ステップＳ１１８で、受信対応処理Ｍが行なわれる。また、映像表示装置６００では、ステップＳ１２８で、受信対応処理Ｔが行なわれる。
【０３０１】
再び、図２０を参照して、送信処理Ｓで、ステップＳ２４１の処理が行なわれる。ステップＳ２４１では、前述したのと同様な処理が行なわれるので詳細な説明は繰り返さない。
【０３０２】
受信対応処理Ｔでは、ステップＳ２２１で、前述したのと同様な処理が行なわれる。この処理により、表示部６３０に取得要求コンテンツに基づくコンテンツ画像が再生表示される。
【０３０３】
送信処理Ｓでは、ステップＳ２４２で、前述したのと同様な処理が行なわれるので詳細な説明は繰り返さない。この処理により、以下の付帯情報Ｄ７００Ａが、映像表示装置６００へ送信されるとする。
【０３０４】
図２３は、一例としての付帯情報Ｄ７００Ａを示す図である。図２３を参照して、付帯情報Ｄ７００Ａは、図２１の付帯情報Ｄ７００と比較して、「表示時間」、「情報表示手段」、および「表示装置用ＵＲＬ」の項目の情報が異なる。それ以外は、付帯情報Ｄ７００と同様なので詳細な説明は繰り返さない。
【０３０５】
「情報表示手段」は、「端末」に加え、「表示装置」が追加されている。この場合、映像表示装置６００の表示部６３０に、「表示装置用ＵＲＬ」にアクセスことで取得されるコンテンツまたは情報が表示される。また、「（全画面）」とは、表示部６３０の画面全体に、「表示装置用ＵＲＬ」にアクセスことで取得されるコンテンツまたは情報が表示されることを示す。
【０３０６】
受信対応処理Ｔでは、ステップＳ２２１の処理が終了すると、ステップＳ２２２に進む。
【０３０７】
ステップＳ２２２では、前述したのと同様な処理が行なわれるので詳細な説明は繰り返さない。ここでは、付帯情報Ｄ７００Ａを受信したとして、ステップＳ２２３に進む。
【０３０８】
ステップＳ２２３では、前述したのと同様な処理が行なわれるので詳細な説明は繰り返さない。ここでは、ＹＥＳと判定されて、ステップＳ２２４に進むとする。
【０３０９】
ステップＳ２２４では、表示制御処理が行なわれる。表示制御処理では、制御部６１０が、受信した付帯情報に含まれる「表示時間」、「情報表示手段」および「リアクション」の情報に応じた処理を行なう。ここでは、付帯情報は、図２３の付帯情報Ｄ７００Ａであるとする。この場合、付帯情報Ｄ７００Ａにおいて、「情報表示手段」は、「端末」および「表示装置」の２つであるので、以下の端末表示制御処理Ａおよび表示装置表示制御処理Ａが互いに独立して同時に開始される。なお、付帯情報Ｄ７００Ａでは、「リアクション」の情報がない。「リアクション」の情報がある場合の処理は後述する。
【０３１０】
端末表示制御処理Ａでは、制御部６１０が、自装置の装置ＩＤ（“１１ＴＡ”）および付帯情報Ｄ７００Ａを、ステップＳ２２３の処理において、付帯情報Ｄ７００Ａと関連性があると判定された端末情報が示す装置ＩＤの通信端末装置５００へ送信する。
【０３１１】
表示装置表示制御処理Ａでは、制御部６１０が、前述のコンテンツ表示開始時刻から４６分経過した時刻に、表示装置用ＵＲＬである“http://www.bb.ne.jp/1235a.mpg”にアクセスし、ファイル名が“1235a.mpg”である動画像データの取得を開始する。なお、ファイル名が“1235a.mpg”である動画像データは、サービスサーバ８００Ａの記憶部８２０に記憶されているとする。動画像データは、たとえば、ＭＰＥＧ２形式の動画像であるとする。
【０３１２】
すなわち、制御部６１０は、サービスサーバ８００Ａにアクセスし、サービスサーバ８００Ａから、動画像データのストリーミング受信を開始する。すなわち、動画像データをサービスサーバ８００Ａから受信しながら、動画像データに基づく画像（以下、広告画像ともいう）を、表示部６３０の全面に再生表示させる。この広告画像は、たとえば、サッカーグッズのコマーシャルの動画像である。そして、前述のコンテンツ表示開始時刻から５５分経過した時刻になると、表示部６３０に表示されていた広告画像を消去し、広告画像が表示される前に表示されていたコンテンツ画像を、表示部６３０に表示させる。これにより、表示装置画像表示処理Ａは終了する。
【０３１３】
受信対応処理Ｍでは、ステップＳ２１１の処理が行なわれる。
ステップＳ２１１では、装置ＩＤ（“１１ＴＡ”）および付帯情報Ｄ７００Ａを受信したとして、ステップＳ２１２に進む。
【０３１４】
ステップＳ２１２では、前述したのと同様、制御部５１０が、表示処理Ｍを実行する。その後、前述したのと同様に、ステップＳ２１３の処理が行なわれるので詳細な説明は繰り返さない。
【０３１５】
表示処理Ｍでは、前述したのと同様な処理が行なわれるので詳細な説明は繰り返さない。この処理により、図２２の端末コンテンツ画像ＭＧ３００が表示部５３０に表示される。
【０３１６】
なお、制御部５１０が、端末コンテンツ画像ＭＧ３００を表示部５３０に表示させる期間は、付帯情報が、付帯情報Ｄ７００Ａである場合、「表示時間」が、“00:46:00-00:55:00”であるので、前述のコンテンツ表示開始時刻から４６分経過した時刻から、コンテンツ表示開始時刻から５５分秒経過した時刻までである。端末コンテンツ画像の表示が終了すると、この表示処理Ｍは終了する。なお、表示処理Ｍにおいて、端末コンテンツ画像ＭＧ３００は、上記「表示時間」に関係なく、インターフェース操作Ｍによる終了操作が行なわれるまで表示部５３０に表示されていてもよい。
【０３１７】
以上の処理が行なわれことにより、映像表示装置６００の表示部６３０の全面に広告画像を表示させるとともに、通信端末装置５００の表示部５３０において、広告情報が表示される。したがって、多彩な宣伝手法が可能となる。
【０３１８】
次に、インタラクティブ性のある宣伝をするための付帯情報が、映像表示装置６００へ送信される場合の処理について説明する。なお、取得要求コンテンツは、前述した処理と同様、タイトルが「Ｃサッカー」のコンテンツであるとする。したがって、図１５のコンテンツ取扱い処理では、前述したのと同様な処理が行なわれるので詳細な説明は繰り返さない。
【０３１９】
そして、サービスサーバ８００Ａでは、ステップＳ１１４で、送信処理Ｓが行なわれる。また、通信端末装置５００では、ステップＳ１１８で、受信対応処理Ｍが行なわれる。また、映像表示装置６００では、ステップＳ１２８で、受信対応処理Ｔが行なわれる。
【０３２０】
再び、図２０を参照して、送信処理Ｓで、ステップＳ２４１の処理が行なわれる。ステップＳ２４１では、前述したのと同様な処理が行なわれるので詳細な説明は繰り返さない。
【０３２１】
受信対応処理Ｔでは、ステップＳ２２１で、前述したのと同様な処理が行なわれる。この処理により、表示部６３０に取得要求コンテンツに基づくコンテンツ画像が再生表示される。
【０３２２】
送信処理Ｓでは、ステップＳ２４２で、前述したのと同様な処理が行なわれるので詳細な説明は繰り返さない。この処理により、以下の付帯情報Ｄ７００Ｂが、映像表示装置６００へ送信されるとする。
【０３２３】
図２４は、一例としての付帯情報Ｄ７００Ｂを示す図である。図２４を参照して、付帯情報Ｄ７００Ａは、図２３の付帯情報Ｄ７００Ａと比較して、「タイプ」、「タイトル」、「端末用ＵＲＬ」および「表示装置用ＵＲＬ」の項目の情報が異なる。それ以外は、付帯情報Ｄ７００Ａと同様なので詳細な説明は繰り返さない。
【０３２４】
受信対応処理Ｔでは、ステップＳ２２１の処理が終了すると、ステップＳ２２２に進む。
【０３２５】
ステップＳ２２２では、前述したのと同様な処理が行なわれるので詳細な説明は繰り返さない。ここでは、付帯情報Ｄ７００Ｂを受信したとして、ステップＳ２２３に進む。
【０３２６】
ステップＳ２２３では、前述したのと同様な処理が行なわれるので詳細な説明は繰り返さない。ここでは、ＹＥＳと判定されて、ステップＳ２２４に進むとする。
【０３２７】
ステップＳ２２４では、表示制御処理が行なわれる。表示制御処理では、制御部６１０が、受信した付帯情報に含まれる「表示時間」、「情報表示手段」および「リアクション」の情報に応じた処理を行なう。ここでは、付帯情報は、図２４の付帯情報Ｄ７００Ｂであるとする。この場合、付帯情報Ｄ７００Ｂにおいて、「情報表示手段」は、「端末」および「表示装置」の２つであるので、以下の端末表示制御処理Ｂおよび表示装置表示制御処理Ｂが互いに独立して同時に開始される。なお、付帯情報Ｄ７００Ｂでは、「リアクション」の情報がない。「リアクション」の情報がある場合の処理は後述する。
【０３２８】
端末表示制御処理Ｂでは、制御部６１０が、自装置の装置ＩＤ（“１１ＴＡ”）および付帯情報Ｄ７００Ｂを、ステップＳ２２３の処理において、付帯情報Ｄ７００Ｂと関連性があると判定された端末情報が示す装置ＩＤの通信端末装置５００へ送信する。
【０３２９】
表示装置表示制御処理Ｂでは、制御部６１０が、前述のコンテンツ表示開始時刻から４６分経過した時刻に、表示装置用ＵＲＬである“http://www.bb.ne.jp/1235b.mpg”にアクセスし、ファイル名が“1235b.mpg”である動画像データの取得を開始する。なお、ファイル名が“1235b.mpg”である動画像データは、サービスサーバ８００Ａの記憶部８２０に記憶されているとする。動画像データは、たとえば、ＭＰＥＧ２形式の動画像であるとする。
【０３３０】
すなわち、制御部６１０は、サービスサーバ８００Ａにアクセスし、サービスサーバ８００Ａから、動画像データのストリーミング受信を開始する。すなわち、動画像データをサービスサーバ８００Ａから受信しながら、動画像データに基づく画像（以下、広告画像ともいう）を、表示部６３０の全面に再生表示させる。この広告画像は、たとえば、サッカーの試合のスポンサーのコマーシャルの動画像である。そして、前述のコンテンツ表示開始時刻から５５分経過した時刻になると、表示部６３０に表示されていた広告画像を消去し、広告画像が表示される前に表示されていたコンテンツ画像を、表示部６３０に表示させる。これにより、表示装置画像表示処理Ｂは終了する。
【０３３１】
受信対応処理Ｍでは、ステップＳ２１１の処理が行なわれる。
ステップＳ２１１では、装置ＩＤ（“１１ＴＡ”）および付帯情報Ｄ７００Ｂを受信したとして、ステップＳ２１２に進む。
【０３３２】
ステップＳ２１２では、前述したのと同様、制御部５１０が、表示処理Ｍを実行する。その後、前述したのと同様に、ステップＳ２１３の処理が行なわれるので詳細な説明は繰り返さない。
【０３３３】
表示処理Ｍでは、制御部５１０が、受信した付帯情報Ｄ７００Ｂに基づいて、コンテンツを表示部５３０に表示させる。付帯情報が、付帯情報Ｄ７００Ｂである場合、制御部５１０は、端末用ＵＲＬである“http://www.bb.ne.jp/1235b.html”で特定されるＷｅｂページにアクセスし、Ｗｅｂページの情報を表示させた端末コンテンツ画像を生成し、表示部５３０に表示させる。なお、“http://www.bb.ne.jp/1235b.html”で特定されるＷｅｂページのデータは、サービスサーバ８００Ａの記憶部８２０に記憶されているとする。すなわち、制御部５１０は、サービスサーバ８００Ａにアクセスし、サービスサーバ８００Ａから、Ｗｅｂページのデータを受信する。すなわち、ネットワークから、“http://www.bb.ne.jp/1235b.html”で特定されるＷｅｂページの情報を受信する。
【０３３４】
なお、制御部５１０が、端末コンテンツ画像を表示部５３０に表示させる期間は、付帯情報が、付帯情報Ｄ７００Ｂである場合、「表示時間」が、“00:46:00-00:55:00”であるので、前述のコンテンツ表示開始時刻から４６分秒経過した時刻から、コンテンツ表示開始時刻から５５分秒経過した時刻まである。端末コンテンツ画像の表示が終了すると、この表示処理Ｍは終了する。
【０３３５】
この場合、端末コンテンツ画像は、サッカー用品を販売している複数のメーカのうち、好きなメーカに投票するための画像であるとする。この場合、端末コンテンツ画像は、広告提供会社等の広告情報等を表示した画像である。端末コンテンツ画像は、たとえば、以下の端末コンテンツ画像ＭＧ３００Ｂであるとする。なお、表示処理Ｍにおいて、端末コンテンツ画像は、上記「表示時間」に関係なく、インターフェース操作Ｍによる終了操作が行なわれるまで表示部５３０に表示されていてもよい。
【０３３６】
図２５は、一例としての端末コンテンツ画像ＭＧ３００Ｂを示す図である。図２５を参照して、端末コンテンツ画像ＭＧ３００Ｂには、「ＡＡ株式会社」、「ＢＢ株式会社」、「ＣＣ株式会社」というハイパーリンク文字列が表示される。
【０３３７】
端末コンテンツ画像ＭＧ３００Ｂが表示部５３０に表示された状態で、インターフェース操作Ｍがあると、以下の処理が行なわれる。
【０３３８】
たとえば、端末コンテンツ画像ＭＧ３００Ｂ内の「ＡＡ株式会社」という文字列が、通信端末装置５００のインターフェース操作Ｍにより選択された状態で、決定ボタン５４１Ｅの短押操作が行なわれると以下の処理Ｂが行なわれる。処理Ｂでは、制御部５１０が、「ＡＡ株式会社」という文字列が選択されたという情報を、リンク先のアンケート集計を行なっている、たとえば、サービスサーバ８００Ａへ送信する。これにより、サービスサーバ８００Ａでは、アンケートの集計が可能となる。
【０３３９】
なお、制御部５１０が、終了操作があったと判定すると、制御部５１０は、ＶＤＰ５３２を利用して、表示部５３０から端末コンテンツ画像ＭＧ３００Ｂを消去する。ここで、終了操作とは、インターフェース操作Ｍによる表示処理Ｍを終了するための操作である。そして、制御部５１０は、ＶＤＰ５３２を利用して、端末コンテンツ画像ＭＧ３００Ｂが表示される前に、表示されていた画像を、表示部５３０に表示させる。そして、制御部５１０は、表示処理Ｍを終了させる。
【０３４０】
以上の処理が行なわれことにより、表示部６３０に広告画像を表示させるとともに、ユーザが参加可能な、好きなメーカに投票を行なうといったアンケート処理を行なうことが可能となる。すなわち、インタラクティブ性のあるメーカの宣伝が可能となる。
【０３４１】
前述までの処理は、通信端末装置５００の表示部５３０に自動的に広告情報等を表示させる処理を行なっていた。以下では、通信端末装置５００において、ユーザによるインターフェース操作Ｍがあった場合に、表示部５３０に広告情報を表示させるための処理について説明する。なお、取得要求コンテンツは、前述した処理と同様、タイトルが「Ｃサッカー」のコンテンツであるとする。したがって、図１５のコンテンツ取扱い処理では、前述したのと同様な処理が行なわれるので詳細な説明は繰り返さない。
【０３４２】
そして、サービスサーバ８００Ａでは、ステップＳ１１４で、送信処理Ｓが行なわれる。また、通信端末装置５００では、ステップＳ１１８で、受信対応処理Ｍが行なわれる。また、映像表示装置６００では、ステップＳ１２８で、受信対応処理Ｔが行なわれる。
【０３４３】
再び、図２０を参照して、送信処理Ｓで、ステップＳ２４１の処理が行なわれる。ステップＳ２４１では、前述したのと同様な処理が行なわれるので詳細な説明は繰り返さない。
【０３４４】
受信対応処理Ｔでは、ステップＳ２２１で、前述したのと同様な処理が行なわれる。この処理により、表示部６３０に取得要求コンテンツに基づくコンテンツ画像が再生表示される。
【０３４５】
送信処理Ｓでは、ステップＳ２４２で、前述したのと同様な処理が行なわれるので詳細な説明は繰り返さない。この処理により、以下の付帯情報Ｄ７００Ｃが、映像表示装置６００へ送信されるとする。
【０３４６】
図２６は、一例としての付帯情報Ｄ７００Ｃを示す図である。図２６を参照して、付帯情報Ｄ７００Ｃは、図２３の付帯情報Ｄ７００Ａと比較して、「リアクション」の項目の情報が異なる。それ以外は、付帯情報Ｄ７００Ａと同様なので詳細な説明は繰り返さない。
【０３４７】
「リアクション」の項目の「決定ボタン」とは、通信端末装置５００において、決定ボタン５４１Ｅを押下処理するためのインターフェース操作Ｍがあった場合に、表示部５３０に広告情報等を表示させることを意味する。
【０３４８】
受信対応処理Ｔでは、ステップＳ２２１の処理が終了すると、ステップＳ２２２に進む。
【０３４９】
ステップＳ２２２では、前述したのと同様な処理が行なわれるので詳細な説明は繰り返さない。ここでは、付帯情報Ｄ７００Ｃを受信したとして、ステップＳ２２３に進む。
【０３５０】
ステップＳ２２３では、前述したのと同様な処理が行なわれるので詳細な説明は繰り返さない。ここでは、ＹＥＳと判定されて、ステップＳ２２４に進むとする。
【０３５１】
ステップＳ２２４では、表示制御処理が行なわれる。表示制御処理では、制御部６１０が、受信した付帯情報に含まれる「表示時間」、「情報表示手段」および「リアクション」の情報に応じた処理を行なう。ここでは、付帯情報は、図２６の付帯情報Ｄ７００Ｃであるとする。
【０３５２】
この場合、付帯情報Ｄ７００Ｃにおいて、「情報表示手段」は、「端末」および「表示装置」の２つであるので、以下の端末表示制御処理Ｃおよび表示装置表示制御処理Ｃが互いに独立して同時に開始される。
【０３５３】
端末表示制御処理Ｃでは、制御部６１０が、自装置の装置ＩＤ（“１１ＴＡ”）および付帯情報Ｄ７００Ｃを、ステップＳ２２３の処理において、付帯情報Ｄ７００Ｃと関連性があると判定された端末情報が示す装置ＩＤの通信端末装置５００へ送信する。
【０３５４】
表示装置表示制御処理Ｃでは、表示装置表示制御処理Ａと同様な処理が行なわれるので詳細な説明は繰り返さない。なお、付帯情報Ｄ７００Ｃには、「リアクション」の項目に「決定ボタン」と記載されているので、制御部６１０は、ＶＤＰ６３２を利用して、以下の広告通知画像Ｇ３００を生成する。そして、制御部６１０は、前述のコンテンツ表示開始時刻から４６分経過した時刻から、コンテンツ表示開始時刻から５５分経過した時刻までの期間、広告通知画像Ｇ３００を表示部６３０に表示する。その後、制御部６１０は、広告通知画像Ｇ３００が表示される前に表示されていたコンテンツ画像を、表示部６３０に表示させる。これにより、表示装置画像表示処理Ｃは終了する。
【０３５５】
図２７は、一例としての広告通知画像Ｇ３００を示す図である。図２７を参照して、広告通知画像Ｇ３００には、広告画像が表示される。広告画像は、表示装置表示制御処理Ａで表示される広告画像と同じ画像である。この広告画像は、たとえば、サッカーグッズのコマーシャルの動画像である。
【０３５６】
また、広告通知画像Ｇ３００には、広告画像の前面にメッセージ画像Ｇ３１０が表示される。メッセージ画像Ｇ３１０は、ユーザに、通信端末装置５００の決定ボタン５４１Ｅを押下することで、広告情報を参照できる旨のメッセージが表示される画像である。なお、メッセージ画像Ｇ３１０は、文字を表示した画像ではなく、アイコン等のようなものであってもよい。
【０３５７】
なお、表示装置表示制御処理Ｃにおいて、図２６の付帯情報Ｄ７００Ｃの情報表示手段の項目において、「（全画面）」の代わりに「（２画面）」と記載されている場合は、以下の処理が行なわれる。
【０３５８】
制御部６１０は、ＶＤＰ６３２を利用して、以下の広告通知画像Ｇ３００Ａを生成する。そして、制御部６１０は、前述のコンテンツ表示開始時刻から４６分経過した時刻から、コンテンツ表示開始時刻から５５分経過した時刻までの期間、広告通知画像Ｇ３００Ａを表示部６３０に表示する。その後、制御部６１０は、広告通知画像Ｇ３００Ａが表示される前に表示されていたコンテンツ画像を、表示部６３０の全面に表示させる。これにより、表示装置画像表示処理Ｃは終了する。
【０３５９】
図２８は、一例としての広告通知画像Ｇ３００Ａを示す図である。図２８を参照して、広告通知画像Ｇ３００Ａは、図２７の広告通知画像Ｇ３００と比較して、コンテンツ画像Ｇ３２０Ａがさらに配置される点が異なる。それ以外は、広告通知画像Ｇ３００と同様なので詳細な説明は繰り返さない。
【０３６０】
コンテンツ画像Ｇ３２０Ａは、広告通知画像Ｇ３００Ａが、表示部６３０に表示される前まで、ステップＳ２２１の処理により、表示部６３０の全面に表示されていたコンテンツ画像を縮小した画像である。これにより、広告画像と、コンテンツ画像を同時に視聴することが可能となる。なお、広告画像と、コンテンツ画像は、互いに重なりあわないように、たとえば、横に並べて、表示部６３０に表示されてもよい。この場合、広告画像も縮小された画像となる。
【０３６１】
再び、図２０を参照して、受信対応処理Ｍでは、ステップＳ２１１の処理が行なわれる。
【０３６２】
ステップＳ２１１では、装置ＩＤ（“１１ＴＡ”）および付帯情報Ｄ７００Ｃを受信したとして、ステップＳ２１２に進む。
【０３６３】
ステップＳ２１２では、制御部５１０が、表示処理Ｍを実行する。表示処理Ｍは、受信対応処理Ｍおよび他の処理とは独立して行なわれる処理である。その後、ステップＳ２１２の処理は終了する。
【０３６４】
表示処理Ｍでは、制御部５１０は、付帯情報Ｄ７００Ｃの「リアクション」の項目に決定ボタンと記載されている場合、情報参照操作があるか否かを判定する。ここで、情報参照操作とは、決定ボタン５４１Ｅを押下処理するためのインターフェース操作Ｍである。制御部５１０が、情報参照操作があったと判定すると、以下の処理が行なわれる。
【０３６５】
まず、制御部５１０が、受信した付帯情報に基づいて、コンテンツを表示部５３０に表示させる。付帯情報が、付帯情報Ｄ７００Ｃである場合、制御部５１０は、端末用ＵＲＬである“http://www.bb.ne.jp/1235.html”で特定されるＷｅｂページにアクセスし、Ｗｅｂページの情報を表示させた端末コンテンツ画像を生成し、表示部５３０に表示させる。なお、“http://www.bb.ne.jp/1235.html”で特定されるＷｅｂページのデータは、サービスサーバ８００Ａの記憶部８２０に記憶されているとする。すなわち、制御部５１０は、サービスサーバ８００Ａにアクセスし、サービスサーバ８００Ａから、Ｗｅｂページのデータを受信する。すなわち、ネットワークから、“http://www.bb.ne.jp/1235.html”で特定されるＷｅｂページの情報を受信する。
【０３６６】
なお、制御部５１０が、端末コンテンツ画像を表示部５３０に表示させる期間は、付帯情報が、付帯情報Ｄ７００である場合、「表示時間」が、“00:46:00-00:55:00 ”であるので、前述のコンテンツ表示開始時刻から４６分経過した時刻から、コンテンツ表示開始時刻から５５分経過した時刻までの期間である。端末コンテンツ画像の表示が終了すると、この表示処理Ｍは終了する。
【０３６７】
なお、コンテンツ表示開始時刻から４６分経過した時刻から、コンテンツ表示開始時刻から５５分経過した時刻までの期間に、情報参照操作がない場合は、表示部５３０に端末コンテンツ画像は表示されない。
【０３６８】
ステップＳ２１２の処理が終了すると、前述したのと同様に、ステップＳ２１３の処理が行なわれるので詳細な説明は繰り返さない。
【０３６９】
以上の処理が行なわれことにより、ユーザの意思に応じて、通信端末装置５００の表示部５３０において、広告情報を表示させることが可能となる。
【０３７０】
次に、視聴中のコンテンツ画像の見易さを損ねることなく広告情報があることをユーザに通知する処理について説明する。なお、取得要求コンテンツは、前述した処理と同様、タイトルが「Ｃサッカー」のコンテンツであるとする。したがって、図１５のコンテンツ取扱い処理では、前述したのと同様な処理が行なわれるので詳細な説明は繰り返さない。
【０３７１】
そして、サービスサーバ８００Ａでは、ステップＳ１１４で、送信処理Ｓが行なわれる。また、通信端末装置５００では、ステップＳ１１８で、受信対応処理Ｍが行なわれる。また、映像表示装置６００では、ステップＳ１２８で、受信対応処理Ｔが行なわれる。
【０３７２】
再び、図２０を参照して、送信処理Ｓで、ステップＳ２４１の処理が行なわれる。ステップＳ２４１では、前述したのと同様な処理が行なわれるので詳細な説明は繰り返さない。
【０３７３】
受信対応処理Ｔでは、ステップＳ２２１で、前述したのと同様な処理が行なわれる。この処理により、表示部６３０に取得要求コンテンツに基づくコンテンツ画像が再生表示される。
【０３７４】
送信処理Ｓでは、ステップＳ２４２で、前述したのと同様な処理が行なわれるので詳細な説明は繰り返さない。この処理により、以下の付帯情報Ｄ７００Ｄが、映像表示装置６００へ送信されるとする。
【０３７５】
図２９は、一例としての付帯情報Ｄ７００Ｄを示す図である。図２９を参照して、付帯情報Ｄ７００Ｄは、図２６の付帯情報Ｄ７００Ｃと比較して、「情報表示手段」、および「表示装置用ＵＲＬ」の項目の情報が異なる。それ以外は、付帯情報Ｄ７００Ｃと同様なので詳細な説明は繰り返さない。
【０３７６】
受信対応処理Ｔでは、ステップＳ２２１の処理が終了すると、ステップＳ２２２に進む。
【０３７７】
ステップＳ２２２では、前述したのと同様な処理が行なわれるので詳細な説明は繰り返さない。ここでは、付帯情報Ｄ７００Ｄを受信したとして、ステップＳ２２３に進む。
【０３７８】
ステップＳ２２３では、前述したのと同様な処理が行なわれるので詳細な説明は繰り返さない。ここでは、ＹＥＳと判定されて、ステップＳ２２４に進むとする。
【０３７９】
ステップＳ２２４では、表示制御処理が行なわれる。表示制御処理では、制御部６１０が、受信した付帯情報に含まれる「表示時間」、「情報表示手段」および「リアクション」の情報に応じた処理を行なう。ここでは、付帯情報は、図２９の付帯情報Ｄ７００Ｄであるとする。
【０３８０】
この場合、付帯情報Ｄ７００Ｄにおいて、「情報表示手段」は、「端末」および「表示装置」の２つであるので、以下の端末表示制御処理Ｄおよび表示装置表示制御処理Ｄが互いに独立して同時に開始される。
【０３８１】
端末表示制御処理Ｄでは、制御部６１０が、自装置の装置ＩＤ（“１１ＴＡ”）および付帯情報Ｄ７００Ｄを、ステップＳ２２３の処理において、付帯情報Ｄ７００Ｄと関連性があると判定された端末情報が示す装置ＩＤの通信端末装置５００へ送信する。
【０３８２】
表示装置表示制御処理Ｄでは、制御部６１０が、付帯情報Ｄ７００Ｄにおいて、「情報表示手段」の項目において、表示装置の横に「（通知）」と記載されており、「リアクション」の項目に「決定ボタン」と記載されているので、ＶＤＰ６３２を利用して、以下の広告通知画像Ｇ３００Ｄを生成する。広告通知画像Ｇ３００Ｄは、表示部６３０に表示されているコンテンツ画像の前面に、広告情報がある旨を通知するためのメッセージを表示した画像である。
【０３８３】
そして、そして、制御部６１０は、前述のコンテンツ表示開始時刻から４６分経過した時刻から、コンテンツ表示開始時刻から５５分経過した時刻までの期間、広告通知画像Ｇ３００Ｄを表示部６３０に表示する。その後、制御部６１０は、広告通知画像Ｇ３００Ｄが表示される前に表示されていたコンテンツ画像を、表示部６３０に表示させる。これにより、表示装置画像表示処理Ｄは終了する。
【０３８４】
図３０は、一例としての広告通知画像Ｇ３００Ｄを示す図である。図３０を参照して、広告通知画像Ｇ３００Ｄは、ステップＳ２２１の処理により表示部６３０に表示されるコンテンツ画像の前面にメッセージ画像Ｇ３１０が表示された画像である。メッセージ画像Ｇ３１０は、図２７の広告通知画像Ｇ３００において説明したメッセージ画像Ｇ３１０と同じなので詳細な説明は繰り返さない。なお、メッセージ画像Ｇ３１０は、文字を表示した画像ではなく、アイコン等のようなものであってもよい。
【０３８５】
再び、図２０を参照して、受信対応処理Ｍでは、ステップＳ２１１の処理が行なわれる。
【０３８６】
ステップＳ２１１では、装置ＩＤ（“１１ＴＡ”）および付帯情報Ｄ７００Ｄを受信したとして、ステップＳ２１２に進む。
【０３８７】
ステップＳ２１２では、制御部５１０が、表示処理Ｍを実行する。表示処理Ｍは、受信対応処理Ｍおよび他の処理とは独立して行なわれる処理である。その後、ステップＳ２１２の処理は終了する。この場合の表示処理Ｍは、前述した付帯情報Ｄ７００Ｃを受信した場合の処理と同様な処理なので詳細な説明は繰り返さない。
【０３８８】
ステップＳ２１２の処理が終了すると、前述したのと同様に、ステップＳ２１３の処理が行なわれるので詳細な説明は繰り返さない。
【０３８９】
以上の処理が行なわれことにより、ユーザの意思に応じて、通信端末装置５００の表示部５３０において、広告情報を表示させることが可能となる。そして、さらに、視聴中のコンテンツ画像の見易さを損ねることなく広告情報があることをユーザに通知することが可能となる。
【０３９０】
次に、表示部５３０に、図１８のリスト画像ＭＧ２００が表示されている状態で、「Ｅ音楽」というタイトルを表示するボタン画像ＭＢＧ２１４を押下処理するコンテンツ取得操作があった場合の処理について説明する。
【０３９１】
再び、図１５を参照して、ステップＳ１１４の処理が行なわれるまでの処理は、前述したのと同様なので詳細な説明は繰り返さない。ステップＳ１１４の後、ステップＳ１１５の処理が前述した処理と同様に行なわれる。
【０３９２】
この処理により、図１０のユーザ情報データＤ１００、図１１の嗜好キーワードデータＤ２００、図１３（Ｄ）の総集計嗜好キーワードデータＤ４３０を含む端末情報が、映像表示装置６００へ送信されるとする。
【０３９３】
映像表示装置６００では、端末情報を受信することで、ステップＳ１２４において、ＹＥＳと判定されて、ステップＳ１２５に進む。
【０３９４】
ステップＳ１２５では、前述したのと同様な処理が行なわれるので詳細な説明は繰り返さない。
【０３９５】
通信端末装置５００では、ステップＳ１１６の処理が行なわれる。ここでは、「Ｅ音楽」というタイトルを表示するボタン画像ＭＢＧ２１４を押下処理するコンテンツ取得操作があったとして、ステップＳ１１６において、ＹＥＳと判定され、ステップＳ１１７に進む。この場合、取得要求コンテンツは、「Ｅ音楽」というタイトルのコンテンツとなる。
【０３９６】
ステップＳ１１７では、前述したのと同様な処理が行なわれるので詳細な説明は繰り返さない。これにより、コンテンツ取得要求としてのコンテンツ取得リモコン信号が、映像表示装置６００へ送信される。この場合、コンテンツ取得リモコン信号は、タイトルが「Ｅ音楽」の取得要求コンテンツをサービスサーバ８００Ａから受信するためのリモコン信号である。
【０３９７】
映像表示装置６００では、ステップＳ１２６の処理が行なわれる。ここでは、コンテンツ取得要求としての、タイトルが「Ｅ音楽」の取得要求コンテンツを受信するためのコンテンツ取得リモコン信号を受信したとして、ステップＳ１２７に進む。
【０３９８】
ステップＳ１２７では、前述したのと同様な処理が行なわれるので詳細な説明は繰り返さない。この処理により、コンテンツ取得要求Ａが、サービスサーバ８００Ａへ送信される。コンテンツ取得要求Ａには、タイトルが「Ｅ音楽」の取得要求コンテンツを特定するためのＩＤ番号「１２３７」と、サービスＩＤ（“１１ＭＡ−Ｓ１”）が含まれるとする。
【０３９９】
サービスサーバ８００Ａでは、ステップＳ１４２の処理が、前述したのと同様に行なわれるので詳細な説明は繰り返さない。ここでは、コンテンツ取得要求Ａを受信したとして、ステップＳ１４３に進む。
【０４００】
ステップＳ１４３では、前述したのと同様な処理が行なわれ、ステップＳ１４４に進む。
【０４０１】
ステップＳ１４４では、送信処理Ｓが行なわれる。また、通信端末装置５００では、ステップＳ１１８で、受信対応処理Ｍが行なわれる。また、映像表示装置６００では、ステップＳ１２８で、受信対応処理Ｔが行なわれる。
【０４０２】
再び、図２０を参照して、送信処理Ｓで、ステップＳ２４１の処理が行なわれる。ステップＳ２４１では、前述したのと同様な処理が行なわれるので詳細な説明は繰り返さない。この処理により、タイトルが「Ｅ音楽」の取得要求コンテンツが、映像表示装置６００へストリーミング配信する処理が開始される。
【０４０３】
受信対応処理Ｔでは、ステップＳ２２１で、前述したのと同様な処理が行なわれる。この処理により、表示部６３０に取得要求コンテンツに基づくコンテンツ画像が再生表示される。
【０４０４】
送信処理Ｓでは、ステップＳ２４２で、前述したのと同様な処理が行なわれるので詳細な説明は繰り返さない。この処理により、付帯情報が、映像表示装置６００へ送信される。ここで、送信される付帯情報は、以下の付帯情報Ｄ７００Ｅであるとする。
【０４０５】
図３１は、一例としての付帯情報Ｄ７００Ｅを示す図である。図３１を参照して、付帯情報Ｄ７００Ｅは、図２９の付帯情報Ｄ７００Ｄと比較して、「ＩＤ番号」、「タイトル」、「キーワード」、「表示時間」、「情報表示手段」、「端末用ＵＲＬ」、「ＲＳＳデータ」の項目の情報が異なる。それ以外は、付帯情報Ｄ７００Ｄと同様なので詳細な説明は繰り返さない。
【０４０６】
受信対応処理Ｔでは、ステップＳ２２１の処理が終了すると、ステップＳ２２２に進む。
【０４０７】
ステップＳ２２２では、前述したのと同様な処理が行なわれるので詳細な説明は繰り返さない。ここでは、付帯情報Ｄ７００Ｅを受信したとして、ステップＳ２２３に進む。
【０４０８】
ステップＳ２２３では、前述したのと同様な処理が行なわれるので詳細な説明は繰り返さない。ここでは、ＹＥＳと判定されて、ステップＳ２２４に進むとする。
【０４０９】
ステップＳ２２４では、表示制御処理が行なわれる。表示制御処理では、制御部６１０が、受信した付帯情報に含まれる「表示時間」、「情報表示手段」および「リアクション」の情報に応じた処理を行なう。ここでは、付帯情報は、図３１の付帯情報Ｄ７００Ｅであるとする。
【０４１０】
この場合、付帯情報Ｄ７００Ｅにおいて、「情報表示手段」は、「端末」および「表示装置」の２つであるので、以下の端末表示制御処理Ｅおよび表示装置表示制御処理Ｅが互いに独立して同時に開始される。
【０４１１】
端末表示制御処理Ｅでは、制御部６１０が、自装置の装置ＩＤ（“１１ＴＡ”）および付帯情報Ｄ７００Ｅを、ステップＳ２２３の処理において、付帯情報Ｄ７００Ｅと関連性があると判定された端末情報が示す装置ＩＤの通信端末装置５００へ送信する。
【０４１２】
表示装置表示制御処理Ｅでは、制御部６１０が、付帯情報Ｄ７００Ｅにおいて、「情報表示手段」の項目において、表示装置の横に「（テロップ）」と記載されているので、「ＲＳＳデータ」の項目に表示されるＵＲＬにアクセスし、ＲＳＳ（Rich Site Summary,（別名）RDF（Resource Description Framework） Site Summary）形式のデータを受信する。
【０４１３】
受信したＲＳＳデータは、たとえば、時間経過に伴い、たとえば、「コンサートチケット予約受付中、予約を行なうには決定ボタンを押してください」という文章が、所定の文字列単位で表示するデータであるとする。
【０４１４】
さらに、付帯情報Ｄ７００Ｄにおいて、リアクション」の項目に「決定ボタン」と記載されているので、制御部６１０は、ＶＤＰ６３２を利用して、以下の広告通知画像Ｇ３００Ｅを生成する。広告通知画像Ｇ３００Ｅは、表示部６３０に表示されているコンテンツ画像の前面に、受信したＲＳＳデータに基づく情報をテロップで表示した画像である。
【０４１５】
そして、制御部６１０は、前述のコンテンツ表示開始時刻から１０分経過した時刻から、コンテンツ表示開始時刻から１６分３０秒経過した時刻までの期間、広告通知画像Ｇ３００Ｅを表示部６３０に表示する。その後、制御部６１０は、広告通知画像Ｇ３００Ｅが表示される前に表示されていたコンテンツ画像を、表示部６３０に表示させる。これにより、表示装置画像表示処理Ｅは終了する。
【０４１６】
図３２は、一例としての広告通知画像Ｇ３００Ｅを示す図である。図３２を参照して、広告通知画像Ｇ３００Ｅは、図３０の広告通知画像Ｇ３００Ｄと比較して、メッセージ画像Ｇ３１０の代わりに、テロップとしてのメッセージ画像Ｇ３４０が配置される点が異なる。それ以外は、広告通知画像Ｇ３００Ｄと同様なので詳細な説明は繰り返さない。
【０４１７】
メッセージ画像Ｇ３４０には、前述したように、時間経過に伴い、たとえば、「コンサートチケット予約受付中、予約を行なうには決定ボタンを押してください」という文章が、所定の文字列単位で表示される画像である。
【０４１８】
再び、図２０を参照して、受信対応処理Ｍでは、ステップＳ２１１の処理が行なわれる。
【０４１９】
ステップＳ２１１では、装置ＩＤ（“１１ＴＡ”）および付帯情報Ｄ７００Ｅを受信したとして、ステップＳ２１２に進む。
【０４２０】
ステップＳ２１２では、制御部５１０が、表示処理Ｍを実行する。表示処理Ｍは、受信対応処理Ｍおよび他の処理とは独立して行なわれる処理である。その後、ステップＳ２１２の処理は終了する。
【０４２１】
表示処理Ｍでは、受制御部５１０は、付帯情報Ｄ７００Ｅの「リアクション」の項目に決定ボタンと記載されている場合、情報参照操作があるか否かを判定する。ここで、情報参照操作とは、決定ボタン５４１Ｅを押下処理するためのインターフェース操作Ｍである。制御部５１０が、情報参照操作があったと判定すると、以下の処理が行なわれる。
【０４２２】
まず、制御部５１０が、受信した付帯情報に基づいて、コンテンツを表示部５３０に表示させる。付帯情報が、付帯情報Ｄ７００Ｅである場合、制御部５１０は、端末用ＵＲＬである“http://www.bb.ne.jp/1237.html”で特定されるＷｅｂページにアクセスし、Ｗｅｂページの情報を表示させた端末コンテンツ画像を生成し、表示部５３０に表示させる。なお、“http://www.bb.ne.jp/1237.html”で特定されるＷｅｂページのデータは、サービスサーバ８００Ａの記憶部８２０に記憶されているとする。すなわち、制御部５１０は、サービスサーバ８００Ａにアクセスし、サービスサーバ８００Ａから、Ｗｅｂページのデータを受信する。すなわち、ネットワークから、“http://www.bb.ne.jp/1237.html”で特定されるＷｅｂページの情報を受信する。
【０４２３】
なお、制御部５１０が、端末コンテンツ画像を表示部５３０に表示させる期間は、付帯情報が、付帯情報Ｄ７００Ｅである場合、「表示時間」が、“00:10:00-00:16:30”であるので、コンテンツ表示開始時刻から１０分経過した時刻から、コンテンツ表示開始時刻から１６分３０秒経過した時刻までの期間である。端末コンテンツ画像の表示が終了すると、この表示処理Ｍは終了する。
【０４２４】
なお、コンテンツ表示開始時刻から１０分経過した時刻から、コンテンツ表示開始時刻から１６分３０秒経過した時刻までの期間に、情報参照操作がない場合は、表示部５３０に端末コンテンツ画像は表示されない。
【０４２５】
この場合の端末コンテンツ画像は、たとえば、コンサートチケットを予約するための画像である。端末コンテンツ画像は、たとえば、以下の端末コンテンツ画像ＭＧ３００Ｅであるとする。なお、表示処理Ｍにおいて、端末コンテンツ画像は、上記「表示時間」に関係なく、インターフェース操作Ｍによる終了操作が行なわれるまで表示部５３０に表示されていてもよい。
【０４２６】
図３３は、一例としての端末コンテンツ画像ＭＧ３００Ｅを示す図である。図３３を参照して、端末コンテンツ画像ＭＧ３００Ｅには、「予約を行なう」というハイパーリンク文字列が表示される。
【０４２７】
端末コンテンツ画像ＭＧ３００Ｅが表示部５３０に表示された状態で、インターフェース操作Ｍがあると、以下の処理が行なわれる。
【０４２８】
たとえば、端末コンテンツ画像ＭＧ３００Ｅ内の「予約を行なう」という文字列が、通信端末装置５００のインターフェース操作Ｍにより選択された状態で、決定ボタン５４１Ｅの短押操作が行なわれると以下の処理Ｃが行なわれる。処理Ｃでは、制御部５１０が、「予約を行なう」という文字列に関連付けされている、予約に必要な情報（たとえば、名前、住所、電話番号等）を入力するためのＷｅｂページ画像を、ＶＤＰ５３２を利用して、端末コンテンツ画像ＭＧ３００Ｅの代わりに表示部５３０に表示させる。
【０４２９】
なお、制御部５１０が、終了操作があったと判定すると、制御部５１０は、ＶＤＰ５３２を利用して、表示部５３０から端末コンテンツ画像ＭＧ３００Ｅを消去する。ここで、終了操作とは、インターフェース操作Ｍによる表示処理Ｍを終了するための操作である。そして、制御部５１０は、ＶＤＰ５３２を利用して、端末コンテンツ画像ＭＧ３００Ｅが表示される前に、表示されていた画像を、表示部５３０に表示させる。そして、制御部５１０は、表示処理Ｍを終了させる。
【０４３０】
以上の処理が行なわれことにより、ユーザの意思に応じて、通信端末装置５００の表示部５３０において、ユーザの興味のあるサービスを享受することが可能となる。そして、さらに、視聴中のコンテンツ画像の見易さを損ねることなくサービスがあることをユーザに通知することが可能となる。
【０４３１】
以上説明したように、本実施の形態では、通信端末装置５００を利用しているユーザに最適な情報（視聴番組の付加情報、視聴者の嗜好に応じた広告）を最適な提供手段にて提供することができるという効果を奏する。
【０４３２】
また、本実施の形態では、サービスサーバ８００Ａから提供されるコンテンツの付帯情報に含まれるキーワード情報を活用することで、別の装置である通信端末装置のユーザに対し、最適な情報のみを提供することができるという効果を奏する。
【０４３３】
＜第１の実施の形態の変形例１＞
本実施の形態では、映像表示装置６００が待機モードのときに行なわれる処理について説明する。ここで説明する待機モードとは、映像表示装置６００の表示部６３０の画面はオフであるが、映像表示装置６００の通信機能（ネットワークサービスからの広告等の配信を受信する機能）は動作していている状態である。
【０４３４】
第１の実施の形態において説明したように、通信端末装置５００および映像表示装置６００が動作中の場合は、両装置の連携により、通信端末装置５００に対応する嗜好情報に応じた付帯情報（番組関連情報、広告情報など）を利用できる。
【０４３５】
しかしながら、映像表示装置６００の表示部６３０の画面オフ時においても、映像表示装置６００は、通信端末装置５００に対応する嗜好情報に関連した付帯情報を記憶部６２０に蓄積している。これにより、映像表示装置６００の表示部６３０の画面がオフ状態であっても、映像表示装置６００は、通信端末装置５００に対応する嗜好情報に応じた最適な情報を、通信端末装置５００へ提供可能である。具体的には、以下の利用シーンが考えられる。
【０４３６】
まず、ユーザが通信端末装置５００を利用していない状態（電源オフ状態）から、利用を始めた場合、前回通信端末装置５００の利用を終了した時点から今回利用を始めた時までの、通信端末装置５００に対応する嗜好情報に応じた最適な情報を、映像表示装置６００が、通信端末装置５００とデータ通信可能となった時に、通信端末装置５００へ提供するという利用シーンである。これにより、通信端末装置５００の未使用時の期間に、サービスなどから提供された最適な情報を、通信端末装置５００において利用することが可能となる。
【０４３７】
また、ユーザが通信端末装置５００を宅外で利用する場合、映像表示装置６００が、宅外にある通信端末装置５００へ情報を提供するという利用シーンである。
【０４３８】
本実施の形態では、複数台の通信端末装置５００が、映像表示装置６００に対して、後述する処理を行なうとする。以下の説明では、２台の通信端末装置５００が、映像表示装置６００に対して、後述する処理を行なうとする。以下においては、一方の通信端末装置５００を、通信端末装置Ａともいう。また、他方の通信端末装置５００を通信端末装置Ｂともいう。通信端末装置Ａの装置ＩＤは“１１ＭＡ”であるとする。通信端末装置Ｂの装置ＩＤは“１１ＭＢ”であるとする。なお、通信端末装置５００の数は、２台に限定されることなく、３台以上であってもよい。
【０４３９】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０４４０】
なお、通信端末装置Ａおよび通信端末装置Ｂの各々は、第１の実施の形態と同様、ユーザ情報登録処理、嗜好情報登録処理、嗜好情報設定処理を行なうとする。その結果、通信端末装置Ａおよび通信端末装置Ｂの各々の記憶部５２０には、ユーザ情報データ、嗜好キーワードデータ、嗜好情報設定データが記憶されているとする。
【０４４１】
そして、通信端末装置Ａおよび通信端末装置Ｂの各々は、映像表示装置６００に対して、第１の実施の形態と同様、図１５のコンテンツ取扱い処理を複数回行なう。
【０４４２】
上記処理が行なわれることにより、映像表示装置６００の記憶部６２０には、通信端末装置Ａおよび通信端末装置Ｂの各々の端末情報が記憶される。第１の実施の形態と同様、端末情報は、ユーザ情報データ、嗜好キーワードデータおよび総集計嗜好キーワードデータが含まれるとする。通信端末装置Ａおよび通信端末装置Ｂの各々の端末情報は、異なる情報であるとする。
【０４４３】
また、映像表示装置６００の記憶部６２０には、上記処理が行なわれることにより、複数種類の付帯情報が記憶されているとする。
【０４４４】
次に、待機モードである映像表示装置６００が行なう付帯情報送信処理について説明する。
【０４４５】
図３４は、付帯情報送信処理のフローチャートである。図３４を参照して、ステップＳ３１０では、通信端末装置が検出されたか否かが判定される。具体的には、制御部６１０が、電源がオン状態の通信端末装置５００がネットワークに接続され、通信端末装置５００とデータ通信可能となったか否かを判定する。ステップＳ３１０において、ＹＥＳならば、ステップＳ３１１に進む。一方、ステップＳ３１０において、ＮＯならば、再度、ステップＳ３１０の処理が行なわれる。
【０４４６】
ステップＳ３１１では、装置ＩＤ受信処理が行なわれる。装置ＩＤ受信処理では、検出した通信端末装置５００に対して、装置ＩＤの要求を行なうことで、検出した通信端末装置５００の装置ＩＤを受信する。その後、ステップＳ３１２に進む。
【０４４７】
ステップＳ３１２では、付帯情報関連性判定処理が行なわれる。付帯情報関連性判定処理では、制御部６１０が、受信した装置ＩＤに対応づけて記憶部６２０に記憶されている端末情報を読出す。そして、読出した端末情報に含まれる嗜好判定キーワードデータに含まれる複数のキーワードのいずれかを含む付帯情報（以下、嗜好度大付帯情報ともいう。）が、記憶部６２０にあるか否かを判定する。すなわち、嗜好度大付帯情報は、端末情報と関連性のある付帯情報である。
【０４４８】
たとえば、嗜好判定キーワードデータに含まれるキーワードが「サッカー」である場合、記憶部６２０に、たとえば、図２１の付帯情報Ｄ７００が記憶されている場合、制御部６１０は、嗜好度大付帯情報があると判定する。この場合、付帯情報Ｄ７００は、嗜好度大付帯情報である。その後、ステップＳ３１３に進む。
【０４４９】
ステップＳ３１３では、ステップＳ３１２の処理において、制御部６１０が、嗜好度大付帯情報があると判定した場合、ステップＳ３１４に進む。一方、ステップＳ３１２の処理において、制御部６１０が、嗜好度大付帯情報がないと判定した場合、再度、ステップＳ３１０の処理が行なわれる。
【０４５０】
ステップＳ３１４では、制御部６１０が、受信した装置ＩＤの通信端末装置５００へ、嗜好度大付帯情報を送信する。その後、再度、ステップＳ３１０の処理が行なわれる。嗜好度大付帯情報は、たとえば、図２１の付帯情報Ｄ７００であるとする。
【０４５１】
嗜好度大付帯情報を受信した通信端末装置５００は、前述した図２０のステップＳ２１２の処理を行なう。すなわち、制御部５１０が、嗜好度大付帯情報に含まれる端末用ＵＲＬにアクセスして、広告情報を表示部５３０に表示させる。
【０４５２】
以上の処理が行なわれることにより、映像表示装置６００が待機モードであっても、通信端末装置５００とデータ通信が可能になるだけで、自動的に、表示部５３０に情報を参照することができる。また、通信端末装置５００のユーザは、受信した情報を、出先で気軽に参照することができる。
【０４５３】
また別の利用シーンとして、映像表示装置６００が待機モードであったとしても、広告スポンサー側からの広告の投げ掛けにより、映像表示装置６００を通常モードにして、広告情報へと誘導するようなことも可能になる。
【０４５４】
＜第１の実施の形態の変形例２＞
本実施の形態では、ユーザのコンテンツの視聴状態に応じて、広告情報を表示する頻度を変更させる。本実施の形態では、複数台の通信端末装置５００が、映像表示装置６００に対して、後述する処理を行なうとする。以下の説明では、２台の通信端末装置５００が、映像表示装置６００に対して、後述する処理を行なうとする。以下においては、一方の通信端末装置５００を、通信端末装置Ａともいう。また、他方の通信端末装置５００を通信端末装置Ｂともいう。通信端末装置Ａの装置ＩＤは“１１ＭＡ”であるとする。通信端末装置Ｂの装置ＩＤは“１１ＭＢ”であるとする。なお、通信端末装置５００の数は、２台に限定されることなく、３台以上であってもよい。
【０４５５】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０４５６】
なお、通信端末装置Ａおよび通信端末装置Ｂの各々は、第１の実施の形態と同様、ユーザ情報登録処理、嗜好情報登録処理、嗜好情報設定処理を行なうとする。その結果、通信端末装置Ａおよび通信端末装置Ｂの各々の記憶部５２０には、ユーザ情報データ、嗜好キーワードデータ、嗜好情報設定データが記憶されているとする。
【０４５７】
そして、通信端末装置Ａおよび通信端末装置Ｂの各々は、映像表示装置６００に対して、第１の実施の形態と同様、図１５のコンテンツ取扱い処理を複数回行なう。
【０４５８】
上記処理が行なわれることにより、映像表示装置６００の記憶部６２０には、通信端末装置Ａおよび通信端末装置Ｂの各々の端末情報が記憶される。第１の実施の形態と同様、端末情報は、ユーザ情報データ、嗜好キーワードデータおよび総集計嗜好キーワードデータが含まれるとする。通信端末装置Ａおよび通信端末装置Ｂの各々の端末情報は、異なる情報であるとする。
【０４５９】
また、映像表示装置６００の記憶部６２０には、上記処理が行なわれることにより、複数種類の付帯情報が記憶されているとする。
【０４６０】
次に、表示部６３０にコンテンツが再生表示されている映像表示装置６００が行なう付帯情報送信頻度設定処理について説明する。なお、映像表示装置６００は、通信端末装置５００とデータ通信可能な状態であり、通信端末装置５００の装置ＩＤは受信しているとする。また、通信端末装置５００の表示部５３０には、リモコン画像ＭＧ１００が表示されており、通信端末装置５００はリモコンモードに設定されているとする。
【０４６１】
図３５は、付帯情報送信頻度設定処理のフローチャートである。図３５を参照して、ステップＳ４１２では、図３４のステップＳ３１２と同様、付帯情報関連性判定処理が行なわれるので詳細な説明は繰り返さない。ここでは、複数の嗜好度大付帯情報があると判定されたとする。その後、ステップＳ４１３に進む。
【０４６２】
ステップＳ４１３では、制御部６１０が、所定時間内に、所定個数以上のリモコン信号を受信したか否かを判定する。所定時間は、たとえば、１０分であるとする。所定個数は、たとえば、２個とする。ステップＳ４１３において、ＹＥＳならば、ステップＳ４１４Ａに進む。テップＳ４１３において、ＹＥＳと判定されるということは、ユーザが、通信端末装置５００の操作を頻繁に行なっているため、表示部６３０に表示されているコンテンツをじっくり見ていないということになる。一方、ステップＳ４１３において、ＮＯならば、ステップＳ４１４Ｂに進む。
【０４６３】
ステップＳ４１４Ａでは、制御部６１０が、嗜好度大付帯情報の送信時間間隔を低くする。なお、嗜好度大付帯情報の送信時間間隔とは、制御部６１０が、通信端末装置５００へ、嗜好度大付帯情報を送信する時間の間隔である。送信時間間隔の初期値は、たとえば、２０分であるとする。この場合、制御部６１０が、通信端末装置５００へ、嗜好度大付帯情報を２０分毎に送信することになる。ここでは、制御部６１０が、送信時間間隔を、たとえば、半分に設定する。この場合、送信時間間隔は、１０分となる。その後、再度、ステップＳ４１３の処理が行なわれる。
【０４６４】
ステップＳ４１４Ｂでは、制御部６１０が、嗜好度大付帯情報の送信時間間隔を上げる。ここでは、制御部６１０が、送信時間間隔を、たとえば、２倍に設定する。現在の送信時間間隔が、たとえば、２０分であれば、送信時間間隔は、４０分となる。その後、再度、ステップＳ４１３の処理が行なわれる。
【０４６５】
なお、映像表示装置６００は、付帯情報送信頻度設定処理により設定された送信時間間隔で、通信端末装置５００へ、嗜好度大付帯情報を送信する。
【０４６６】
そして、嗜好度大付帯情報を受信した通信端末装置５００は、前述した図２０のステップＳ２１２の処理を行なう。すなわち、制御部５１０が、嗜好度大付帯情報に含まれる端末用ＵＲＬにアクセスして、広告情報を表示部５３０に表示させる。すなわち、前述の送信時間間隔が短いほど、表示部５３０に表示される広告情報は頻繁に代わることになる。すなわち、コンテンツをじっくり見ていないユーザの通信端末装置５００に効果的に広告情報を表示させることができるという効果を奏する。このことにより、ユーザがコンテンツに興味が無い場合に、ユーザの興味のある広告への誘導にも繋がる。
【０４６７】
＜第２の実施の形態＞
本実施の形態では、映像表示装置６００の表示部６３０で表示されているコンテンツに付帯する付帯情報に応じて、様々な態様でコンテンツ、情報等を表示させる処理について説明する。
【０４６８】
本実施の形態では、複数台の通信端末装置５００が、映像表示装置６００に対して、後述する処理を行なうとする。以下の説明では、２台の通信端末装置５００が、映像表示装置６００に対して、後述する処理を行なうとする。以下においては、一方の通信端末装置５００を、通信端末装置Ａともいう。また、他方の通信端末装置５００を通信端末装置Ｂともいう。通信端末装置Ａの装置ＩＤは“１１ＭＡ”であるとする。通信端末装置Ｂの装置ＩＤは“１１ＭＢ”であるとする。なお、通信端末装置５００の数は、２台に限定されることなく、３台以上であってもよい。
【０４６９】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０４７０】
なお、通信端末装置Ａおよび通信端末装置Ｂの各々は、第１の実施の形態と同様、ユーザ情報登録処理、嗜好情報登録処理、嗜好情報設定処理を行なうとする。その結果、通信端末装置Ａおよび通信端末装置Ｂの各々の記憶部５２０には、ユーザ情報データ、嗜好キーワードデータ、嗜好情報設定データが記憶されているとする。
【０４７１】
そして、通信端末装置Ａおよび通信端末装置Ｂの各々は、映像表示装置６００に対して、第１の実施の形態と同様、図１５のコンテンツ取扱い処理を複数回行なう。
【０４７２】
上記処理が行なわれることにより、映像表示装置６００の記憶部６２０には、通信端末装置Ａおよび通信端末装置Ｂの各々の端末情報が記憶される。第１の実施の形態と同様、端末情報には、ユーザ情報データ、嗜好キーワードデータおよび総集計嗜好キーワードデータが含まれるとする。通信端末装置Ａおよび通信端末装置Ｂの各々の端末情報は、異なる情報であるとする。また、映像表示装置６００の記憶部６２０には、上記処理が行なわれることにより、複数種類の付帯情報が記憶されているとする。
【０４７３】
通信端末装置Ａに登録されているユーザ情報データは、一例として、図１０のユーザ情報データＤ１００であるとする。また、通信端末装置Ｂに登録されているユーザ情報データは、一例として、以下のユーザ情報データＤ１００Ａであるとする。すなわち、記憶部６２０に記憶される通信端末装置Ａの端末情報に含まれるユーザ情報データは、ユーザ情報データＤ１００であるとする。記憶部６２０に記憶される通信端末装置Ｂの端末情報に含まれるユーザ情報データは、以下のユーザ情報データＤ１００Ａであるとする。
【０４７４】
図３６は、一例としてのユーザ情報データＤ１００Ａを示す図である。図３６を参照して、ユーザ情報データＤ１００Ａにおける各項目は、図１０のユーザ情報データＤ１００において説明したのと同様なので詳細な説明は繰り返さない。
【０４７５】
次に、通信端末装置Ａおよび通信端末装置Ｂとデータ通信可能な映像表示装置６００が行なう付帯情報対応処理について説明する。なお、映像表示装置６００は、通信端末装置Ａおよび通信端末装置Ｂの各々の装置ＩＤは受信しているとする。また、表示部６３０には、コンテンツが再生表示されているとする。また、サービスサーバ８００Ａは、表示部６３０で再生表示されているコンテンツに対応する付帯情報を、映像表示装置６００へ送信するとする。
【０４７６】
図３７は、付帯情報対応処理のフローチャートである。図３７を参照して、ステップＳ５１０では、制御部６１０が、付帯情報を受信したか否かを判定する。ステップＳ５１０において、ＹＥＳならば、ステップＳ５１２に進む。一方、ステップＳ５１０において、ＮＯならば、再度、ステップＳ５１０の処理が行なわれる。ここでは、以下の付帯情報Ｄ７１０を受信したとして、ステップＳ５１２に進む。
【０４７７】
図３８は、一例としての付帯情報Ｄ７１０を示す図である。図３８を参照して、付帯情報Ｄ７１０の各項目は、付帯情報Ｄ７００、付帯情報Ｄ７００Ａ、付帯情報Ｄ７００Ｂ、付帯情報Ｄ７００Ｃ、付帯情報Ｄ７００Ｄ、付帯情報Ｄ７００Ｅのいずれかにおいて説明したのと同様なので詳細な説明は繰り返さない。
【０４７８】
付帯情報Ｄ７１０では、「端末用ＵＲＬ」が２つある。また、「性別」の項目の情報が２つある。左の「端末用ＵＲＬ」は、性別が「男」に対応するＵＲＬである。一方、右の「端末用ＵＲＬ」は、性別が「女」に対応するＵＲＬである。
【０４７９】
再び、図３７を参照して、ステップＳ５１２では、付帯情報関連性判定処理Ａが行なわれる。付帯情報関連性判定処理Ａでは、受信した付帯情報と端末情報との関連性の有無が判定される。具体的には、制御部６１０が、受信した付帯情報に含まれるキーワードを含む嗜好判定キーワードデータを含む端末情報（以下、嗜好度大端末情報ともいう。）が記憶部６２０に記憶されているか否かを判定する。ここで、受信した付帯情報は、付帯情報Ｄ７１０であるとする。この場合、受信した付帯情報に含まれるキーワードは、「車」である。
【０４８０】
この場合、「車」というキーワードを含む嗜好判定キーワードデータを含む嗜好度大端末情報が、記憶部６２０には、たとえば、２つ記憶されているとする。また、この２つの端末情報にそれぞれ対応する装置ＩＤは、“１１ＭＡ”および“１１ＭＢ”であるとする。記憶部６２０に１つ以上の嗜好度大端末情報が記憶されている場合、制御部６１０は、嗜好度大端末情報があると判定する。すなわち、制御部６１０は、受信した付帯情報と嗜好度大端末情報とは関連性があると判定する。その後、ステップＳ５１３に進む。
【０４８１】
ステップＳ５１３では、ステップＳ５１２の処理において、制御部６１０が、嗜好度大端末情報があると判定した場合、ステップＳ５１４Ａに進む。一方、ステップＳ５１２の処理において、制御部６１０が、嗜好度大端末情報がないと判定した場合、後述するステップＳ５１４Ｂに進む。ここでは、装置ＩＤ“１１ＭＡ” および装置ＩＤ“１１ＭＢ”の各々に対応する嗜好度大端末情報があると判定されたとして、ステップＳ５１４Ａに進む。
【０４８２】
ステップＳ５１４Ａでは、表示制御処理Ａが行なわれる。表示制御処理Ａでは、前述した図２０のステップＳ２２４と同様に、表示制御処理が行なわれる。表示制御処理Ａでは、制御部６１０が、受信した付帯情報に含まれる「表示時間」、「情報表示手段」および「リアクション」の情報に応じた処理を行なう。ここでは、付帯情報は、図３８の付帯情報Ｄ７１０であるとする。この場合、付帯情報Ｄ７１０において、「情報表示手段」は、「端末」および「表示装置」の２つであるので、以下の端末表示制御処理Ｎおよび表示装置表示制御処理Ｎが互いに独立して同時に開始される。
【０４８３】
端末表示制御処理Ｎでは、制御部６１０が、自装置の装置ＩＤ（“１１ＴＡ”）および付帯情報Ｄ７１０を、ステップＳ５１２の処理において、付帯情報Ｄ７１０と関連性があると判定された嗜好度大端末情報が示す装置ＩＤの通信端末装置５００へ送信する。ここでは、嗜好度大端末情報は、２つあり、対応する装置ＩＤは、“１１ＭＡ”、“１１ＭＢ”である。そのため、装置ＩＤが“１１ＭＡ”の通信端末装置Ａおよび装置ＩＤが“１１ＭＢ”の通信端末装置Ｂへ、付帯情報Ｄ７１０が送信される。
【０４８４】
表示装置表示制御処理Ｎでは、制御部６１０が、表示部６３０に表示されているコンテンツのコンテンツ表示開始時刻から２０分経過した時刻に、表示装置用ＵＲＬである“http://www.bb.ne.jp/1335a.mpg”にアクセスし、ファイル名が“1335a.mpg”である動画像データの取得を開始する。なお、ファイル名が“1335a.mpg”である動画像データは、サービスサーバ８００Ａの記憶部８２０に記憶されているとする。動画像データは、たとえば、ＭＰＥＧ２形式の動画像であるとする。
【０４８５】
すなわち、制御部６１０は、サービスサーバ８００Ａにアクセスし、サービスサーバ８００Ａから、動画像データのストリーミング受信を開始する。すなわち、動画像データをサービスサーバ８００Ａから受信しながら、動画像データに基づく画像（以下、広告画像ともいう）を、表示部６３０の全面に再生表示させる。この広告画像は、たとえば、車のメーカーが排出ガスの低減を行なっていることを知らせるためのコマーシャルの動画像である。そして、前述のコンテンツ表示開始時刻から２５分経過した時刻になると、表示部６３０に表示されていた広告画像を消去し、広告画像が表示される前に表示されていたコンテンツ画像を、表示部６３０に表示させる。これにより、表示装置画像表示処理Ｎは終了する。その後、再度、ステップＳ５１０の処理が行なわれる。
【０４８６】
付帯情報を受信した通信端末装置Ａおよび通信端末装置Ｂの各々では、制御部５１０が、表示処理ＭＭを行なう。表示処理ＭＭでは、受信した付帯情報と、自装置ユーザ情報データとに基づいて、情報を表示部５３０に表示させる。付帯情報が、図３８の付帯情報Ｄ７１０である場合、通信端末装置Ａの制御部５１０は、自装置のユーザ情報データＤ１００に基づいて、情報を表示部５３０に表示させる。この場合、ユーザ情報データＤ１００に含まれる性別の情報は、「男」であるので、制御部５１０は、付帯情報Ｄ７１０に含まれる「男」の列に対応する端末用ＵＲＬである“http://www.bb.ne.jp/1335a.html”で特定されるＷｅｂページにアクセスし、Ｗｅｂページの情報を表示させた端末コンテンツ画像を生成し、表示部５３０に表示させる。
【０４８７】
なお、“http://www.bb.ne.jp/1335a.html”で特定されるＷｅｂページのデータは、サービスサーバ８００Ａの記憶部８２０に記憶されているとする。すなわち、制御部５１０は、サービスサーバ８００Ａにアクセスし、サービスサーバ８００Ａから、Ｗｅｂページのデータを受信する。すなわち、ネットワークから、“http://www.bb.ne.jp/1335a.html”で特定されるＷｅｂページの情報を受信する。
【０４８８】
なお、制御部５１０が、端末コンテンツ画像を表示部５３０に表示させる期間は、付帯情報が、付帯情報Ｄ７１０である場合、「表示時間」が、“00:20:00-00:25:00”であるので、前述のコンテンツ表示開始時刻から２０分経過した時刻から、コンテンツ表示開始時刻から２５分経過した時刻までの期間ある。端末コンテンツ画像の表示が終了すると、通信端末装置Ａにおける、表示処理ＭＭは終了する。
【０４８９】
この場合、端末コンテンツ画像は、たとえば、男性用の車の情報を示す画像である。なお、表示処理ＭＭにおいて、端末コンテンツ画像は、上記「表示時間」に関係なく、インターフェース操作Ｍによる終了操作が行なわれるまで表示部５３０に表示されていてもよい。
【０４９０】
通信端末装置Ｂでは、前述した通信端末装置Ａにおける表示処理ＭＭと同様な処理が行なわれるので詳細な説明は繰り返さない。この処理により、通信端末装置Ｂにおける表示部５３０には、“http://www.bb.ne.jp/1335b.html”で特定されるＷｅｂページの情報を表示した端末コンテンツ画像が表示される。この場合、端末コンテンツ画像は、たとえば、女性用の車の情報を示す画像である。
【０４９１】
以上の処理が行なわれることにより、映像表示装置６００の表示部６３０において、複数台の通信端末装置の嗜好に共通する広告画像を表示させる共に、複数台の通信端末装置の各々において、複数台の通信端末装置の各々の端末情報に応じた情報を表示させることが可能となる。
【０４９２】
次に、前述した付帯情報とは異なる付帯情報を受信した場合の付帯情報対応処理について説明する。なお、映像表示装置６００、通信端末装置Ａおよび通信端末装置Ｂの各々の条件は、前述した付帯情報Ｄ７１０を受信する場合と同様であるとする。
【０４９３】
再び、図３７を参照して、ステップＳ５１０では、以下の付帯情報Ｄ７１０Ａを受信したとして、ステップＳ５１２に進む。
【０４９４】
図３９は、一例としての付帯情報Ｄ７１０Ａを示す図である。図３９を参照して、付帯情報Ｄ７１０Ａは、図３８の付帯情報Ｄ７１０と比較して、「性別」、「年齢」の項目の情報が異なる。それ以外は、付帯情報Ｄ７１０と同様なので詳細な説明は繰り返さない。付帯情報Ｄ７１０Ａでは、「年齢」の項目の情報が２つある。左の「端末用ＵＲＬ」は、年齢が「３０以上」に対応するＵＲＬである。一方、右の「端末用ＵＲＬ」は、年齢が「３０未満」に対応するＵＲＬである。
【０４９５】
再び、図３７を参照して、ステップＳ５１２では、前述したのと同様な処理が行なわれるので詳細な説明は繰り返さない。この処理により、２つの嗜好度大端末情報があると判定されたとする。その後、ステップＳ５１３に進む。
【０４９６】
ステップＳ５１３では、前述したのと同様な処理が行なわれるので詳細な説明は繰り返さない。ここでは、ステップＳ５１２の処理において、装置ＩＤ“１１ＭＡ” および装置ＩＤ“１１ＭＢ”の各々に対応する嗜好度大端末情報があると判定されたとして、ステップＳ５１４Ａに進む。
【０４９７】
ステップＳ５１４Ａでは、前述したのと同様に端末表示制御処理Ｎおよび表示装置表示制御処理Ｎが行なわれるので詳細な説明は繰り返さない。
【０４９８】
端末表示制御処理Ｎでは、前述したのと同様な処理が行なわれるので詳細な説明は繰り返さない。この処理により、装置ＩＤが“１１ＭＡ”の通信端末装置Ａおよび装置ＩＤが“１１ＭＢ”の通信端末装置Ｂへ、付帯情報Ｄ７１０Ａが送信される。
【０４９９】
表示装置表示制御処理Ｎでは、前述したのと同様な処理が行なわれるので詳細な説明は繰り返さない。この処理により、表示部６３０の全面に広告画像が表示される。
【０５００】
付帯情報を受信した通信端末装置Ａおよび通信端末装置Ｂの各々では、制御部５１０が、前述したのと同様に表示処理ＭＭを行なうので詳細な説明は繰り返さない。
【０５０１】
通信端末装置Ａでは、この場合、ユーザ情報データＤ１００に含まれる年齢は、“５１”であるので、制御部５１０は、付帯情報Ｄ７１０Ａに含まれる年齢が“３０以上”の列に対応する端末用ＵＲＬである“http://www.bb.ne.jp/1335a.html”で特定されるＷｅｂページにアクセスし、Ｗｅｂページの情報を表示させた端末コンテンツ画像を生成し、表示部５３０に表示させる。この場合、端末コンテンツ画像は、たとえば、３０歳以上のユーザを対象にした車の情報を示す画像である。
【０５０２】
通信端末装置Ｂでは、前述した通信端末装置Ａにおける表示処理ＭＭと同様な処理が行なわれるので詳細な説明は繰り返さない。この処理により、通信端末装置Ｂにおける表示部５３０には、“http://www.bb.ne.jp/1335b.html”で特定されるＷｅｂページの情報を表示した端末コンテンツ画像が表示される。この場合、端末コンテンツ画像は、たとえば、３０歳未満のユーザを対象にした車の情報を示す画像である。
【０５０３】
以上の処理が行なわれることにより、映像表示装置６００の表示部６３０において、複数台の通信端末装置の嗜好に共通する広告画像を表示させる共に、複数台の通信端末装置の各々において、複数台の通信端末装置の各々の端末情報に応じた情報を表示させることが可能となる。
【０５０４】
なお、通信端末装置が、付帯情報に含まれる複数の端末用ＵＲＬから、１つの端末用ＵＲＬを選択するための情報は、前述した性別、情報等に限定されない。たとえば、趣味であってもよい。この場合、複数台の通信端末装置の各々において、複数台の通信端末装置の各々の嗜好に応じた情報を表示させることが可能となる。
【０５０５】
次に、前述した付帯情報とは異なる付帯情報を受信した場合の付帯情報対応処理について説明する。なお、映像表示装置６００、通信端末装置Ａおよび通信端末装置Ｂの各々の条件は、前述した付帯情報Ｄ７１０を受信する場合と同様であるとする。通信端末装置Ａおよび通信端末装置Ｂのそれぞれに対応する２つの端末情報の各々に含まれる嗜好判定キーワードデータには、「サッカー」というキーワードが含まれるとする。
【０５０６】
再び、図３７を参照して、ステップＳ５１０では、図２３の付帯情報Ｄ７００Ａを受信したとして、ステップＳ５１２に進む。
【０５０７】
ステップＳ５１２では、前述したのと同様な処理が行なわれるので詳細な説明は繰り返さない。この処理により、２つの嗜好度大端末情報があると判定されたとする。その後、ステップＳ５１３に進む。
【０５０８】
ステップＳ５１３では、前述したのと同様な処理が行なわれるので詳細な説明は繰り返さない。ここでは、ステップＳ５１２の処理において、装置ＩＤ“１１ＭＡ” および装置ＩＤ“１１ＭＢ”の各々に対応する嗜好度大端末情報があると判定されたとして、ステップＳ５１４Ａに進む。なお、装置ＩＤ“１１ＭＡ” および装置ＩＤ“１１ＭＢ”の各々に対応する嗜好度大端末情報は、「サッカー」というキーワードを含む嗜好判定キーワードデータを含むとする。
【０５０９】
ステップＳ５１４Ａでは、前述したのと同様に端末表示制御処理Ｎおよび表示装置表示制御処理Ｎが行なわれるので詳細な説明は繰り返さない。
【０５１０】
端末表示制御処理Ｎでは、前述したのと同様な処理が行なわれるので詳細な説明は繰り返さない。この処理により、装置ＩＤが“１１ＭＡ”の通信端末装置Ａおよび装置ＩＤが“１１ＭＢ”の通信端末装置Ｂへ、図２３の付帯情報Ｄ７００Ａが送信される。
【０５１１】
表示装置表示制御処理Ｎでは、前述したのと同様な処理が行なわれるので詳細な説明は繰り返さない。この処理により、表示部６３０の全面に広告画像が表示される。
【０５１２】
付帯情報を受信した通信端末装置Ａおよび通信端末装置Ｂの各々では、制御部５１０が、前述した図２０のステップＳ２１２と同様に表示処理Ｍを行なうので詳細な説明は繰り返さない。
【０５１３】
通信端末装置Ａおよび通信端末装置Ｂの各々では、端末用ＵＲＬである“http://www.bb.ne.jp/1235.html”で特定されるＷｅｂページにアクセスし、Ｗｅｂページの情報を表示させた端末コンテンツ画像を生成し、表示部５３０に表示させる。
【０５１４】
以上の処理が行なわれることにより、映像表示装置６００の表示部６３０において、複数台の通信端末装置の嗜好に共通する広告画像を表示させる共に、複数台の通信端末装置の各々において、共通の情報を表示させることが可能となる。
【０５１５】
次に、前述した付帯情報とは異なる付帯情報を受信した場合の付帯情報対応処理について説明する。なお、映像表示装置６００、通信端末装置Ａおよび通信端末装置Ｂの各々の条件は、前述した付帯情報Ｄ７１０を受信する場合と同様であるとする。通信端末装置Ａに対応する端末情報に含まれる嗜好判定キーワードデータには、「サッカー」というキーワードが含まれるとする。なお、通信端末装置Ｂに対応する端末情報に含まれる嗜好判定キーワードデータには、「サッカー」というキーワードが含まれないとする。
【０５１６】
再び、図３７を参照して、ステップＳ５１０では、図２３の付帯情報Ｄ７００Ａを受信したとして、ステップＳ５１２に進む。
【０５１７】
ステップＳ５１２では、前述したのと同様な処理が行なわれるので詳細な説明は繰り返さない。この処理により、１つの嗜好度大端末情報があると判定されたとする。その後、ステップＳ５１３に進む。
【０５１８】
ステップＳ５１３では、前述したのと同様な処理が行なわれるので詳細な説明は繰り返さない。ここでは、ステップＳ５１２の処理において、装置ＩＤ“１１ＭＡ”に対応する嗜好度大端末情報があると判定されたとして、ステップＳ５１４Ａに進む。なお、装置ＩＤ“１１ＭＡ”に対応する嗜好度大端末情報は、「サッカー」というキーワードを含む嗜好判定キーワードデータを含むとする。
【０５１９】
ステップＳ５１４Ａでは、前述したのと同様に端末表示制御処理Ｎおよび表示装置表示制御処理Ｎが行なわれるので詳細な説明は繰り返さない。
【０５２０】
端末表示制御処理Ｎでは、前述したのと同様な処理が行なわれるので詳細な説明は繰り返さない。この処理により、装置ＩＤが“１１ＭＡ”の通信端末装置Ａへ、図２３の付帯情報Ｄ７００Ａが送信される。
【０５２１】
表示装置表示制御処理Ｎでは、前述したのと同様な処理が行なわれるので詳細な説明は繰り返さない。この処理により、表示部６３０の全面に広告画像が表示される。
【０５２２】
付帯情報を受信した通信端末装置Ａでは、制御部５１０が、前述した図２０のステップＳ２１２と同様に表示処理Ｍを行なうので詳細な説明は繰り返さない。
【０５２３】
通信端末装置Ａでは、端末用ＵＲＬである“http://www.bb.ne.jp/1235.html”で特定されるＷｅｂページにアクセスし、Ｗｅｂページの情報を表示させた端末コンテンツ画像を生成し、表示部５３０に表示させる。
【０５２４】
以上の処理が行なわれることにより、映像表示装置６００の表示部６３０において、通信端末装置Ａの嗜好に基づく広告画像を表示させる共に、複数台の通信端末装置のうち、受信した付帯情報に関連する端末情報を有する通信端末装置Ａのみにおいて情報を表示させることが可能となる。
【０５２５】
次に、前述した付帯情報とは異なる付帯情報を受信した場合の付帯情報対応処理について説明する。なお、映像表示装置６００、通信端末装置Ａおよび通信端末装置Ｂの各々の条件は、前述した付帯情報Ｄ７１０を受信する場合と同様であるとする。通信端末装置Ａおよび通信端末装置Ｂのそれぞれに対応する２つの端末情報の各々に含まれる嗜好判定キーワードデータには、「サッカー」というキーワードが含まれるとする。
【０５２６】
再び、図３７を参照して、ステップＳ５１０では、以下の付帯情報Ｄ７１０Ｂを受信したとして、ステップＳ５１２に進む。
【０５２７】
図４０は、一例としての付帯情報Ｄ７１０Ｂを示す図である。図４０を参照して、付帯情報Ｄ７１０Ｂは、図２３の付帯情報Ｄ７００Ａと比較して、「情報表示手段」、「端末用ＵＲＬ」が異なる。それ以外は、付帯情報Ｄ７００Ａと同様なので詳細な説明は繰り返さない。
【０５２８】
再び、図３７を参照して、ステップＳ５１２では、前述したのと同様な処理が行なわれるので詳細な説明は繰り返さない。この処理により、２つの嗜好度大端末情報があると判定されたとする。その後、ステップＳ５１３に進む。
【０５２９】
ステップＳ５１３では、前述したのと同様な処理が行なわれるので詳細な説明は繰り返さない。ここでは、ステップＳ５１２の処理において、装置ＩＤ“１１ＭＡ” および装置ＩＤ“１１ＭＢ”の各々に対応する嗜好度大端末情報があると判定されたとして、ステップＳ５１４Ａに進む。なお、装置ＩＤ“１１ＭＡ” および装置ＩＤ“１１ＭＢ”の各々に対応する嗜好度大端末情報は、「サッカー」というキーワードを含む嗜好判定キーワードデータを含むとする。
【０５３０】
ステップＳ５１４Ａでは、付帯情報Ｄ７１０Ｂにおいて、情報表示手段が「表示装置」のみであるため、制御部５１０は、前述した表示装置表示制御処理Ｎのみを行なう。
【０５３１】
表示装置表示制御処理Ｎでは、前述したのと同様な処理が行なわれるので詳細な説明は繰り返さない。この処理により、表示部６３０の全面に広告画像が表示される。
【０５３２】
以上の処理が行なわれることにより、映像表示装置６００の表示部６３０において、複数台の通信端末装置の嗜好に共通する広告画像を表示させることが可能となる。
【０５３３】
次に、前述した付帯情報とは異なる付帯情報を受信した場合の付帯情報対応処理について説明する。なお、映像表示装置６００、通信端末装置Ａおよび通信端末装置Ｂの各々の条件は、前述した付帯情報Ｄ７１０を受信する場合と同様であるとする。通信端末装置Ａに対応する端末情報に含まれる嗜好判定キーワードデータには、「サッカー」というキーワードが含まれるとする。なお、通信端末装置Ｂに対応する端末情報に含まれる嗜好判定キーワードデータには、「サッカー」というキーワードが含まれないとする。
【０５３４】
再び、図３７を参照して、ステップＳ５１０では、図２１の付帯情報Ｄ７００を受信したとして、ステップＳ５１２に進む。
【０５３５】
ステップＳ５１２では、前述したのと同様な処理が行なわれるので詳細な説明は繰り返さない。この処理により、１つの嗜好度大端末情報があると判定されたとする。その後、ステップＳ５１３に進む。
【０５３６】
ステップＳ５１３では、前述したのと同様な処理が行なわれるので詳細な説明は繰り返さない。ここでは、ステップＳ５１２の処理において、装置ＩＤ“１１ＭＡ”に対応する嗜好度大端末情報があると判定されたとして、ステップＳ５１４Ａに進む。なお、装置ＩＤ“１１ＭＡ”に対応する嗜好度大端末情報は、「サッカー」というキーワードを含む嗜好判定キーワードデータを含むとする。
【０５３７】
ステップＳ５１４Ａでは、付帯情報Ｄ７００において、情報表示手段が「端末」のみであるため、制御部５１０は、前述した端末表示制御処理Ｎのみを行なう。
【０５３８】
端末表示制御処理Ｎでは、前述したのと同様な処理が行なわれるので詳細な説明は繰り返さない。この処理により、装置ＩＤが“１１ＭＡ”の通信端末装置Ａへ、図２１の付帯情報Ｄ７００が送信される。
【０５３９】
付帯情報を受信した通信端末装置Ａでは、制御部５１０が、前述した図２０のステップＳ２１２と同様に表示処理Ｍを行なうので詳細な説明は繰り返さない。
【０５４０】
通信端末装置Ａでは、端末用ＵＲＬである“http://www.bb.ne.jp/1235.html”で特定されるＷｅｂページにアクセスし、Ｗｅｂページの情報を表示させた端末コンテンツ画像を生成し、表示部５３０に表示させる。
【０５４１】
以上の処理が行なわれることにより、複数台の通信端末装置のうち、受信した付帯情報に関連する端末情報を有する通信端末装置Ａのみにおいて情報を表示させることが可能となる。
【０５４２】
次に、前述した付帯情報とは異なる付帯情報を受信した場合の付帯情報対応処理について説明する。なお、映像表示装置６００、通信端末装置Ａおよび通信端末装置Ｂの各々の条件は、前述した付帯情報Ｄ７１０を受信する場合と同様であるとする。通信端末装置Ａおよび通信端末装置Ｂのそれぞれに対応する２つの端末情報の各々に含まれる嗜好判定キーワードデータには、「サッカー」というキーワードが含まれないとする。
【０５４３】
再び、図３７を参照して、ステップＳ５１０では、図４０の付帯情報Ｄ７１０Ｂを受信したとして、ステップＳ５１２に進む。
【０５４４】
ステップＳ５１２では、前述したのと同様な処理が行なわれるので詳細な説明は繰り返さない。この処理により、嗜好度大端末情報がないと判定されたとする。その後、ステップＳ５１３に進む。
【０５４５】
ステップＳ５１３では、嗜好度大端末情報がないため、ステップＳ５１４Ｂに進む。
ステップＳ５１４Ｂでは、表示制御処理Ｂが行なわれる。表示制御処理Ｂでは、前述した図２０のステップＳ２２４と同様に、表示制御処理が行なわれる。表示制御処理Ｂでは、制御部６１０が、受信した付帯情報に含まれる「表示時間」、「情報表示手段」および「リアクション」の情報に応じた処理を行なう。ここでは、付帯情報は、図４０の付帯情報Ｄ７１０Ｂであるとする。この場合、付帯情報Ｄ７１０Ｂにおいて、「情報表示手段」は、「表示装置」であるので、以下の表示装置表示制御処理Ｎが開始される。
【０５４６】
表示装置表示制御処理Ｎでは、前述したのと同様な処理が行なわれるので詳細な説明は繰り返さない。この処理により、表示部６３０の全面に広告画像が表示される。
【０５４７】
以上説明したように、本実施の形態では、受信した付帯情報に応じて、様々な態様でコンテンツ、情報等を表示させることが可能となる。
【０５４８】
＜第３の実施の形態＞
本実施の形態では、映像表示装置６００が、通信端末装置５００を検出できない場合の処理について説明する。
【０５４９】
本実施の形態では、通信端末装置５００が、映像表示装置６００に対して、後述する処理を行なうとする。以下の説明では、通信端末装置５００が、映像表示装置６００に対して、後述する処理を行なうとする。通信端末装置５００の装置ＩＤは“１１ＭＡ”であるとする。
【０５５０】
本実施の形態におけるネットワークシステムは、第１の実施の形態におけるネットワークシステム１０００と同様なので詳細な説明は繰り返さない。通信端末装置５００、映像表示装置６００およびサービスサーバ８００Ａの各々の構成は、第１の実施の形態において、説明した構成と同様なので詳細な説明は繰り返さない。
【０５５１】
なお、通信端末装置５００は、第１の実施の形態と同様、ユーザ情報登録処理、嗜好情報登録処理、嗜好情報設定処理を行なうとする。その結果、通信端末装置５００の記憶部５２０には、ユーザ情報データ、嗜好キーワードデータ、嗜好情報設定データが記憶されているとする。
【０５５２】
そして、通信端末装置５００は、映像表示装置６００に対して、第１の実施の形態と同様、図１５のコンテンツ取扱い処理を複数回行なう。
【０５５３】
上記処理が行なわれることにより、映像表示装置６００の記憶部６２０には、通信端末装置５００の端末情報が記憶される。第１の実施の形態と同様、端末情報には、ユーザ情報データ、嗜好キーワードデータおよび総集計嗜好キーワードデータが含まれるとする。また、映像表示装置６００の記憶部６２０には、上記処理が行なわれることにより、複数種類の付帯情報が記憶されているとする。
【０５５４】
次に、映像表示装置６００が行なう付帯情報対応処理Ａについて説明する。なお、映像表示装置６００は、通信端末装置５００の装置ＩＤは受信しているとする。また、表示部６３０には、コンテンツが再生表示されているとする。また、サービスサーバ８００Ａは、表示部６３０で再生表示されているコンテンツに対応する付帯情報を、映像表示装置６００へ送信するとする。
【０５５５】
なお、付帯情報対応処理Ａが行なわれる前に、映像表示装置６００では、通信端末装置５００が検出されない場合において、付帯情報に含まれる端末用ＵＲＬに基づく情報を、表示部６３０に表示させるための表示レイアウトの設定処理（以下、レイアウト設定処理ともいう）が行なわれているとする。レイアウト設定処理では、通信端末装置５００におけるインターフェース操作Ｍにより、制御部６１０が、以下に示す複数の表示レイアウトの中から１つを選択し、選択したレイアウトを示すデータ（以下、レイアウト選択データともいう）を記憶部６２０に記憶させる。これにより、レイアウト設定処理は終了する。
【０５５６】
図４１は、一例としての複数の表示レイアウトを示す図である。図４１（Ａ）は、表示レイアウトＡを示す図である。表示レイアウトＡでは、コンテンツ画像の前面に、端末ＵＲＬに基づく広告情報を表示させるレイアウトである。図４１（Ｂ）は、表示レイアウトＢを示す図である。表示レイアウトＢでは、コンテンツ画像と、端末ＵＲＬに基づく広告情報を表示させた端末コンテンツ画像とを、重なりあわないように配置した画像である。
【０５５７】
図４１（Ｃ）は、表示レイアウトＣを示す図である。表示レイアウトＣでは、コンテンツ画像の前面に、端末ＵＲＬに基づく広告情報をＯＳＤ（On Screen Display）表示させるレイアウトである。図４１（Ｄ）は、表示レイアウトＤを示す図である。表示レイアウトＤでは、コンテンツ画像の前面に、端末ＵＲＬに基づく広告情報をテロップ表示させるレイアウトである。
【０５５８】
ここでは、一例として、表示レイアウトＡを選択したレイアウト選択データが記憶部６２０に記憶されているとする。
【０５５９】
図４２は、付帯情報対応処理Ａのフローチャートである。図４２を参照して、ステップＳ６１０では、制御部６１０が、付帯情報を受信したか否かを判定する。ステップＳ６１０において、ＹＥＳならば、ステップＳ６１１に進む。一方、ステップＳ６１０において、ＮＯならば、再度、ステップＳ６１０の処理が行なわれる。ここでは、付帯情報を受信したとして、ステップＳ６１１に進む。
【０５６０】
ステップＳ６１１では、通信端末装置が検出されたか否かが判定される。具体的には、制御部６１０が、電源がオン状態の通信端末装置５００がネットワークに接続され、通信端末装置５００とデータ通信可能となったか否かを判定する。ステップＳ６１１において、ＹＥＳならば、ステップＳ６１４に進む。一方、ステップＳ６１１において、ＮＯならば、再度、ステップＳ６１１の処理が行なわれる。
【０５６１】
ステップＳ６１４では、表示処理ＭＴが行なわれる。表示処理ＭＴでは、御部６１０が、受信した付帯情報に含まれる「表示時間」、「情報表示手段」および「リアクション」の情報に応じた表示処理を行なう。
【０５６２】
表示処理ＭＴでは、制御部６１０が、受信した付帯情報およびレイアウト選択データに基づいて、端末情報表示画像を生成し、生成した端末情報表示画像を表示部６３０に表示させる。付帯情報が、図２１の付帯情報Ｄ７００である場合、制御部５１０は、端末用ＵＲＬである“http://www.bb.ne.jp/1235.html”で特定されるＷｅｂページにアクセスし、Ｗｅｂページの広告情報を表示させた端末コンテンツ画像を生成する。そして、レイアウト選択データが、表示レイアウトＡを選択したデータである場合、制御部６１０は、図４１（Ａ）のように、コンテンツ画像内に広告情報を表示させた端末コンテンツ画像を配置した端末情報表示画像を生成し、生成した端末情報表示画像を表示部６３０に表示させる。
【０５６３】
なお、制御部６１０が、端末情報表示画像を表示部６３０に表示させる期間は、付帯情報が、付帯情報Ｄ７００である場合、「表示時間」が、“00:00:00-00:10:30”であるので、前述のコンテンツ表示開始時刻から、１０分３０秒経過した時刻まである。端末情報表示画像の表示が終了すると、この表示処理ＭＴは終了する。そして、ステップＳ６１４の処理は終了し、再度、ステップＳ６１０の処理が行なわれる。
【０５６４】
なお、ステップＳ６１４の表示処理ＭＴにおいて、付帯情報が、図２１の付帯情報Ｄ７００であり、レイアウト選択データが、表示レイアウトＢを選択したデータである場合、制御部６１０は、前述したのと同様、端末用ＵＲＬにアクセスし、端末コンテンツ画像を生成する。そして、制御部６１０は、図４１（Ｂ）のように、コンテンツ画像と、端末コンテンツ画像とが重なりあわないように配置した端末情報表示画像を生成し、生成した端末情報表示画像を表示部６３０に表示させる。
【０５６５】
また、ステップＳ６１４の表示処理ＭＴにおいて、付帯情報が、図２１の付帯情報Ｄ７００であり、レイアウト選択データが、表示レイアウトＣを選択したデータである場合、制御部６１０は、前述したのと同様、端末用ＵＲＬにアクセスし、広告情報を取得する。そして、制御部６１０は、図４１（Ｃ）のように、コンテンツ画像の前面に、端末ＵＲＬに基づく広告情報をＯＳＤ表示させた端末情報表示画像を生成し、生成した端末情報表示画像を表示部６３０に表示させる。ＯＳＤ表示では、文字を見易くするために大きなフォントサイズで、広告情報を表示してもよい。
【０５６６】
また、ステップＳ６１４の表示処理ＭＴにおいて、付帯情報が、図２１の付帯情報Ｄ７００であり、レイアウト選択データが、表示レイアウトＤを選択したデータである場合、制御部６１０は、前述したのと同様、端末用ＵＲＬにアクセスし、広告情報を取得する。そして、制御部６１０は、図４１（Ｄ）のように、コンテンツ画像の前面に、端末ＵＲＬに基づく広告情報をテロップ表示させた端末情報表示画像を生成し、生成した端末情報表示画像を表示部６３０に表示させる。
【０５６７】
また、ステップＳ６１４の表示処理ＭＴにおいて、付帯情報が、図２１の付帯情報Ｄ７００において、「情報表示手段」の項目の「端末」がない情報である場合、制御部６１０は、前述したのと同様、端末用ＵＲＬにアクセスし、広告情報を取得する。そして、制御部６１０は、取得した広告情報を、レイアウト選択データに関わらず、表示部６３０の全面に表示させるための端末情報表示画像を生成し、生成した端末情報表示画像を表示部６３０に表示させる。
【０５６８】
以上説明したように、本実施の形態では、映像表示装置６００の表示部６３０にコンテンツが表示されている状態で、サービスサーバ８００Ａから、表示部６３０で再生表示されているコンテンツに対応する付帯情報を受信した場合において、通信端末装置５００を検出できない場合においても、通信端末装置５００にのみ表示される情報を表示部６３０に表示させる。
【０５６９】
したがって、通信端末装置５００がない場合でも、通信端末装置５００にのみ表示される情報を参照することが可能となる。
【０５７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０５７１】
【図１】本実施の形態におけるネットワークシステムの構成を示す図である。
【図２】通信端末装置の外観を正面から示した図である。
【図３】通信端末装置の外観を左側面から示した図である。
【図４】通信端末装置の外観を背面から示した図である。
【図５】通信端末装置の内部構成を示したブロック図である。
【図６】映像表示装置の外観を正面から示した図である。
【図７】映像表示装置の内部構成を示したブロック図である。
【図８】サービスサーバの内部構成を示したブロック図である。
【図９】一例としてのリモコン画像を示す図である。
【図１０】一例としてのユーザ情報データを示す図である。
【図１１】一例としての嗜好キーワードデータを示す図である。
【図１２】一例としての嗜好情報設定データを示す図である。
【図１３】嗜好キーワードデータを示す図である。
【図１４】一例としてのパス名テーブルを示す図である。
【図１５】コンテンツ取扱い処理のフローチャートである。
【図１６】一例としてのリストデータを示す図である。
【図１７】一例としてのリスト画像を示す図である。
【図１８】一例としてのリスト画像を示す図である。
【図１９】一例としての装置情報を示す図である。
【図２０】受信対応処理Ｍ、受信対応処理Ｔおよび送信処理Ｓのフローチャートである。
【図２１】一例としての付帯情報を示す図である。
【図２２】一例としての端末コンテンツ画像を示す図である。
【図２３】一例としての付帯情報を示す図である。
【図２４】一例としての付帯情報を示す図である。
【図２５】一例としての端末コンテンツ画像を示す図である。
【図２６】一例としての付帯情報を示す図である。
【図２７】一例としての広告通知画像を示す図である。
【図２８】一例としての広告通知画像を示す図である。
【図２９】一例としての付帯情報を示す図である。
【図３０】一例としての広告通知画像を示す図である。
【図３１】一例としての付帯情報を示す図である。
【図３２】一例としての広告通知画像を示す図である。
【図３３】一例としての端末コンテンツ画像を示す図である。
【図３４】付帯情報送信処理のフローチャートである。
【図３５】付帯情報送信頻度設定処理のフローチャートである。
【図３６】一例としてのユーザ情報データを示す図である。
【図３７】付帯情報対応処理のフローチャートである。
【図３８】一例としての付帯情報を示す図である。
【図３９】一例としての付帯情報を示す図である。
【図４０】一例としての付帯情報を示す図である。
【図４１】一例としての複数の表示レイアウトを示す図である。
【図４２】付帯情報対応処理Ａのフローチャートである。
【符号の説明】
【０５７２】
５０  通信部、７０  ネットワーク、１８０，１８０Ａ  プログラム、３００  リモコン、５００  通信端末装置、５１０，６１０，８１０  制御部、５２０，６２０，８２０  記憶部、５３０，６３０  表示部、５４０  入力部、５５５，５５５Ａ  記録媒体、６００  映像表示装置、８００Ａ  サービスサーバ、８００Ｓ  検索サーバ、８００Ｗ  Ｗｅｂサーバ、１０００  ネットワークシステム。
【図１】
2008005320.tif 000003
【図２】
2008005320.tif 000004
【図３】
2008005320.tif 000005
【図４】
2008005320.tif 000006
【図５】
2008005320.tif 000007
【図６】
2008005320.tif 000008
【図７】
2008005320.tif 000009
【図８】
2008005320.tif 000010
【図９】
2008005320.tif 000011
【図１０】
2008005320.tif 000012
【図１１】
2008005320.tif 000013
【図１２】
2008005320.tif 000014
【図１３】
2008005320.tif 000015
【図１４】
2008005320.tif 000016
【図１５】
2008005320.tif 000017
【図１６】
2008005320.tif 000018
【図１７】
2008005320.tif 000019
【図１８】
2008005320.tif 000020
【図１９】
2008005320.tif 000021
【図２０】
2008005320.tif 000022
【図２１】
2008005320.tif 000023
【図２２】
2008005320.tif 000024
【図２３】
2008005320.tif 000025
【図２４】
2008005320.tif 000026
【図２５】
2008005320.tif 000027
【図２６】
2008005320.tif 000028
【図２７】
2008005320.tif 000029
【図２８】
2008005320.tif 000030
【図２９】
2008005320.tif 000031
【図３０】
2008005320.tif 000032
【図３１】
2008005320.tif 000033
【図３２】
2008005320.tif 000034
【図３３】
2008005320.tif 000035
【図３４】
2008005320.tif 000036
【図３５】
2008005320.tif 000037
【図３６】
2008005320.tif 000038
【図３７】
2008005320.tif 000039
【図３８】
2008005320.tif 000040
【図３９】
2008005320.tif 000041
【図４０】
2008005320.tif 000042
【図４１】
2008005320.tif 000043
【図４２】
2008005320.tif 000044